(57)【要約】【課題】データサイズが小さく、空間の定常温度分布を正しく把握することが可能な温度分布データを生成できる、温度分布データ生成システムを提供する。【解決手段】本発明に係る温度分布データ生成システム１００は、センサ部２１と、ユニット処理部２５と、を備える。センサ部は、対象空間の温度分布を測定して複数の画素から構成される熱画像データを複数の時点において取得する。ユニット処理部は、熱画像データから、対象空間に存在する人間の影響を取り除いて、対象空間の定常温度の分布を示す温度分布データを抽出する。【選択図】図３
2015200639.tif 000002
【特許請求の範囲】
【請求項１】
対象空間（Ｒ，Ｒ１，Ｒ２，・・・ＲＮ,）の温度分布を測定して複数の画素から構成される熱画像データを複数の時点において取得する取得部（２１）と、
前記熱画像データから、前記対象空間に存在する人間の影響を取り除いて、前記対象空間の定常温度の分布を示す温度分布データを抽出する抽出部（２５）と、
を備える、温度分布データ生成システム（１００，２００，３００，４００）。
【請求項２】
前記抽出部は、前記熱画像データに含まれる温度ピークを示す前記画素を、前記人間の影響を示す前記画素と判断し、前記人間の影響を示す前記画素の値を排除することで、前記人間の影響を取り除く、
請求項１に記載の温度分布データ生成システム。
【請求項３】
前記抽出部は、所定期間に前記複数の時点において取得された前記熱画像データの、各前記画素の値の時系列的な最小値を、各前記画素の前記所定期間における温度を表す値とする時間ピーク排除熱画像データを生成することで、前記人間の影響を取り除いた前記温度分布データを抽出する、
請求項２に記載の温度分布データ生成システム。
【請求項４】
前記抽出部は、前記熱画像データの近接する複数の前記画素からなる区画に含まれる前記画素の値の最小値を、前記区画に含まれる前記画素の温度を表す値とする空間ピーク排除熱画像データを生成することで、前記人間の影響を取り除いた前記温度分布データを抽出する、
請求項２に記載の温度分布データ生成システム。
【請求項５】
前記抽出部によって抽出された前記温度分布データを記憶する記憶部（３４，２３４，３３４）を更に備え、
前記記憶部は、前記取得部が前記熱画像データを取得する頻度よりも少ない頻度で、前記温度分布データを記憶する、
請求項１から４のいずれか１項に記載の温度分布データ生成システム。
【請求項６】
前記取得部及び前記抽出部は、前記対象空間に設置され、
前記記憶部は、前記抽出部と通信可能に接続されている、
請求項５に記載の温度分布データ生成システム。
【請求項７】
前記抽出部は、前記熱画像データから、前記対象空間に存在する人間の分布を示す人間分布データを更に抽出する、
請求項１から６のいずれか１項に記載の温度分布データ生成システム。
【請求項８】
前記対象空間の温度分布状況に関し改善が必要な要改善領域を検出する領域検出部（３５ａ）
を更に備え、
前記領域検出部は、前記温度分布データに基づき、前記対象空間（Ｒ）において前記定常温度がピークを示す第１領域を、前記要改善領域として検出する、
請求項１から７のいずれか１項に記載の温度分布データ生成システム（１００）。
【請求項９】
前記対象空間の温度分布状況に関し改善が必要な要改善領域を検出する領域検出部（３５ａ）、
を更に備え、
前記領域検出部は、前記温度分布データ及び前記人間分布データに基づき、前記対象空間（Ｒ）において、人間が不在で、かつ、空調が過剰な第２領域を、前記要改善領域として検出する、
請求項７に記載の温度分布データ生成システム（１００）。
【請求項１０】
前記要改善領域に対し、温度分布状況に関する改善提案を生成する改善提案生成部（３５ｂ）、
を更に備えた、
請求項８又は９に記載の温度分布データ生成システム（１００）。
【請求項１１】
特定期間における前記人間分布データ及び前記温度分布データに基づいて、前記特定期間における、前記対象空間（Ｒ）内の、人間の位置の変化及び温度分布の変化を、同時に認識可能な動画を生成する動画生成部（２３５ｃ）、
を更に備えた、
請求項７に記載の温度分布データ生成システム（２００）。
【請求項１２】
前記取得部は、多数の前記対象空間（Ｒ１，Ｒ２，・・・ＲＮ）について前記熱画像データを取得し、
当該温度分布データ生成システムは、
多数の前記対象空間に含まれる第１空間（Ｒｍ）用の省エネ関連情報の生成要求を受け付ける受付部（３１，３２）と、
前記第１空間の所定期間の前記人間分布データに基づき、多数の前記対象空間から、前記第１空間と類似する利用状況のパターンを有する類似空間を抽出する類似空間抽出部（３３５ｇ）と、
前記省エネ関連情報として、前記類似空間の前記温度分布データに基づいた前記類似空間の温度分布に関する情報を生成する省エネ関連情報生成部（３３５ｈ）と、
を更に備える、
請求項７に記載の温度分布データ生成システム（３００）。
【請求項１３】
前記温度分布データを、所定のタイミングで通信ネットワーク（１０）を介して受信し、所定の記憶領域（４３４ａ）に個別に蓄積するコンピュータ（４３０）と、
前記温度分布データの通信異常が生じた時に、過去の前記温度分布データを用いて補間温度分布データを生成するデータ補間部（４３７）と、
をさらに備える、
請求項１から１２のいずれか１項に記載の温度分布データ生成システム（４００）。
【請求項１４】
前記温度分布データ及び前記人間分布データを、所定のタイミングで通信ネットワーク（１０）を介して受信し、所定の記憶領域（４３４ａ,４３４ｂ）に個別に蓄積するコンピュータ（４３０）と、
前記温度分布データの通信異常が生じた時には過去の前記温度分布データを用いて補間温度分布データを生成し、前記人間分布データの通信異常が生じた時には過去の前記人間分布データを用いて補間人間分布データを生成するデータ補間部（４３７）と、
をさらに備え、
前記データ補間部は、温度分布データ補間アルゴリズムに基づいて補間温度分布データを生成し、前記温度分布データ補間アルゴリズムとは異なる人間分布データ補間アルゴリズムに基づいて補間人間分布データを生成する、
請求項７、９、１１及び１２のいずれか１項に記載の温度分布データ生成システム（４００）。
【請求項１５】
複数の前記抽出部によって抽出された前記温度分布データ又は前記人間分布データを、所定のタイミングで通信ネットワーク（１０）を介して受信し、所定の記憶領域（４３４ａ,４３４ｂ）に個別に蓄積するコンピュータ（４３０）をさらに備え、
前記コンピュータは、受信した前記温度分布データ又は前記人間分布データのうち蓄積が不要な部分を抽出して蓄積対象から除外する、マスク処理部（４３６）を含み、
前記マスク処理部は、
いずれかの前記抽出部により抽出される前記温度分布データである第１温度分布データの対象範囲（Ｒ１０,Ｒ２０）の一部が、他の前記抽出部によって抽出される前記温度分布データである第２温度分布データの対象範囲（Ｒ２０,Ｒ３０）と重複している場合には、前記第１温度分布データのうち前記第２温度分布データと対象範囲が重複している部分を除外データとして抽出して蓄積対象から除外する、又は、
いずれかの前記抽出部により抽出される前記人間分布データである第１人間分布データの対象範囲（Ｒ１０,Ｒ２０）の一部が、他の前記抽出部によって抽出される前記人間分布データである第２人間分布データの対象範囲（Ｒ２０,Ｒ３０）と重複している場合には、前記第１人間分布データのうち前記第２人間分布データと対象範囲が重複している部分を除外データとして抽出して蓄積対象から除外する、
請求項７、９、１１及び１２のいずれか１項に記載の温度分布データ生成システム（４００）。
【請求項１６】
前記コンピュータは、前記第２温度分布データ又は前記第２人間分布データの通信異常が生じた時には、前記除外データを用いて、通信異常が生じた前記第２温度分布データ又は前記第２人間分布データを補間するデータ補間部（４３７）をさらに備える
請求項１５に記載の温度分布データ生成システム（４００）。
【請求項１７】
前記マスク処理部は、前記第２温度分布データ又は前記第２人間分布データの通信異常が生じた時には、前記第１温度分布データ又は前記第１人間分布データのうち前記第２温度分布データ又は前記第２人間分布データと対象範囲が重複している部分を前記除外データとしては抽出せず、前記第２温度分布データ又は前記第２人間分布データのうち前記第１温度分布データ又は前記第１人間分布データと対象範囲が重複している部分を前記除外データして蓄積対象から除外する、
請求項１５又は１６に記載の温度分布データ生成システム（４００）。
【発明の詳細な説明】
【技術分野】
【０００１】
本発明は、空間の温度分布データ、より具体的には空間の定常温度分布を正しく把握することが可能な温度分布データを生成する、温度分布データ生成システムに関する。
【背景技術】
【０００２】
多種多様なデータの活用が要求されるビッグデータの分野では、一つのセンサから出力されたデータを、単一の目的で使用するのではなく、複数の目的で使用することが近年重要になってきている。しかし、長時間に亘ってセンサのデータを加工せずに記録し続けると、蓄積されるデータサイズが巨大となり、データ記憶装置の必要容量、データ通信時間及びデータ処理時間が増大し、その結果、データの取り扱いに必要なエネルギー消費量も増大する。そのため、例えば、大容量のデータを、取り扱いが容易な独立した複数の成分に分解して単純化する技術や、必要な成分のみを処理して利用する技術や、処理された成分を合成して別の目的に再利用する技術等が求められている。
【０００３】
さて、従来、特許文献１（特開平６−１６０５０７号公報）に開示されるように、赤外線センサを用いて室内の温度分布を検出するシステムが知られている。特許文献１（特開平６−１６０５０７号公報）においては、赤外線センサにより検出された温度分布のデータを用いて、人間等の熱物体の移動が検知され、その結果に基づいて室内に設置された空気調和装置が制御されている。なお、このシステムでは、ある瞬間における室内の熱画像を取得及び記録して、必要に応じて、室内における熱物体の状態を熱画像から抽出して利用する。すなわち、このシステムは、ある瞬間における赤外線センサの出力値のデータである熱画像を、そのまま記録して利用している。
【発明の概要】
【発明が解決しようとする課題】
【０００４】
これに対し、本願発明者は、特許文献１（特開平６−１６０５０７号公報）に開示されているような熱画像を用いれば、空間の詳細な温度分布を、定量的に把握することが可能になることを見出した。
【０００５】
しかし、特許文献１（特開平６−１６０５０７号公報）では、熱画像に、人間の温度情報が含まれているため、例えば、人間が室内を移動するような場合に、対象空間の定常温度分布を誤って認識する可能性がある。この場合、認識した温度分布に基づいて、温度分布の状態を改善するための提案がなされたとしても、その提案が必ずしも適切ではない可能性がある。
【０００６】
また、特許文献１（特開平６−１６０５０７号公報）のように、室内の熱画像を長時間に亘って記録し続ける場合、大量の熱画像が蓄積及び処理されるので、データ記憶装置の必要容量や、データ通信時間及びデータ処理時間が増大しやすい。また、特許文献１（特開平６−１６０５０７号公報）のシステムは、熱画像自体を加工せずに利用しているため、室内における熱物体の状態を抽出する目的以外の目的で熱画像を利用することが困難で、熱画像を空間の温度分布の把握に利用することが難しい。
【０００７】
本発明の課題は、データサイズが小さく、空間の定常温度分布を正しく把握することが可能な温度分布データを生成できる、温度分布データ生成システムを提供することにある。
【課題を解決するための手段】
【０００８】
本発明の第１観点に係る温度分布データ生成システムは、取得部と、抽出部と、を備える。取得部は、対象空間の温度分布を測定して複数の画素から構成される熱画像データを複数の時点において取得する。抽出部は、熱画像データから、対象空間に存在する人間の影響を取り除いて、対象空間の定常温度の分布を示す温度分布データを抽出する。
【０００９】
ここでは、生成される温度分布データが、人間の影響が除去されたものであるため、対象空間の定常温度分布を正しく把握することができる。
【００１０】
また、ここでは、生成される温度分布データからは人間の影響が除去されているため、温度分布データでは、元となる熱画像データに比べ、局所的に温度が大きく変化する部分を少なくすることが可能で、効率的にデータを圧縮することができる。そのため、温度分布データを記憶する記憶装置に必要とされる記憶容量を抑制することができる。また、温度分布データの送受信のためのデータ通信時間や、温度分布データのデータ処理時間を短縮することができる。
【００１１】
本発明の第２観点に係る温度分布データ生成システムは、第１観点に係る温度分布データ生成システムであって、抽出部は、熱画像データに含まれる温度ピークを示す画素を、人間の影響を示す画素と判断し、人間の影響を示す画素の値を排除することで、人間の影響を取り除く。
【００１２】
ここでは、熱画像データに含まれる温度ピークを示す画素の値を排除することで、熱画像データから人間の影響を取り除いた温度分布データが抽出されるため、対象空間の定常温度分布を正しく把握することができる。
【００１３】
本発明の第３観点に係る温度分布データ生成システムは、第２観点に係る温度分布データ生成システムであって、抽出部は、所定期間に複数の時点において取得された熱画像データの、各画素の値の時系列的な最小値を、各画素の所定期間における温度を表す値とする時間ピーク排除熱画像データを生成することで、人間の影響を取り除いた温度分布データを抽出する。
【００１４】
ここでは、人間の移動の影響により熱画像データに現れる、各画素の時間的な温度ピーク（一時的な温度上昇）の値が排除され、所定期間における温度分布データが抽出されるため、対象空間の定常温度分布を正しく把握することができる。
【００１５】
また、ここでは、所定期間の複数の時点の熱画像データから時間ピーク排除熱画像データを生成することで、所定期間における温度分布データが抽出されるため、熱画像データをそのまま記憶する場合に比べ、記憶するデータの量を抑制できる。
【００１６】
本発明の第４観点に係る温度分布データ生成システムは、第２観点に係る温度分布データ生成システムであって、抽出部は、熱画像データの近接する複数の画素からなる区画に含まれる画素の値の最小値を、区画に含まれる画素の温度を表す値とする空間ピーク排除熱画像データを生成することで、人間の影響を取り除いた温度分布データを抽出する。
【００１７】
ここでは、人間の存在の影響により熱画像データに現れる空間的な温度ピーク（局所的な温度上昇）を示す画素の値が排除され、温度分布データが抽出されるため、対象空間の定常温度分布を正しく把握することができる。
【００１８】
また、ここでは、熱画像データから、局所的な温度ピークを示す画素の値が排除されることで温度分布データが抽出されるため、温度分布データには局所的に温度が高い部分が出現しにくい。また、ここでは、１つの区画に含まれる複数の画素の温度の値は、全て同一とみなされる。そのため、温度分布データは、熱画像データより効率的に圧縮可能で、熱画像データをそのまま記憶する場合に比べ、記憶されるデータ量を抑制できる。
【００１９】
本発明の第５観点に係る温度分布データ生成システムは、第１観点から第４観点のいずれかに係る温度分布データ生成システムであって、抽出部によって抽出された温度分布データを記憶する記憶部を更に備える。記憶部は、取得部が熱画像データを取得する頻度よりも少ない頻度で、温度分布データを記憶する。
【００２０】
ここでは、記憶部による温度分布データの記憶頻度が、取得部による熱画像データの取得頻度よりも少ないため、取得した熱画像データをそのまま記憶する場合に比べ、記憶部へのデータの書き込み速度や、ネットワークの通信速度が遅くてもよい。そのため、温度分布データ生成システムのコストを低減することができる。
【００２１】
本発明の第６観点に係る温度分布データ生成システムは、第５観点に係る温度分布データ生成システムであって、取得部及び抽出部は、対象空間に設置される。記憶部は、抽出部と通信可能に接続されている。
【００２２】
ここでは、記憶部を対象空間以外の場所に設置することができる。
【００２３】
本発明の第７観点に係る温度分布データ生成システムは、第１観点から第６観点のいずれかに係る温度分布データ生成システムであって、抽出部は、熱画像データから、対象空間に存在する人間の分布を示す人間分布データを更に抽出する。
【００２４】
ここでは、熱画像データから温度分布データに加えて人間分布データも抽出されるため、熱画像データから温度分布データだけを抽出する場合に比べ、様々な用途に熱画像データを活用できる。
【００２５】
本発明の第８観点に係る温度分布データ生成システムは、第１観点から第７観点のいずれかに係る温度分布データ生成システムであって、対象空間の温度分布状況に関し改善が必要な要改善領域を検出する領域検出部を更に備える。領域検出部は、温度分布データに基づき、対象空間において定常温度がピークを示す第１領域を、要改善領域として検出する。
【００２６】
ここでは、エネルギーの無駄が可視化され、温度分布データ生成システムのユーザ等が、温度分布状況に関し問題がある定常温度がピークを示す領域が存在することを容易に認識可能である。
【００２７】
本発明の第９観点に係る温度分布データ生成システムは、第７観点に係る温度分布データ生成システムであって、対象空間の温度分布状況に関し改善が必要な要改善領域を検出する領域検出部を更に備える。領域検出部は、温度分布データ及び人間分布データに基づき、対象空間において、人間が不在で、かつ、空調が過剰な第２領域を、要改善領域として検出する。
【００２８】
ここでは、エネルギーの無駄が可視化され、温度分布データ生成システムのユーザ等が、人間が不在であるにも関わらず空調が過剰な領域が存在することを容易に認識可能である。
【００２９】
本発明の第１０観点に係る温度分布データ生成システムは、第８観点又は第９観点に係る温度分布データ生成システムであって、要改善領域に対し、温度分布状況に関する改善提案を生成する改善提案生成部を更に備える。
【００３０】
ここでは、要改善領域に対し、温度分布状況に関する改善提案が生成されるため、温度分布データ生成システムのユーザ等は、対象空間の温度分布状況を容易に改善することができる。
【００３１】
本発明の第１１観点に係る温度分布データ生成システムは、第７観点に係る温度分布データ生成システムであって、動画生成部を更に備える。動画生成部は、特定期間における人間分布データ及び温度分布データに基づいて、特定期間における、対象空間内の、人間の位置の変化及び温度分布の変化を、同時に認識可能な動画を生成する。
【００３２】
ここでは、人間分布データ及び温度分布データに基づいて、人間の位置及び温度分布の変化を同時に認識可能な動画が生成される。これにより、対象空間で温熱環境に関する苦情が発生した場合に、温熱環境に関する苦情の原因解明のための環境計測やヒアリング等が不要で、調査に必要な費用を抑制できる。また、生成された動画を見ることで、温熱環境に関する苦情の原因を認識し、対策を検討することが容易である。また、動画を対象空間の使用者等への原因説明のための資料として利用すれば、説明資料の作成を簡易化できる。
【００３３】
本発明の第１２観点に係る温度分布データ生成システムは、第７観点に係る温度分布データ生成システムであって、取得部は、多数の対象空間について熱画像データを取得する。温度分布データ生成システムは、受付部と、類似空間抽出部と、省エネ関連情報生成部と、を更に備える。受付部は、多数の対象空間に含まれる第１空間用の省エネ関連情報の生成要求を受け付ける。類似空間抽出部は、第１空間の所定期間の人間分布データに基づき、多数の対象空間から、第１空間と類似する利用状況のパターンを有する類似空間を抽出する。省エネ関連情報生成部は、省エネ関連情報として、類似空間の温度分布データに基づいた類似空間の温度分布に関する情報を生成する。
【００３４】
ここでは、人間分布データに基づいて評価対象の第１空間と利用状況のパターンが類似する類似空間が抽出され、第１空間用の省エネ関連情報として、類似空間の温度分布に関する情報が生成される。そのため、生成された省エネ関連情報に基づいて第１空間の相対評価を適切に行うことが可能である。
【００３５】
本発明の第１３観点に係る温度分布データ生成システムでは、第１観点から第１２観点のいずれかに係る温度分布データ生成システムであって、コンピュータと、データ補間部と、をさらに備える。コンピュータは、温度分布データを、所定のタイミングで通信ネットワークを介して受信する。コンピュータは、受信した温度分布データを、所定の記憶領域に個別に蓄積する。データ補間部は、温度分布データの通信異常が生じた時に、過去の温度分布データを用いて、補間温度分布データを生成する。ここでの「通信異常」には、ネットワーク上でデータが衝突する等して受信されるはずのデータが受信されないいわゆるデータ欠落や、伝送経路上でデータにノイズが混入する等して受信したデータと実際に生成された温度分布データとの間に誤差が生じるいわゆる異常変動が含まれる。
【００３６】
ここでは、温度分布データの通信異常が生じた時に、過去の温度分布データを用いて補間温度分布データを生成するデータ補間部をさらに備える。すなわち、通信異常により、受信すべき温度分布データが受信されない場合や、受信した温度分布データが実際に生成された温度分布データとは相違する場合でも、データ補間部が、過去の受信データに基づいて補間温度分布データを生成する。そのため、温度分布データに関して通信異常が生じても、通信異常に係るデータが適正に補間される。その結果、温度分布データに係る通信異常の影響が抑制される。よって、システムの信頼性が向上する。
【００３７】
本発明の第１４観点に係る温度分布データ生成システムでは、第７観点、第９観点、第１１観点及び第１２観点のいずれかに係る温度分布データ生成システムであって、コンピュータと、データ補間部と、をさらに備える。コンピュータは、温度分布データ及び人間分布データを、所定のタイミングで通信ネットワークを介して受信する。コンピュータは、受信した温度分布データ及び人間分布データを、所定の記憶領域に個別に蓄積する。データ補間部は、温度分布データの通信異常が生じた時には、過去の温度分布データを用いて、補間温度分布データを生成する。データ補間部は、人間分布データの通信異常が生じた時には、過去の人間分布データを用いて、補間人間分布データを生成する。データ補間部は、温度分布データ補間アルゴリズムに基づいて、補間温度分布データを生成する。データ補間部は、温度分布データ補間アルゴリズムとは異なる人間分布データ補間アルゴリズムに基づいて、補間人間分布データを生成する。
【００３８】
ここでは、温度分布データ又は人間分布データの通信異常が生じた時に、過去の温度分布データ又は人間分布データを用いて補間温度分布データ又は補間人間分布データを生成するデータ補間部をさらに備える。すなわち、通信異常により、受信すべき温度分布データ又は人間分布データが受信されない場合や、受信した温度分布データ又は人間分布データが実際に生成されたデータとは相違する場合でも、データ補間部が、過去の受信データに基づいて補間温度分布データ又は補間人間分布データを生成する。そのため、温度分布データ又は人間分布データに関して通信異常が生じても、通信異常に係るデータが適正に補間される。その結果、温度分布データ又は人間分布データに係る通信異常の影響が抑制される。
【００３９】
また、ここでは、補間温度分布データとは異なるアルゴリズムに基づいて補間人間分布データが生成される。そのため、データの特性に応じたデータの補間を行うことが可能となる。
【００４０】
よって、システムの信頼性が高精度に向上する。
【００４１】
本発明の第１５観点に係る温度分布データ生成システムでは、第７観点、第９観点、第１１観点及び第１２観点のいずれかに係る温度分布データ生成システムであって、コンピュータをさらに備える。コンピュータは、複数の抽出部によって抽出された温度分布データ又は人間分布データを、所定のタイミングで、通信ネットワークを介して受信する。コンピュータは、受信した温度分布データ又は人間分布データを、所定の記憶領域に個別に蓄積する。コンピュータは、マスク処理部を含む。マスク処理部は、受信した温度分布データ又は人間分布データのうち、蓄積が不要な部分を抽出する。マスク処理部は、受信した温度分布データ又は人間分布データから抽出した蓄積が不要な部分を、蓄積対象から除外する。マスク処理部は、第１温度分布データの対象範囲の一部が、第２温度分布データの対象範囲と重複している場合には、第１温度分布データのうち第２温度分布データと対象範囲が重複している部分を、除外データとして抽出して、蓄積対象から除外する。又は、マスク処理部は、第１人間分布データの対象範囲の一部が、第２人間分布データの対象範囲と重複している場合には、第１人間分布データのうち第２人間分布データと対象範囲が重複している部分を、除外データとして抽出して、蓄積対象から除外する。第１温度分布データは、いずれかの抽出部により抽出される温度分布データである。第２温度分布データは、他の抽出部によって抽出される温度分布データである。第１人間分布データは、いずれかの抽出部により抽出される人間分布データである。第２人間分布データは、他の抽出部によって抽出される人間分布データである。
【００４２】
ここでは、マスク処理部が、第１温度分布データの対象範囲の一部が、第２温度分布データの対象範囲と重複している場合には、第１温度分布データのうち第２温度分布データと対象範囲が重複している部分を、除外データとして抽出して蓄積対象から除外する。又は、マスク処理部が、第１人間分布データの対象範囲の一部が、第２人間分布データの対象範囲と重複している場合には、第１人間分布データのうち第２人間分布データと対象範囲が重複している部分を、除外データとして抽出して蓄積対象から除外する。そのため、取得部の設置環境等に応じて、異なる抽出部によって生成される温度分布データ又は人間分布データの対象範囲が重複している場合であっても、対象空間における温度分布状況又は人間分布状況を正確に把握することが可能となる。よって、システムの信頼性が向上する。
【００４３】
本発明の第１６観点に係る温度分布データ生成システムでは、第１５観点に係る温度分布データ生成システムであって、コンピュータは、データ補間部をさらに備える。データ補間部は、第２温度分布データ又は第２人間分布データの通信異常が生じた時には、除外データを用いて、通信異常が生じた第２温度分布データ又は第２人間分布データを補間する。
【００４４】
ここでは、データ補間部が、第２温度分布データ又は第２人間分布データの通信異常が生じた時には、除外データを用いて、通信異常が生じた第２温度分布データ又は第２人間分布データを補間する。そのため、温度分布データ又は人間分布データに関して通信異常が生じても、通信異常に係るデータが適正に補間される。その結果、第２温度分布データ又は第２人間分布データに係る通信異常の影響が抑制される。よって、システムの信頼性がさらに向上する。
【００４５】
本発明の第１７観点に係る温度分布データ生成システムでは、第１５観点又は第１６観点に係る温度分布データ生成システムであって、マスク処理部は、第２温度分布データ又は第２人間分布データの通信異常が生じた時には、第１温度分布データ又は第１人間分布データのうち第２温度分布データ又は第２人間分布データと対象範囲が重複している部分を、除外データとしては抽出せず、第２温度分布データ又は第２人間分布データのうち第１温度分布データ又は第１人間分布データと対象範囲が重複している部分を、除外データして蓄積対象から除外する。
【００４６】
ここでは、マスク処理部は、第２温度分布データ又は第２人間分布データの通信異常が生じた時には、第１温度分布データ又は第１人間分布データのうち第２温度分布データ又は第２人間分布データと対象範囲が重複している部分を、除外データとしては抽出せず、第２温度分布データ又は第２人間分布データのうち第１温度分布データ又は第１人間分布データと対象範囲が重複している部分を、除外データして蓄積対象から除外する。すなわち、ネットワークにおいて第２温度分布データ又は第２人間分布データの通信異常が生じた場合、除外データを含む第１温度分布データ又は第１人間分布データは、その全てが蓄積される。一方で、通信異常が生じやすいと推定される第２温度分布データ又は第２人間分布データに関しては、第１温度分布データ又は第１人間分布データと重複する部分が、除外データとして蓄積対象から除外される。その結果、通信環境等の状況に応じて、対象空間における温度分布状況又は人間分布状況を正確に把握することが可能となる。よって、システムの信頼性がさらに向上する。
【発明の効果】
【００４７】
本発明の第１観点に係る温度分布データ生成システムでは、生成される温度分布データが、人間の影響が除去されたものであるため、対象空間の定常温度分布を正しく把握することができる。
【００４８】
本発明の第２観点から第４観点に係る温度分布データ生成システムでは、対象空間の定常温度分布を正しく把握することができる。
【００４９】
本発明の第５観点に係る温度分布データ生成システムでは、温度分布データ生成システムのコストを低減することが容易である。
【００５０】
本発明の第６観点に係る温度分布データ生成システムでは、温度分布データを記憶する記憶部を、対象空間以外の場所に設置することができる。
【００５１】
本発明の第７観点に係る温度分布データ生成システムでは、熱画像データから温度分布データに加えて人間分布データも抽出されるため、熱画像データから温度分布データだけを抽出する場合に比べ、様々な用途に熱画像データを活用できる。
【００５２】
本発明の第８観点及び第９観点に係る温度分布データ生成システムでは、エネルギーの無駄が可視化され、温度分布データ生成システムのユーザ等が、温度分布状況に関し改善が必要な領域が存在することを容易に認識可能である。
【００５３】
本発明の第１０観点に係る温度分布データ生成システムでは、対象空間の温度分布状況を容易に改善することができる。
【００５４】
本発明の第１１観点に係る温度分布データ生成システムでは、人間分布データ及び温度分布データに基づいて、人間の位置及び温度分布の変化を同時に認識可能な動画が生成されるため、対象空間で温熱環境に関する苦情が発生した場合に、その原因解明のための環境計測やヒアリング等が不要で、調査に必要な費用を抑制できる。
【００５５】
本発明の第１２観点に係る温度分布データ生成システムでは、人間分布データを用いて、評価の対象となる第１空間と利用状況のパターンが類似する類似空間の温度分布に関する情報が、第１空間用の省エネ関連情報として生成される。そのため、生成された省エネ関連情報に基づいて第１空間の相対評価を適切に行うことができる。
【００５６】
本発明の第１３観点に係る温度分布データ生成システムでは、温度分布データに関して通信異常が生じても、通信異常に係るデータが適正に補間される。その結果、温度分布データに係る通信異常の影響が抑制される。よって、システムの信頼性が向上する。
【００５７】
本発明の第１４観点に係る温度分布データ生成システムでは、温度分布データ又は人間分布データに関して通信異常が生じても、通信異常に係るデータが適正に補間される。その結果、温度分布データ又は人間分布データに係る通信異常の影響が抑制される。また、補間温度分布データとは異なるアルゴリズムに基づいて補間人間分布データが生成される。そのため、データの特性に応じたデータの補間を行うことが可能となる。よって、システムの信頼性が高精度に向上する。
【００５８】
本発明の第１５観点に係る温度分布データ生成システムでは、取得部の設置環境等に応じて、異なる抽出部によって生成される温度分布データ又は人間分布データの対象範囲が重複している場合であっても、対象空間における温度分布状況又は人間分布状況を正確に把握することが可能となる。よって、システムの信頼性が向上する。
【００５９】
本発明の第１６観点に係る温度分布データ生成システムでは、温度分布データ又は人間分布データに関して通信異常が生じても、通信異常に係るデータが適正に補間される。その結果、第２温度分布データ又は第２人間分布データに係る通信異常の影響が抑制される。よって、システムの信頼性がさらに向上する。
【００６０】
本発明の第１７観点に係る温度分布データ生成システムでは、状況に応じて、対象空間における温度分布状況又は人間分布状況を正確に把握することが可能となる。よって、システムの信頼性がさらに向上する。
【図面の簡単な説明】
【００６１】
【図１】本発明の第１実施形態に係る温度分布データ生成システムの概要図である。
【図２】図１の温度分布データ生成システムの赤外線センサユニットが配置される対象空間の一例である。図２は、対象空間を上方から見た概略図である。図２では、対象空間内の人間の位置を丸印で描画している。また、図２では、対象空間の天井に取り付けられる赤外線センサユニット及び空調室内機を、二点鎖線で描画している。
【図３】図１の温度分布データ生成システムのブロック図である。
【図４】図１の温度分布データ生成システムの赤外線センサユニットの動作のフローチャートである。
【図５】図１の温度分布データ生成システムの赤外線センサユニットのセンサ部により取得される熱画像データの一例である。
【図６】図４のフローチャートにおける時間ピーク排除熱画像データ生成処理について説明するための図である。
【図７】図４のフローチャートにおける空間ピーク排除熱画像データ生成処理において、１６列×１６列（２５６個）の画素から構成される時間ピーク排除熱画像データを、４列×４列（１６個）の画素毎に区分けした区画を示している。
【図８】図４のフローチャートにおける空間ピーク排除熱画像データ生成処理について説明するための図である。
【図９】図１の温度分布データ生成システムにより熱画像データから抽出される温度分布データ（空間ピーク排除熱画像データ）の一例である。
【図１０】図１の温度分布データ生成システムにより熱画像データから抽出される人間分布データの一例である。
【図１１】図１の温度分布データ生成システムのコンピュータの処理部の領域検出部が生成する人数分布図の一例である。
【図１２】本発明の第２実施形態に係る温度分布データ生成システムのブロック図である。
【図１３】図１２の温度分布データ生成システムの動画生成処理のフローチャートである。
【図１４】図１２の温度分布データ生成システムにより生成される動画を構成する画像の一例である。
【図１５】変形例２Ｄに係る温度分布データ生成システムのブロック図である。
【図１６】変形例２Ｅに係る温度分布データ生成システムのブロック図である。
【図１７】変形例２Ｅに係る温熱環境再現システムの要注意エリア決定部の、要注意エリアの決定処理について説明するための図である。
【図１８】変形例２Ｆに係る温度分布データ生成システムのブロック図である。
【図１９】本発明の第３実施形態に係る温度分布データ生成システムの概要図である。
【図２０】図１９に係る温度分布データ生成システムのブロック図である。
【図２１】図１９に係る温度分布データ生成システムによる省エネ関連情報生成処理（類似空間の抽出処理も含む）のフローチャートである。
【図２２】図２１のフローチャート中の、快適温度エリアに占める在籍エリアの割合の算出処理のフローチャートである。
【図２３】変形例３Ｃに係る温度分布データ生成システムのブロック図である。
【図２４】本発明の第４実施形態に係る温度分布データ生成システムの概要図である。
【図２５】第４実施形態に係る温度分布データ生成システムの赤外線センサユニットが配置される活動空間を、上方から見た場合について模式的に示した図である。
【図２６】活動空間における重複エリアの例を模式的に示した図である。
【図２７】活動空間における重複エリアの他の例を模式的に示した図である。
【図２８】第４実施形態に係る温度分布データ生成システムのブロック図である。
【図２９】人間分布データの一例を模式的に示した図である。
【図３０】人間分布データの他の一例を模式的に示した図である。
【図３１】人間分布データの他の一例を模式的に示した図である。
【図３２】マスク処理部によるマスク処理の流れの一例を示したフローチャートである。
【図３３】マスク処理される人間分布データの一例を模式的に示した図である。
【図３４】マスク処理される温度分布データの一例を模式的に示した図である。
【図３５】マスク処理される人間分布データの他の一例を模式的に示した図である。
【図３６】マスク処理される温度分布データの他の一例を模式的に示した図である。
【図３７】マスク処理後の人間分布データの一例を模式的に示した図である。
【図３８】マスク処理後の温度分布データの一例を模式的に示した図である。
【図３９】マスク処理後の人間分布データの他の一例を模式的に示した図である。
【図４０】マスク処理後の温度分布データの他の一例を模式的に示した図である。
【図４１】データ補間部によるデータ補間処理の流れの一例を示したフローチャートである。
【図４２】各サイクルにおいてメインコンピュータが受信するデータの時系列と、データ欠落の一例を模式的に示した図である。
【図４３】温度分布データの過去データ（３サイクル分）の一例を模式的に示した図である。
【図４４】温度分布データに異常変動が生じた場合の一例を模式的に示した図である。
【図４５】人間分布データに異常変動が生じた場合の一例を模式的に示した図である。
【図４６】人間分布データに異常変動が生じた場合の他の一例を模式的に示した図である。
【図４７】欠落補間処理によって生成された補間温度分布データの一例を模式的に示した図である。
【図４８】異常変動補間処理によって生成された補間温度分布データの一例を模式的に示した図である。
【図４９】人間分布データに異常変動補間処理がなされた場合の一例を模式的に示した図である。
【発明を実施するための形態】
【００６２】
本発明に係る温度分布データ生成システムの実施形態について説明する。なお、下記の実施形態は、本発明の具体例であって、本発明の技術的範囲を限定するものではない。下記の実施形態は、本発明の趣旨を逸脱しない範囲で適宜変更可能である。
【００６３】
＜第１実施形態＞
本発明の第１実施形態に係る温度分布データ生成システム１００について説明する。
【００６４】
（１）全体構成
温度分布データ生成システム１００は、対象空間Ｒの定常温度の分布を示す温度分布データを生成する。また、温度分布データ生成システム１００は、生成した温度分布データに基づいて、対象空間Ｒの温度分布状況に関し改善が必要な要改善領域を検出する。さらに、温度分布データ生成システム１００は、検出した要改善領域に対し、温度分布状況に関する改善提案を生成する。
【００６５】
対象空間Ｒは、ここではオフィスとして使用される空間である。ただし、これに限定されるものではなく、対象空間Ｒは、商業施設、学校、ホテル、住居等として使用される空間であってもよい。
【００６６】
温度分布データ生成システム１００は、図１のように、赤外線センサユニット２０と、コンピュータ３０と、外気温センサ４０と、を有する。
【００６７】
赤外線センサユニット２０は、対象空間Ｒに設置されている。コンピュータ３０は、対象空間Ｒとは別の場所、例えば、対象空間Ｒの存在する建物内の中央管理室に設置されている。赤外線センサユニット２０と、コンピュータ３０及び外気温センサ４０とは、ＬＡＮ（Local Area Network）等の通信ネットワーク１０により通信可能に接続されている（図１参照）。通信ネットワーク１０は、有線であっても、無線であってもよい。
【００６８】
なお、コンピュータ３０は、対象空間Ｒの存在する建物以外の場所、例えば遠隔地にある管理センターに配置されてもよい。また、コンピュータ３０は、対象空間Ｒ内に配置されてもよい。また、通信ネットワーク１０は、ＬＡＮである必要はなく、例えばインターネット等のＷＡＮ（Wide Area Network）でもよい。
【００６９】
赤外線センサユニット２０は、対象空間Ｒの温度分布を測定して、複数の画素から構成される熱画像データを取得する。また、赤外線センサユニット２０は、取得した熱画像データから対象空間Ｒに存在する人間の影響を取り除いて、対象空間Ｒの定常温度の分布を示す温度分布データを抽出する。また、赤外線センサユニット２０は、取得した熱画像データから、対象空間Ｒに存在する人間の分布を示す人間分布データを抽出する。赤外線センサユニット２０は、抽出した温度分布データ及び人間分布データを、通信ネットワーク１０を介してコンピュータ３０に送信する。
【００７０】
外気温センサ４０は、対象空間Ｒの存在する建物周辺の外気温を検出する温度センサである。外気温センサ４０が検出した外気温は、通信ネットワーク１０を介してコンピュータ３０に送信される。
【００７１】
コンピュータ３０は、赤外線センサユニット２０が生成した温度分布データ及び人間分布データを受信し、後述する記憶部３４に記憶する。また、コンピュータ３０は、外気温センサ４０が検出する外気温を受け付け、記憶部３４に記憶する。コンピュータ３０の後述する処理部３５は、赤外線センサユニット２０から受け付けた温度分布データ及び人間分布データと、外気温センサ４０から受け付けた外気温と、に基づいて、対象空間Ｒの温度分布状況に関し改善が必要な要改善領域を検出する。また、コンピュータ３０の処理部３５は、検出した要改善領域に対し、温度分布状況の改善提案を生成する。検出された要改善領域の位置に関する情報、及び、要改善領域に対する温度分布状況の改善提案は、コンピュータ３０の後述する出力部３３に提示される。
【００７２】
図２は、対象空間Ｒの一例である。図２は、対象空間Ｒを上方から見た概略図である。対象空間Ｒは、平面視において、５ｍ×５ｍの正方形の部屋である。図２では、対象空間Ｒの天井に取り付けられる赤外線センサユニット２０及び空調室内機９０を、二点鎖線で描画している。
【００７３】
赤外線センサユニット２０は、対象空間Ｒの天井の中央付近に取り付けられている（図２参照）。また、対象空間Ｒの天井の中央付近には、天井カセット型の空調室内機９０が設置されている（図２参照）。空調室内機９０は、図示しない空調室外機と冷媒配管により接続され、空調室外機と共に空調装置として機能する。空調室内機９０は、四方に吹出口（図示せず）を有し、空気調和された空気を四方に吹き出し可能である。空調室内機９０の各吹出口には風向を調整するためのフラップ（図示せず）が設けられている。各フラップは、他のフラップと独立して制御可能に構成されている。また、対象空間Ｒには、図示しない換気ダクトが設けられている。換気ダクトには図示しない換気ファンが設けられている。対象空間Ｒは、換気ファンが動作させられることで、換気ダクトにより換気可能に構成されている。オフィスとして用いられる対象空間Ｒでは、通常、複数の人間が働く。図２では、人間を丸印で描画している。対象空間Ｒには、図２における下方側に窓Ｗが配置されている。また、対象空間Ｒには、図２における右方側上方に扉Ｄが配置されている。
【００７４】
なお、図２は対象空間Ｒの平面図の一例であり、対象空間Ｒの広さや形状、対象空間Ｒに設置される機器の種類、台数や配置等は例示であり、これに限定されるものではない。赤外線センサユニット２０の配置や台数も例示であり、これに限定されるものではない。赤外線センサユニット２０は、対象空間Ｒ全体について温度分布データ及び人間分布データが得られるように、必要な台数が、適切な位置に配置されればよい。
【００７５】
（２）詳細構成
以下に、赤外線センサユニット２０と、コンピュータ３０と、について説明する。
【００７６】
（２−１）赤外線センサユニット
赤外線センサユニット２０は、対象空間Ｒの温度分布を測定して複数の画素から構成される熱画像データを取得する。また、赤外線センサユニット２０は、取得した熱画像データから対象空間Ｒの定常温度の分布を示す温度分布データと、対象空間Ｒに存在する人間の分布を示す人間分布データと、を抽出する。赤外線センサユニット２０は、対象空間Ｒの天井の中央部に設置されている（図２参照）。
【００７７】
赤外線センサユニット２０は、センサ部２１と、ユニット処理装置２２とを主に有する（図３参照）。
【００７８】
（２−１−１）センサ部
センサ部２１は、取得部の一例である。センサ部２１は、対象空間Ｒの温度分布を測定して複数の画素から構成される熱画像データを複数の時点において取得する。具体的には、センサ部２１は、対象空間Ｒの温度分布を測定して、２５６画素から構成される熱画像データを、３秒毎に取得する。
【００７９】
センサ部２１は、サーモパイル型の赤外線センサアレイを有する。具体的には、センサ部２１は、１６列×１６列（２５６個）の赤外線の検出素子２１ａ（サーモパイル）を有する（図３参照）。各検出素子２１ａは、センサ部２１の図示しないレンズにより集光された赤外線を検出し、検出した赤外線の量に応じた電圧を出力する。赤外線センサユニット２０は、センサ部２１の図示しないレンズが下方を向くような姿勢で、天井に取り付けられている。センサ部２１は、１６列×１６列の検出素子２１ａを用いて、平面視において５ｍ×５ｍの対象空間Ｒを縦横にそれぞれ１６分割した各領域について、検出した赤外線の量に応じた電圧を取得する。
【００８０】
センサ部２１は、検出素子２１ａの出力するアナログの電圧データを、デジタルの温度データに変換する変換部２１ｂを有する（図３参照）。変換部２１ｂは、主に、ＣＰＵ（Central Processing Unit）と、ＲＯＭ（Read Only Memory）やＲＡＭ（Random Access Memory）等のメモリと、を有する。変換部２１ｂでは、ＣＰＵがメモリに記憶されているプログラムを実行することで、各検出素子２１ａから出力される電圧を温度に変換する処理を行う。変換には、メモリに記憶されている変換情報、例えば、電圧を温度に変換するための変換式や、電圧と温度とを関係付けた変換テーブル等が用いられる。変換部２１ｂが２５６個の検出素子２１ａから出力される電圧の値を温度に変換することで、センサ部２１は、１６列×１６列の画素から構成される（２５６画素から構成される）熱画像データを取得する。熱画像データの各画素は、温度の値を情報として有する。
【００８１】
（２−１−２）ユニット処理装置
ユニット処理装置２２は、センサ部２１の取得した熱画像データから、温度分布データ及び人間分布データを抽出する装置である。言い換えれば、ユニット処理装置２２は、センサ部２１の取得した熱画像データから、温度分布データ及び人間分布データを生成する装置である。熱画像データから抽出された温度分布データ及び人間分布データは、コンピュータ３０に送信される。
【００８２】
ユニット処理装置２２は、主に、ＣＰＵと、ＲＯＭやＲＡＭ等のメモリと、を有する。ユニット処理装置２２では、ＣＰＵがメモリに記憶されているプログラムを実行することで、各種処理を実行する。ユニット処理装置２２は、センサ部２１と同一の筐体（図示せず）内に収容されている。
【００８３】
ユニット処理装置２２は、機能部として、ユニット通信部２３と、ユニット記憶部２４と、ユニット処理部２５と、を主に有する（図３参照）。
【００８４】
（２−１−２−１）ユニット通信部
ユニット通信部２３は、ユニット処理装置２２と通信ネットワーク１０との接続を可能にする。ユニット処理装置２２は、ユニット通信部２３を介して、コンピュータ３０と通信を行う。
【００８５】
（２−１−２−２）ユニット記憶部
ユニット記憶部２４には、ユニット処理部２５が実行するためのプログラムが記憶されている。また、ユニット記憶部２４には、後述するユニット処理部２５が温度分布データや人間分布データを生成するために用いる、センサ部２１により取得された熱画像データが記憶される。
【００８６】
（２−１−２−３）ユニット処理部
ユニット処理部２５は、ユニット記憶部２４に記憶されているプログラムを実行することで、赤外線センサユニット２０の各部を制御する。
【００８７】
また、ユニット処理部２５は、抽出部の一例であり、ユニット記憶部２４に記憶されているプログラムを実行することで、センサ部２１により取得された熱画像データから、対象空間Ｒに存在する人間の影響を取り除いて、対象空間Ｒの定常温度の分布を示す温度分布データを抽出する。言い換えれば、ユニット処理部２５は、センサ部２１により取得された熱画像データから、対象空間Ｒに存在する人間の影響を取り除いた、対象空間Ｒの定常温度の分布を示す温度分布データを生成する。
【００８８】
また、ユニット処理部２５は、ユニット記憶部２４に記憶されているプログラムを実行することで、センサ部２１により取得された熱画像データから、対象空間Ｒに存在する人間の分布を示す人間分布データを抽出する。言い換えれば、ユニット処理部２５は、センサ部２１により取得された熱画像データから、対象空間Ｒに存在する人間の分布を示す人間分布データを生成する。
【００８９】
ユニット処理部２５は、温度分布データ及び人間分布データの抽出に関連するサブ機能部として、温度分布データ抽出部２５ａと、人間分布データ抽出部２５ｂと、を主に有する（図３参照）。
【００９０】
（２−１−２−３−１）温度分布データ抽出部
温度分布データ抽出部２５ａは、ユニット記憶部２４に記憶されている熱画像データから、温度分布データを抽出する処理を主に実行する。温度分布データ抽出部２５ａは、熱画像データに含まれる温度ピークを示す画素を、人間の影響を示す画素と判断し、人間の影響を示す画素の値を排除することで、人間の影響を取り除く。
【００９１】
なお、ここでは、熱画像データに含まれる温度ピークを示す画素には、時間的な温度ピークを示す画素と、空間的な温度ピークを示す画素と、の両方を含む。
【００９２】
時間的な温度ピークを示す画素とは、複数の時点において取得された複数の熱画像データについて、対象空間Ｒの同じ位置（領域）を表す画素の温度の値を経時的に観察した場合に、一時的に温度が上昇している画素を意味する。
【００９３】
空間的な温度ピークを示す画素とは、１の熱画像データにおいて、温度の値が周辺の画素に比べ局所的に上昇している画素を意味する。
【００９４】
温度分布データ抽出部２５ａが実行する、熱画像データからの温度分布データの抽出処理については後述する。
【００９５】
（２−１−２−３−２）人間分布データ抽出部
人間分布データ抽出部２５ｂは、ユニット記憶部２４に記憶されている熱画像データからの、人間分布データの抽出処理を主に実行する。
【００９６】
人間分布データ抽出部２５ｂは、人間の温度が、対象空間Ｒ内の空気の温度よりも相対的に高く現れる事を利用して、熱画像データから、対象空間Ｒに存在する人間の分布を示す人間分布データを抽出する。例えば、具体的には、特許文献１（特開平６−１６０５０７号公報）に記載の方法を利用することで、熱画像データから人間の位置を把握し、人間分布データを抽出する（人間分布データを生成する）ことができる。ただし、熱画像データから人間分布データを抽出する方法は、特許文献１（特開平６−１６０５０７号公報）に記載の方法に限定されるものではなく、他の方法が用いられてもよい。
【００９７】
（２−２）コンピュータ
コンピュータ３０は、赤外線センサユニット２０により生成された温度分布データ及び人間分布データを受信し、後述する記憶部３４に記憶する。また、コンピュータ３０の後述する処理部３５は、記憶部３４に記憶された温度分布データ及び人間分布データを用いて、対象空間Ｒの温度分布状況に関し改善提案を提示する。
【００９８】
コンピュータ３０は、主に、ＣＰＵ、ＲＯＭやＲＡＭ等のメモリ、ＨＤＤ（Hard Disc Drive）等の補助記憶装置、及び入出力デバイスを有する。
【００９９】
コンピュータ３０は、機能部として、通信部３１、入力部３２、出力部３３、記憶部３４、及び処理部３５を主に有する（図３参照）。
【０１００】
（２−２−１）通信部
通信部３１は、コンピュータ３０と通信ネットワーク１０との接続を可能にする。コンピュータ３０は、通信部３１を介して、赤外線センサユニット２０及び外気温センサ４０と通信を行う。
【０１０１】
（２−２−２）入力部
入力部３２は、主としてキーボード、マウス等を有する。入力部３２は、温度分布データ生成システム１００のユーザから、各種指令や各種情報を受け付ける。
【０１０２】
（２−２−３）出力部
出力部３３は、主としてディスプレイを有する。出力部３３には、例えば、記憶部３４に記憶されている温度分布データや人間分布データが表示される。また、例えば、出力部３３には、後述する処理部３５により検出された、温度分布状況に関し改善が必要な要改善領域の位置情報や、処理部３５により生成された、要改善領域に対する、温度分布状況に関しての改善提案等が表示される。
【０１０３】
（２−２−４）記憶部
記憶部３４は、ＲＯＭ及びＲＡＭ等のメモリや、ＨＤＤ等の補助記憶装置から構成されている。コンピュータ３０は、前述のように通信ネットワーク１０を介して赤外線センサユニット２０と接続されている。言い換えれば、コンピュータ３０の記憶部３４は、抽出部の一例である赤外線センサユニット２０のユニット処理部２５と、通信可能に接続されている。
【０１０４】
記憶部３４には、処理部３５が実行するためのプログラムが記憶されている。
【０１０５】
また、記憶部３４には、各種情報が記憶されている。記憶部３４は、情報を記憶する領域として、温度分布データ記憶領域３４ａと、人間分布データ記憶領域３４ｂと、外気温記憶領域３４ｃと、空間情報記憶領域３４ｄと、改善策記憶領域３４ｅと、を有する。
【０１０６】
（２−２−４−１）温度分布データ記憶領域
温度分布データ記憶領域３４ａには、赤外線センサユニット２０から定期的に（ここでは１分毎に）送信されてくる温度分布データが、時系列の情報として記憶される。
【０１０７】
（２−２−４−２）人間分布データ記憶領域
人間分布データ記憶領域３４ｂには、赤外線センサユニット２０から定期的に（ここでは１分毎に）送信されてくる人間分布データが、時系列の情報として記憶される。
【０１０８】
（２−２−４−３）外気温記憶領域
外気温記憶領域３４ｃには、外気温センサ４０から定期的に（ここでは１分毎に）送信されてくる外気温が、時系列の情報として記憶される。
【０１０９】
（２−２−４−４）空間情報記憶領域
空間情報記憶領域３４ｄには、対象空間Ｒに関する各種情報が記憶されている。
【０１１０】
空間情報記憶領域３４ｄには、例えば温度分布データ生成システム１００の導入時に、入力部３２を介して入力された対象空間Ｒに関する各種情報が記憶される。
【０１１１】
空間情報記憶領域３４ｄに記憶される対象空間Ｒに関する各種情報には、例えば、対象空間Ｒの仕様に関する情報が含まれる。対象空間Ｒの仕様に関する情報には、対象空間Ｒが存在する建物の所在地、建設年、建物構造等に関する情報や、対象空間Ｒの面積や用途等の情報を含む。また、対象空間Ｒの仕様に関する情報には、対象空間Ｒの平面図も含まれる。また、対象空間Ｒに関する各種情報には、対象空間Ｒ内の、窓Ｗや扉Ｄの位置や、仕様に関する情報が含まれる。
【０１１２】
また、空間情報記憶領域３４ｄに記憶される対象空間Ｒに関する各種情報には、例えば、対象空間Ｒで使用される機器の仕様に関する情報が含まれる。なお、ここでは、対象空間Ｒで使用される機器は、対象空間Ｒのために用いられる機器を意味し、必ずしも対象空間Ｒ内に設置されている機器である必要はない。対象空間Ｒで使用される機器には、例えば、対象空間Ｒの暖房及び冷房を行う空調装置や、対象空間Ｒの換気を行う換気装置を含む。対象空間Ｒで使用される機器の仕様には、例えば、空調装置や換気装置の容量（能力）、型式等の情報を含む。
【０１１３】
また、空間情報記憶領域３４ｄに記憶される対象空間Ｒに関する各種情報には、例えば、対象空間Ｒの定員（対象空間Ｒにいることが想定される人数）に関する情報が含まれる。
【０１１４】
なお、ここで示した対象空間Ｒに関する情報は例示であって、これに限定されるものではない。例えば、空間情報記憶領域３４ｄには、上記以外の情報が記憶されていてもよく、上記の情報の一部が記憶されていなくてもよい。
【０１１５】
（２−２−４−５）改善策記憶領域
改善策記憶領域３４ｅには、後述する改善提案生成部３５ｂが、対象空間Ｒの温度分布状況に関し改善提案を生成するための情報が記憶されている。例えば、改善策記憶領域３４ｅには、対象空間Ｒ内のエリア別に、改善提案を生成するための情報が記憶されている。例えば、改善策記憶領域３４ｅには、対象空間Ｒの窓Ｗに隣接するエリアに対して改善提案を生成するための情報や、対象空間Ｒに設置された空調室内機９０の近傍のエリアに対して改善提案を生成するための情報等が記憶されている。
【０１１６】
改善策記憶領域３４ｅには、改善提案を生成するための情報が予め記憶されている。ただし、これに限定されるものではなく、改善策記憶領域３４ｅに記憶される情報は、例えば入力部３２を介して、更新可能に構成されていてもよい。
【０１１７】
（２−２−５）処理部
処理部３５は、記憶部３４に記憶されているプログラムを実行することで、各種処理を実行する。
【０１１８】
例えば、処理部３５は、記憶部３４に記憶されているプログラムを実行することで、対象空間Ｒの温度分布状況に関し改善が必要な要改善領域（改善が必要な可能性のある領域を含む）を検出する。また、処理部３５は、検出した要改善領域に対し、温度分布状況に関する改善提案を生成する。
【０１１９】
具体的には、処理部３５は、温度分布データ記憶領域３４ａに記憶されている温度分布データと、人間分布データ記憶領域３４ｂに記憶されている人間分布データと、外気温記憶領域３４ｃに記憶されている外気温とを適宜用いて、対象空間Ｒにおいて、温度分布状況に関して改善が必要な要改善領域（改善が必要な可能性がある領域を含む）を検出する。また、処理部３５は、対象空間Ｒ内の温度分布状況に関して改善が必要な要改善領域（対象空間Ｒの一部又は全部）に対して、温度分布状況に関する改善提案を生成する。
【０１２０】
なお、処理部３５により検出された要改善領域の位置に関する情報や、要改善領域に対する温度分布状況に関しての改善提案は、出力部３３を介して提示される。
【０１２１】
処理部３５は、サブ機能部として、領域検出部３５ａと、改善提案生成部３５ｂと、を有する。
【０１２２】
（２−２−５−１）領域検出部
領域検出部３５ａは、対象空間Ｒにおいて、温度分布状況に関して改善が必要な要改善領域（温度分布状況に関して改善が必要な可能性がある領域を含む）を検出する。
【０１２３】
例えば、領域検出部３５ａは、温度分布データ記憶領域３４ａに記憶されている温度分布データに基づき、要改善領域として、第１領域の一例としてのピーク領域を検出する。ピーク領域とは、対象空間Ｒにおいて定常温度がピークを示す領域である。より具体的には、ピーク領域は、対象空間Ｒにおいて、定常温度が、局所的に、隣接する領域に対して大きく変化する領域である。
【０１２４】
また、例えば、領域検出部３５ａは、温度分布データ記憶領域３４ａに記憶されている温度分布データと、人間分布データ記憶領域３４ｂに記憶されている人間分布データと、に基づき、要改善領域として、第２領域の一例としての過剰空調領域を検出する。過剰空調領域とは、対象空間Ｒにおいて、人間が不在で、かつ、空調が過剰な領域である。
【０１２５】
また、例えば、領域検出部３５ａは、人間分布データ記憶領域３４ｂに記憶されている人間分布データに基づいて、要改善領域として、過剰換気注意領域を検出する。過剰換気注意領域は、対象空間Ｒにおいて、換気が過剰となる可能性が高い領域である。
【０１２６】
また、例えば、領域検出部３５ａは、外気温記憶領域３４ｃに記憶されている外気温に基づいて、要改善領域として、空調停止可能領域を検出する。空調停止可能領域は、対象空間Ｒにおいて、窓Ｗを開けて自然換気を行うことで、空調装置を停止可能な領域である。なお、空調停止可能領域には、空調装置の運転を完全に停止可能な領域だけではなく、空調室内機９０からの調和空気の供給を停止可能な領域（空調室内機９０の一部の吹出口を閉じることで、調和空気の供給を停止可能な領域）も含む。
【０１２７】
また、例えば、領域検出部３５ａは、温度分布データ記憶領域３４ａに記憶されている温度分布データと、外気温記憶領域３４ｃに記憶されている外気温と、に基づいて、要改善領域として、断熱性能不良領域を検出する。断熱性能不良領域は、対象空間Ｒにおいて、壁や窓Ｗ等の断熱性能が不十分と判断される領域である。
【０１２８】
領域検出部３５ａによる各領域の検出処理については後述する。
【０１２９】
（２−２−５−２）改善提案生成部
改善提案生成部３５ｂは、領域検出部３５ａにより検出された対象空間Ｒ内の要改善領域に対し、温度分布状況に関する改善提案を生成する。改善提案生成部３５ｂにより生成された改善提案は、出力部３３を介して提示される。改善提案生成部３５ｂによる改善提案の生成処理については後述する。
【０１３０】
（３）赤外線センサユニットの動作
赤外線センサユニット２０の動作について説明する。
【０１３１】
赤外線センサユニット２０のセンサ部２１は、複数の時点において（ここでは３秒毎に）熱画像データを取得する。赤外線センサユニット２０のユニット処理装置２２のユニット処理部２５は、所定時間毎に（ここでは１分毎に）、複数の熱画像データから、温度分布データを抽出する（温度分布データを生成する）。また、ユニット処理部２５は、所定時間毎に（ここでは１分毎に）、熱画像データから、人間分布データを抽出する（人間分布データを生成する）。赤外線センサユニット２０は、所定時間毎に（ここでは１分毎に）、ユニット通信部２３を介して、コンピュータ３０に温度分布データ及び人間分布データを送信する。
【０１３２】
なお、コンピュータ３０は、コンピュータ３０が１分毎に温度分布データを受信すると、記憶部３４の温度分布データ記憶領域３４ａ及び人間分布データ記憶領域３４ｂに、これらを記憶する。つまり、記憶部３４は、センサ部２１が熱画像データを取得する頻度（３秒毎）よりも少ない頻度（１分毎）で、温度分布データを記憶する。
【０１３３】
なお、ここで示したセンサ部２１の熱画像データの取得頻度や、ユニット処理部２５の温度分布データ及び人間分布データの生成頻度や、赤外線センサユニット２０の温度分布データ及び人間分布データの送信頻度は、例示であり、これに限定されるものではない。
【０１３４】
赤外線センサユニット２０の具体的な動作について、図４のフローチャートを用いて説明する。
【０１３５】
赤外線センサユニット２０の動作の制御では、後述するように、２つの時間カウンタＴ１、Ｔ２が所定時間をカウントしたか否かにより、所定の動作を実行するか否かが判断される。赤外線センサユニット２０に電源が投入されると、ステップＳ０では、０にリセットされている時間カウンタＴ１、Ｔ２のカウントが開始される。
【０１３６】
ステップＳ１では、センサ部２１が熱画像データを取得する。センサ部２１により取得された熱画像データは、その熱画像データの取得時刻と共に、ユニット処理装置２２のユニット記憶部２４に記憶される。
【０１３７】
図５は、センサ部２１により取得される熱画像データの一例である。図５は、図２に示した対象空間Ｒ（人間が図２に丸印で描画されている位置にいる対象空間Ｒ）の温度分布を測定して取得された熱画像データである。図５は、暖房時に対象空間Ｒの温度分布を測定することで得られる熱画像データの一例である。
【０１３８】
図５は、対象空間Ｒに対して得られる熱画像データに、温度の異なる画素が存在することを示すための図であり、ここではハッチングの種類により、相対的な温度の分布を描画している。実際には、熱画像データの各画素は、温度の値を情報として有している。図５では、温度が相対的に高い画素を、ドットを付して描画している。ここでは、ドットの密度が高い画素ほど、その画素の温度が比較的高いことを意味している。また、図５では、温度が相対的に低い画素を、斜線を付して描画している。ここでは、斜線の間隔が狭い画素ほど、その画素の温度が比較的低いことを意味している。ドットも斜線も付されていない画素は、相対的に中間的な温度であることを意味している。図５では、人間がいる位置に対応する画素、及び、その画素に隣接する画素に、温度が相対的に高いことを示すドットが付されている。また、対象空間Ｒに設けられた窓Ｗの周辺に対応する画素に、温度が相対的に低いことを示す斜線が付されている。
【０１３９】
ステップＳ２では、時間カウンタＴ２の値が１分であるか否かが判定される。つまり、ステップＳ２では、０にリセットされた時間カウンタＴ２がカウントを開始してから、１分が経過したか否かが判定される。ステップＳ２で、時間カウンタＴ２の値が１分であると判定されるとステップＳ５及びステップＳ６に進む。一方、ステップＳ２で、時間カウンタＴ２の値が１分ではない（１分に達していない）と判定されると、ステップＳ３に進む。
【０１４０】
ステップＳ３では、時間カウンタＴ１の値が３秒であるか否かが判定される。つまり、ステップＳ３では、０にリセットされた時間カウンタＴ１がカウントを開始してから、３秒が経過したか否かが判定される。ステップＳ３は、時間カウンタＴ１の値が３秒であると判定されるまで繰り返し実行される。ステップＳ３で、時間カウンタＴ１の値が３秒であると判定されると、ステップＳ４に進む。
【０１４１】
ステップＳ４では、時間カウンタＴ１の値が０にリセットされ、再度カウントを開始する。その後、ステップＳ１へと戻る。
【０１４２】
ステップＳ５では、時間カウンタＴ１及びＴ２の値が０にリセットされ、再度カウントを開始する。その後、ステップＳ１へと戻る。
【０１４３】
ステップＳ６では、温度分布データ及び人間分布データの生成処理のため、ユニット記憶部２４に記憶されている熱画像データが読み出される。具体的には、ユニット記憶部２４に記憶されている熱画像データのうち最も古い情報から順に、１分間分の熱画像データが読み出される。上記のように、センサ部２１は３秒毎に熱画像データを取得しているため、ステップＳ６では、２０個の（複数の時点における）熱画像データがユニット記憶部２４から読み出される。
【０１４４】
なお、ステップＳ６の処理と、後述するステップＳ７〜ステップＳ１１の処理とは、ステップＳ１〜ステップＳ４の処理と独立して実行される。つまり、ステップＳ６〜ステップＳ１１の処理が行われている間にも、センサ部２１により熱画像データが取得される。
【０１４５】
ステップＳ６の終了後、ステップＳ７及びステップＳ９へと進む。ステップＳ７及びステップＳ８と、ステップＳ９と、は並行して実行される。
【０１４６】
ステップＳ７及びステップＳ８では、熱画像データから、対象空間Ｒに存在する人間の影響を取り除いて、対象空間Ｒの定常温度の分布を示す温度分布データを抽出する処理が行われる。
【０１４７】
まず、ステップＳ７では、温度分布データ抽出部２５ａは、ステップＳ６でユニット記憶部２４から読み出された熱画像データに含まれる時間的な温度ピークを示す画素を、人間の影響を示す画素と判断し、人間の影響を示す画素の値を排除することで、人間の影響を取り除く。具体的には、ステップＳ７では、温度分布データ抽出部２５ａは、時間ピーク排除熱画像データ生成処理を実行する。
【０１４８】
温度分布データ抽出部２５ａが実行する時間ピーク排除熱画像データ生成処理について、具体的に説明する。
【０１４９】
温度分布データ抽出部２５ａは、ユニット記憶部２４から読み出された、所定期間に（１分間に）、複数の時点において（３秒毎に）取得された熱画像データの、各画素の値（各画素の温度の値）の時系列的な最小値を、各画素の所定期間における温度を表す値とする時間ピーク排除熱画像データを生成する。
【０１５０】
図６を用いて、時間ピーク排除熱画像データの生成処理について具体的に説明する。なお、各熱画像データは、上記のように２５６画素の画像データであるが、図６では、その内の１つの画素のみに着目している。
【０１５１】
温度分布データ抽出部２５ａは、ステップＳ６でユニット記憶部２４から読み出された、全ての（２０個の）熱画像データの、対象空間Ｒの同じ位置（領域）を示す画素について、温度の値を把握する。例えば、温度分布データ抽出部２５ａは、図６の上段のように、対象空間Ｒの同じ位置を示す画素の、２０個の温度の値（２５．１，２５．１，２８．１，２５．０，・・・２５．０）を把握する。そして、温度分布データ抽出部２５ａは、２０個の温度の値の比較を行い、図６の下段のように、最小値（ここでは２５．０）を把握する。温度分布データ抽出部２５ａは、このような処理を２５６画素全てについて行うことで、各画素の最小値を把握し、その最小値を各画素の温度の値とする１の熱画像データを生成する。このようにして生成される熱画像データを、時間ピーク排除熱画像データと呼ぶ。
【０１５２】
対象空間Ｒ内を人間が移動した場合、センサ部２１により３秒毎に取得される複数の熱画像データの、人間が通った進路上の位置に対応する画素には、温度の値が一時的に高温になる（時間的に温度ピークを示す）画素が含まれる場合がある。ここでは、温度分布データ抽出部２５ａが、時間ピーク排除熱画像データの生成処理を行うことで、一時的な温度ピークを（例えば、図６であれば、上段の左から３番目に描画された時点で見られる２８．１℃という温度の一時的な上昇）を排除できる。そのため、温度分布データ抽出部２５ａが、時間ピーク排除熱画像データの生成処理を行うことで、人間の影響を取り除いた、より具体的には、特に対象空間Ｒ内を移動する人間の影響を取り除いた温度分布データを抽出することが可能となる。
【０１５３】
ステップＳ７で時間ピーク排除熱画像データが生成された後、ステップＳ８へと進む。
【０１５４】
ステップＳ８では、温度分布データ抽出部２５ａは、熱画像データに含まれる空間的な温度ピークを示す画素を、人間の影響を示す画素と判断し、人間の影響を示す画素の値を排除することで、人間の影響を取り除く。具体的には、ステップＳ８では、温度分布データ抽出部２５ａは、ステップＳ７で生成された時間ピーク排除熱画像データに含まれる空間的な温度ピークを示す画素を、人間の影響を示す画素と判断し、人間の影響を示す画素の値を排除することで、人間の影響を取り除く。より具体的には、ステップＳ８では、温度分布データ抽出部２５ａは、空間ピーク排除熱画像データ生成処理を実行する。
【０１５５】
温度分布データ抽出部２５ａが実行する空間ピーク排除熱画像データ生成処理について、具体的に説明する。
【０１５６】
まず、温度分布データ抽出部２５ａは、ステップＳ７で熱画像データを基に生成された時間ピーク排除熱画像データを構成する１６列×１６列（２５６個）の画素を、近接する複数の画素からなる区画に区分けする処理を行う。例えば、温度分布データ抽出部２５ａは、ステップＳ７で取得された時間ピーク排除熱画像データの１６列×１６列の画素を、４列×４列の１６個の画素を１つの区画として、１６個の区画に区分けする。（図７参照）。
【０１５７】
次に、温度分布データ抽出部２５ａは、各区画に含まれる画素の値（温度の値）の最小値を、各区画に含まれる画素の温度を表す値とする、空間ピーク排除熱画像データを生成する。
【０１５８】
図８を用いて、空間ピーク排除熱画像データの生成処理について具体的に説明する。なお、時間ピーク排除熱画像データは、温度分布データ抽出部２５ａにより図７のように１６個の区画に区分けされるが、図８では、その内の１つの区画のみに着目している。
【０１５９】
温度分布データ抽出部２５ａは、時間ピーク排除熱画像データの１つの区画に含まれる１６個の画素について、温度の値を把握する。例えば、温度分布データ抽出部２５ａは、図８の上段のように、区画内の１６個の画素の温度の値（２５．０，２５．２，２５．０，２５．０，２５．１，２８．１，２６．２,・・・）を把握する。そして、温度分布データ抽出部２５ａは、１６個の温度の値の比較を行い、図８の下段のように、最小値（ここでは２５．０）をこの区画の温度の値（この区画に含まれる画素の温度の値）として把握する。温度分布データ抽出部２５ａは、このような処理を全ての区画（１６区画）について行う。そして、温度分布データ抽出部２５ａは、全ての区画の温度を把握することで、４列×４列の区画で構成される、１の空間ピーク排除熱画像データを生成する。この空間ピーク排除熱画像データが、熱画像データから抽出される温度分布データである。
【０１６０】
所定時間（ここでは１分間）、対象空間Ｒ内のある位置（熱画像データのある画素に対応する位置）に人間が留まっている場合、例えば人間が椅子に座って作業をしている場合を考える。この場合、時間ピーク排除熱画像データには、人間の位置に対応する画素に（場合によっては、更にその画素に近接する画素に）、周辺の画素に比べ局所的に温度の値が大きな（空間的な温度ピークを示す）画素が現れる。ここでは、温度分布データ抽出部２５ａが、空間ピーク排除熱画像データの生成処理を行うことで、空間的な温度ピーク（例えば、図８の上段の例であれば、中央部左上側の２８．１℃という周辺の温度に対して局所的に大きな値）を排除できる。そのため、温度分布データ抽出部２５ａが、空間ピーク排除熱画像データの生成処理を行うことで、人間の影響を取り除いた、より具体的には、特に対象空間Ｒ内の同じ位置で所定時間（ここでは１分間）静止している人間の影響を取り除いた温度分布データを抽出できる。
【０１６１】
図９は、温度分布データ抽出部２５ａにより生成される空間ピーク排除熱画像データ（温度分布データ抽出部２５ａにより抽出された温度分布データ）の一例である。なお、温度分布データでは、各区画が温度の値を情報として有している。図９では、対象空間Ｒの窓Ｗに隣接する位置に、相対的に温度が低い区画が存在する。温度分布データからは、人間の影響が取り除かれているため、温度分布データには、人間の存在を表す相対的に温度が高い区画は存在しない（図９参照）。
【０１６２】
ステップＳ９では、人間分布データ抽出部２５ｂが、ステップＳ６でユニット記憶部２４から読み出された２０個の熱画像データのそれぞれについて、人間分布データの抽出処理を実行する。具体的には、人間分布データ抽出部２５ｂは、人間の温度が、対象空間Ｒの空気の温度よりも相対的に高く現れる事を利用して、各熱画像データから、対象空間Ｒに存在する人間の位置を特定し、人間の分布を示す人間分布データを抽出する。その結果、人間分布データ抽出部２５ｂは、２０個の（３秒毎の）人間分布データを生成する。
【０１６３】
図１０は、人間分布データ抽出部２５ｂにより生成される人間分布データの一例である。図１０は、図２に示した対象空間Ｒの（人間が図２に丸印で描画されている位置にいる場合の）、人間分布データを表している。斜線を示した画素が人間の存在を示す画素である。なお、人間分布データには、温度の情報は含まれていない。
【０１６４】
ステップＳ１０では、ユニット処理部２５は、ユニット通信部２３を介して、ステップＳ８で抽出された空間ピーク排除熱画像データを、対象空間Ｒの定常温度の分布を示す温度分布データとしてコンピュータ３０に送信する。なお、コンピュータ３０に対して送信される温度分布データは、その温度分布データの取得時刻と関連付けられた情報である。言い換えれば、コンピュータ３０に対して送信される温度分布データは、その温度分布データの取得時刻の情報を含むデータである。なお、温度分布データの取得時刻は、例えば、その温度分布データを抽出するために用いられた複数の熱画像データの中で、最先に取得された熱画像データの取得時刻と定められる。コンピュータ３０は、コンピュータ３０が受信した温度分布データを、時系列の温度分布データとして、記憶部３４の温度分布データ記憶領域３４ａに記憶する。
【０１６５】
また、ステップＳ１０では、ユニット処理部２５は、ユニット通信部２３を介して、ステップＳ９で抽出された複数の（２０個の）人間分布データを、コンピュータ３０に送信する。なお、コンピュータ３０に対して送信される各人間分布データは、その人間分布データの取得時刻と関連付けられた情報である。言い換えれば、コンピュータ３０に対して送信される人間分布データは、その人間分布データの取得時刻に関する情報を含むデータである。なお、人間分布データの取得時刻は、例えば、各人間分布データを抽出するために用いられた熱画像データの取得時刻と定められる。コンピュータ３０は、コンピュータ３０が受信した複数の人間分布データを、時系列の人間分布データとして、記憶部３４の人間分布データ記憶領域３４ｂに記憶する。
【０１６６】
なお、ユニット処理装置２２から送信され、記憶部３４に記憶される温度分布データ及び人間分布データは、データ圧縮されている。データ圧縮されることで、ユニット処理装置２２からコンピュータ３０へのデータの送信時間が短縮される。また、データが記憶される記憶部３４の記憶容量も抑制することができる。
【０１６７】
その後、ステップＳ１１では、温度分布データ及び人間分布データの抽出処理が終了した熱画像データが、ユニット記憶部２４から消去される。
【０１６８】
ステップＳ６〜ステップＳ１１の処理は、再び時間カウンタＴ２が１分になったとステップＳ２で判定された時に実行される。
【０１６９】
なお、ここで説明した赤外線センサユニット２０の動作は、赤外線センサユニット２０の動作の一例であって、これに限定されるものではない。
【０１７０】
例えば、ここでは、ステップＳ７及びステップＳ８と、ステップＳ９と、は並行して実行されるが、これに限定されるものではなく、ステップＳ７及びステップＳ８の実行後にステップＳ９が実行されてもよい。
【０１７１】
また、例えば、ステップＳ９は、１分経過後に実行される必要はなく、センサ部２１が熱画像データを取得するたびに人間分布データが生成されてもよい。さらに、この場合には、人間分布データは、ステップＳ１０でまとめてコンピュータ３０に送信される代わりに、人間分布データが生成されるたびにコンピュータ３０に送信されるように構成されてもよい。
【０１７２】
また、例えば、ユニット記憶部２４の熱画像データは、ステップＳ１１で消去されなくてもよく、ユニット記憶部２４に記憶される熱画像データの量が、ユニット記憶部２４の記憶容量を超過する場合に、最先の熱画像データから順に消去されるように構成されてもよい。
【０１７３】
（４）コンピュータによる処理
コンピュータ３０が実行する、対象空間Ｒ内の温度分布状況に関して改善が必要な要改善領域の検出処理、及び、検出された要改善領域に対しての、温度分布状況に関する改善提案の生成処理について説明する。
【０１７４】
（４−１）要改善領域の検出処理
コンピュータ３０の領域検出部３５ａによる、対象空間Ｒ内の温度分布状況に関して改善が必要な要改善領域の検出処理について説明する。なお、要改善領域には、温度分布状況に関して改善が必要な可能性がある領域を含む。
【０１７５】
領域検出部３５ａは、ピーク領域、過剰空調領域、過剰換気注意領域、空調停止可能領域、及び断熱性能不良領域を、要改善領域として検出する処理を行う。
【０１７６】
領域検出部３５ａは、例えば、比較的高い頻度で（例えば、１分毎に）、ピーク領域、過剰空調領域、過剰換気注意領域、及び空調停止可能領域の検出処理を繰り返し実行する。また、領域検出部３５ａは、例えば、比較的低い頻度で（例えば、１日１回）、断熱性能不良領域の検出処理を繰り返し実行する。ただし、検出処理の実行される頻度は例示であり、これに限定されるものではない。また、領域検出部３５ａは、定期的に、要改善領域の検出処理を自動で実行するが、これに限定されるものではない。例えば、定期的に検出処理を実行することに代えて、あるいは、定期的に検出処理を実行することに加えて、温度分布データ生成システム１００のユーザから入力部３２に対して検出処理の実行要求があった時に、検出処理が実行されるように構成されてもよい。
【０１７７】
（ａ）ピーク領域の検出処理
領域検出部３５ａは、最新の温度分布データ（最後に温度分布データ記憶領域３４ａに書き込まれた温度分布データ）に基づき、対象空間Ｒにおいて定常温度がピークを示すピーク領域を検出する。ピーク領域は、第１領域の一例である。
【０１７８】
ピーク領域は、定常温度の分布を示す温度分布データ（温度分布データ抽出部２５ａにより生成される空間ピーク排除熱画像データ）において、隣接するいずれかの区画の温度に対し、温度が大きく変化する区画に対応する、対象空間Ｒ内の領域を意味する。具体的には、例えば、ピーク領域は、温度分布データにおいて、隣接するいずれかの区画の温度に対し、温度が０．５℃以上異なる区画に対応する、対象空間Ｒ内の領域を意味する。
【０１７９】
より具体的には、例えば、冷房運転時であれば、ピーク領域は、温度分布データにおいて、隣接するいずれかの区画の温度に対し、温度が０．５℃以上高い区画に対応する、対象空間Ｒ内の領域を意味する。また、例えば、暖房運転時であれば、ピーク領域は、温度分布データにおいて、隣接するいずれかの区画の温度に対し、温度が０．５℃以上低い区画に対応する、対象空間Ｒ内の領域を意味する。例えば、暖房運転中における温度分布データが、図９のような温度分布データであったとすれば、領域検出部３５ａは、図９の最下段の左から１番目及び２番目の区画に対応する対象空間Ｒ内の領域を、ピーク領域として検出する。
【０１８０】
例えば、このようにして検出されたピーク領域では、冷房時であればそこから冷気が逃げている、暖房時であればそこから暖気が逃げている可能性が考えられる。そのため、ピーク領域が把握されることで（ピーク領域の見える化が図られることで）、対象空間Ｒ内の温度分布状況に対して悪影響を及ぼす要因を特定することが容易となる。
【０１８１】
また、例えば、冷房運転時であれば、ピーク領域は、温度分布データにおいて、隣接するいずれかの区画の温度に対し、温度が０．５℃以上低い区画に対応する、対象空間Ｒ内の領域を意味してもよい。また、例えば、暖房運転時であれば、ピーク領域は、温度分布データにおいて、隣接するいずれかの区画の温度に対し、温度が０．５℃以上高い区画に対応する、対象空間Ｒ内の領域を意味してもよい。
【０１８２】
例えば、このようにして検出されたピーク領域では、冷房時であればそこに冷気が滞留している、暖房時であればそこに暖気が滞留している可能性が考えられる。そのため、ピーク領域が把握されることで（ピーク領域の見える化が図られることで）、対象空間Ｒ内の温度分布状況に対して悪影響を及ぼす要因を特定することが容易となる。
【０１８３】
なお、領域検出部３５ａは、冷房運転時に、温度分布データにおいて、隣接するいずれかの区画の温度に対し、温度が０．５℃以上高い区画に対応する領域及び温度が０．５℃以上低い区画に対応する領域の両方を、ピーク領域としてもよい。例えば、領域検出部３５ａは、冷房運転時に、温度分布データにおいて、隣接するいずれかの区画の温度に対し温度が０．５℃以上高く、かつ、温度が空調室内機９０の設定温度より高い領域と、隣接するいずれかの区画の温度に対し温度が０．５℃以上低く、かつ、温度が空調室内機９０の設定温度より低い領域と、を検出してもよい。
【０１８４】
また、領域検出部３５ａは、暖房運転時に、温度分布データにおいて、隣接するいずれかの区画の温度に対し、温度が０．５℃以上低い区画に対応する領域及び温度が０．５℃以上高い区画に対応する領域の両方を、ピーク領域としてもよい。例えば、領域検出部３５ａは、暖房運転時に、温度分布データにおいて、隣接するいずれかの区画の温度に対し温度が０．５℃以上低く、かつ、温度が空調室内機９０の設定温度より低い領域と、隣接するいずれかの区画の温度に対し温度が０．５℃以上高く、かつ、温度が空調室内機９０の設定温度より高い領域と、を検出してもよい。
【０１８５】
領域検出部３５ａによりピーク領域が検出されると、検出されたたピーク領域の位置情報が出力部３３に表示される。出力部３３には、例えば、空間情報記憶領域３４ｄに記憶された対象空間Ｒの平面図と、ピーク領域とを重ねて描画した画像が表示される。なお、ピーク領域を描画する方法としては、平面図のピーク領域に対応する部分を枠線で囲む、平面図のピーク領域に対応する部分を着色する、等の種々の方法を適用できる。ただし、出力部３３へのピーク領域の位置情報の表示方法は、これに限定されるものではない。例えば、「対象空間Ｒの北東側」等、文字によりピーク領域の位置情報を表示してもよい。
【０１８６】
なお、出力部３３には、ピーク領域の位置情報に加え、後述する改善提案生成部３５ｂにより生成される、ピーク領域に対する改善提案が同時に表示される。ピーク領域に対する改善提案の内容については後述する。
【０１８７】
（ｂ）過剰空調領域の検出処理
領域検出部３５ａは、最新の温度分布データ（最後に温度分布データ記憶領域３４ａに書き込まれた温度分布データ）と、直近１分間分の人間分布データ（最後に人間分布データ記憶領域３４ｂに書き込まれた温度分布データ）と、に基づき、過剰空調領域を検出する。過剰空調領域は、第２領域の一例である。過剰空調領域は、人間が不在であり、かつ、空調が過剰な領域である。
【０１８８】
領域検出部３５ａによる過剰空調領域の検出処理について具体的に説明する。
【０１８９】
まず、領域検出部３５ａは、人間分布データ記憶領域３４ｂに記憶されている直近１分間の複数の（ここでは２０個の）人間分布データに基づいて、以下のようにして人数分布図を生成する。人数分布図は、直近１分間に、対象空間Ｒ内の、どの位置に、どの程度の頻度で人間がいたかを把握可能な図である。
【０１９０】
人数分布図を生成するため、領域検出部３５ａは、初めに、図１０のように１６列×１６列の画素（２５６画素）から構成される人間分布データを、近接する複数の画素からなる区画に区分けする処理を行う。例えば、領域検出部３５ａは、人間分布データを、４列×４列の画素を１つの区画として、１６個の区画に区分けする。
【０１９１】
次に、領域検出部３５ａは、１６個の区画にグループ分けされた人間分布データに対し、各区画内に存在する人間の人数を把握する処理を行う。例えば、区画内に人間が検出されている画素が１つあれば、その区画内に存在する人間の人数を１人と把握し、区画内に人間が検出されている画素が２つあれば、その区画内に存在する人間の人数を２人と把握し、区画内に人間が検出されている画素がなければ、その区画内に存在する人間の人数を０人と把握する。領域検出部３５ａは、直近１分間の全ての人間分布データ（２０個の人間分布データ）に対して区画への区分けと、各区画内の人数の把握を行う。
【０１９２】
次に、領域検出部３５ａは、直近１分間の全ての人間分布データに対して行われた、各区画内の人数の算出結果を、区画毎に積算する。つまり、領域検出部３５ａは、直近１分間の複数の人間分布データを用いて、区画毎に、その区画に存在した延べ人数を算出する。
【０１９３】
そして、領域検出部３５ａは、この積算人数（延べ人数）を基に人数分布図を生成する。図１１は、人数分布図の一例である。図１１の人数分布図では、数字ではなく、ハッチングにより各区画に人間が存在した頻度を表現している。図１１において、斜線でハッチングされた区画は、過去１分間に人間がいた区画を表す。そして、区画に付されたハッチングの斜線の密度が高いほど、過去１分間にその区画にいた積算人数（延べ人数）が多いこと、つまり、その区画に人間が存在した頻度が高いことを表す。図１１において、ハッチングが付されていない区画は、過去１分間に人間がいなかったことを表す。
【０１９４】
人数分布図の生成後、領域検出部３５ａは、生成した４列×４列の区画からなる人数分布図と、４列×４列の区画からなる最新の温度分布データと、を重ね合わせる処理を行う。そして、領域検出部３５ａは、人数分布図において、過去１分間の積算人数（延べ人数）が０人の区画（つまり、過去１分間に人間が不在の区画）で、かつ、温度分布データの温度の値が所定の温度範囲内である区画、に対応する対象空間Ｒ内の領域を、過剰空調領域として検出する。なお、温度分布データの温度の値が所定の温度範囲内である区画とは、例えば、冷房時であれば２７℃以下の温度の区画を、暖房時であれば２１℃以上の温度の区画を意味する。
【０１９５】
領域検出部３５ａにより空調過剰領域が検出されると、検出された空調過剰領域の位置情報が出力部３３に表示される。出力部３３には、例えば、空調過剰領域の位置情報として、人数分布図と温度分布データとを重ね合わせた画像が表示される。また、例えば、出力部３３には、空間情報記憶領域３４ｄに記憶された対象空間Ｒの平面図と、空調過剰領域とを重ねて描画した画像が、空調過剰領域の位置情報として表示されてもよい。この場合、空調過剰領域を明示するため、空調過剰領域に対応する部分を枠線で囲む、空調過剰領域に対応する部分を着色する、等の種々の処理が適用されてもよい。
【０１９６】
ただし、出力部３３への空調過剰領域の位置情報の表示方法は、これに限定されるものではない。例えば、「対象空間Ｒの北東側」等、文字により空調過剰領域の位置情報を表示してもよい。
【０１９７】
なお、出力部３３には、空調過剰領域の位置情報に加え、後述する改善提案生成部３５ｂにより生成される、空調過剰領域に対する改善提案が同時に表示される。空調過剰領域に対する改善提案の内容については後述する。
【０１９８】
（ｃ）過剰換気注意領域の検出処理
領域検出部３５ａは、直近１分間分の人間分布データ（最後に人間分布データ記憶領域３４ｂに書き込まれた人間分布データ）に基づき、過剰換気注意領域を検出する。
【０１９９】
過剰換気注意領域は、対象空間Ｒにおいて、換気が過剰となる可能性の高い領域である。具体的には、過剰換気注意領域は、その領域にいることが期待される人間の数（例えば、その領域の定員）に対して、実際にその領域にいる人間の人数が所定割合より低い領域を意味する。過剰換気注意領域では、その領域にいることが期待される人間の数に合わせた換気量で換気を行った場合、不必要に換気が行われることとなる。
【０２００】
領域検出部３５ａによる過剰換気注意領域の具体的な検出処理について説明する。
【０２０１】
領域検出部３５ａは、まず、人間分布データ記憶領域３４ｂに記憶されている直近１分間の複数の（ここでは２０個の）人間分布データに基づいて、人数分布図を生成する。人数分布図の生成処理については、（ｂ）空調過剰領域の検出処理の中で示したとおりであるので、ここでは説明を省略する。
【０２０２】
次に、領域検出部３５ａは、所定値に対する、人数分布図の各区画の積算人数（延べ人数）の割合を算出する。所定値は、例えば、その区画にいることが想定されている人数（例えば、空間情報記憶領域３４ｄに記憶されている対象空間Ｒの定員を、人数分布図の区画数で除した値）に、１分間に取得される人間分布データの数（ここでは２０）を乗じた数である。
【０２０３】
領域検出部３５ａは、例えば、ある区画に対して算出される、所定値に対する積算人数の割合が、５０％を下回る場合に、この区画に対応する対象空間Ｒの領域を、換気過剰注意領域として検出する。
【０２０４】
領域検出部３５ａにより過剰換気注意領域が検出されると、検出された過剰換気注意領域の位置情報が出力部３３に表示される。出力部３３には、例えば、空間情報記憶領域３４ｄに記憶された対象空間Ｒの平面図と、過剰換気注意領域とを重ねて描画した画像が、過剰換気注意領域の位置情報として表示される。例えば、出力部３３には、対象空間Ｒの平面図上に、過剰換気注意領域に対応する部分が枠線で囲まれて、あるいは、過剰換気注意領域に対応する部分が着色されて、表示される。ただし、出力部３３への過剰換気注意領域の位置情報の表示方法は、これに限定されるものではない。例えば、「対象空間Ｒの北東側」等、文字により過剰換気注意領域の位置情報を表示してもよい。
【０２０５】
なお、出力部３３には、過剰換気注意領域の位置情報に加え、後述する改善提案生成部３５ｂにより生成される、過剰換気注意領域に対する改善提案が同時に表示される。過剰換気注意領域に対する改善提案の内容については後述する。
【０２０６】
なお、ここでは、領域検出部３５ａは、人数分布図の区画毎に過剰換気注意領域であるか否かの判定を行っているが、これに限定されるものではない。領域検出部３５ａは、対象空間Ｒ全体を対象として、対象空間Ｒが過剰換気注意領域であるか否かの判定を行ってもよい。
【０２０７】
（ｄ）空調停止可能領域の検出処理
領域検出部３５ａは、最新の外気温（最後に外気温記憶領域３４ｃに書き込まれた外気温）に基づいて、空調停止可能領域を検出する。
【０２０８】
空調停止可能領域は、対象空間Ｒにおいて、窓Ｗを開けて自然換気を行うことで、空調装置を停止可能な領域である。なお、空調停止可能領域には、空調装置の運転を完全に停止可能な領域だけではなく、空調室内機９０からの調和空気の供給を停止可能な領域（空調室内機９０の一部の吹出口を閉じることで、調和空気の供給を停止可能な領域）も含む。
【０２０９】
領域検出部３５ａによる、空調停止可能領域の検出処理について、具体的に説明する。
【０２１０】
領域検出部３５ａは、まず、最新の外気温が、窓を開けることで省エネが実現できる温度範囲であるか否かを判定する。具体的には、領域検出部３５ａは、最新の外気温が、１５℃〜２８℃の範囲内であるかを判定する。領域検出部３５ａは、最新の外気温が１５℃〜２８℃の範囲から外れる場合には、窓開けにより省エネが実現できないと判断し、空調停止可能領域の検出処理を終了する。一方、領域検出部３５ａは、直近の外気温が１５℃〜２８℃の範囲内である場合には、以下の処理を実行する。
【０２１１】
次に、領域検出部３５ａは、最新の外気温が、所定の設定値以上であるか否かを判定する。例えば、所定の設定値は２４℃である。
【０２１２】
領域検出部３５ａは、最新の外気温が所定の設定値未満であると判定する場合、つまり外気温が１５℃〜２４℃の範囲である場合には、対象空間Ｒ全体を空調停止可能領域として検出する。
【０２１３】
一方、領域検出部３５ａは、最新の外気温が所定の設定値以上と判定する場合、つまり外気温が２４℃以上２８℃未満の範囲である場合には、対象空間Ｒの窓際だけを空調停止可能領域として検出する。より具体的には、領域検出部３５ａは、空間情報記憶領域３４ｄに記憶されている対象空間Ｒの窓Ｗの位置に関する情報を用いて、空調停止可能領域を検出する。
【０２１４】
領域検出部３５ａにより空調停止可能領域が検出されると、検出された空調停止可能領域の位置情報が出力部３３に表示される。出力部３３には、例えば、空間情報記憶領域３４ｄに記憶された対象空間Ｒの平面図と、空調停止可能領域とを重ねて描画した画像が、空調停止可能領域の位置情報として表示される。例えば、出力部３３には、対象空間Ｒの平面図上に、空調停止可能領域に対応する部分が枠線で囲まれて、あるいは、空調停止可能領域に対応する部分が着色されて、表示される。ただし、出力部３３への過剰換気注意領域の位置情報の表示方法は、これに限定されるものではない。例えば、「対象空間Ｒ全体」等、文字により空調停止可能領域の位置情報を表示してもよい。
【０２１５】
なお、出力部３３には、空調停止可能領域の位置情報に加え、後述する改善提案生成部３５ｂにより生成される、空調停止可能領域に対する改善提案が同時に表示される。空調停止可能領域に対する改善提案の内容については後述する。
【０２１６】
（ｅ）断熱性能不良領域の検出処理
領域検出部３５ａは、温度分布データ記憶領域３４ａに記憶された温度分布データと、外気温記憶領域３４ｃに記憶されている外気温と、に基づいて、断熱性能不良領域を検出する。断熱性能不良領域は、対象空間Ｒにおいて、断熱性能が不十分と判断される領域である。
【０２１７】
領域検出部３５ａによる断熱性能不良領域の検出処理について、具体的に説明する。
【０２１８】
まず、断熱性能不良領域の検出処理に用いられる、温度分布データにおける、ある区画（ここでは仮に区画Ｌと呼ぶ）に対応する、対象空間Ｒの領域の熱貫流率の算出方法について説明する。領域検出部３５ａは、ある時刻Ｊ１の時点の、温度分布データにおける、ある区画Ｌの熱貫流率を、時刻Ｊ１の温度分布データの区画Ｌの温度の値と、時刻Ｊ１の１時間前の時刻Ｊ２の温度分布データの区画Ｌの温度の値と、時刻Ｊ２の外気温と、を用いて、温度分布データの各区画に対応する対象空間Ｒの領域の熱貫流率を算出する。具体的には、領域検出部３５ａは、時刻Ｊ１の、区画Ｌに対応する対象空間Ｒの領域の熱貫流率を、以下の数式１により算出する。なお、数式１中の空気密度は、予め記憶部３４に記憶された設定値である。
【０２１９】
<<数式１>>時刻Ｊ１の温度分布データの区画Ｌに対応する対象空間Ｒの領域の熱貫流率＝（時刻Ｊ１の温度分布データの区画Ｌの温度の値−時刻Ｊ２の温度分布データの区画Ｌの温度の値）×空気密度／（時刻Ｊ２の外気温−時刻Ｊ２の温度分布データの区画Ｌの温度の値）
【０２２０】
領域検出部３５ａは、温度分布データの各区画に対応する対象空間Ｒの領域に対し、数式１のＪ１の値を変化させながら、直近の２４時間について熱貫流率を算出する。ただし、領域検出部３５ａは、計算誤差を低減するため、（時刻Ｊ２の外気温−時刻Ｊ２の温度分布データの区画Ｌの温度の値）の計算結果が５℃以下である場合には、熱貫流率を算出しない。領域検出部３５ａは、算出された最大２４時間分の熱貫流率の値を用いて、区画別に、熱貫流率の平均値を算出する。
【０２２１】
領域検出部３５ａは、算出された熱貫流率の平均値の値が所定値（例えば、８．３）以上の温度分布データの区画に対応する対象空間Ｒの領域を、断熱性能不良領域として検出する。
【０２２２】
領域検出部３５ａにより断熱性能不良領域が検出された場合には、検出された断熱性能不良領域の位置情報が出力部３３に表示される。出力部３３には、例えば、空間情報記憶領域３４ｄに記憶された対象空間Ｒの平面図と、断熱性能不良領域とを重ねて描画した画像が、断熱性能不良領域の位置情報として表示される。例えば、出力部３３には、対象空間Ｒの平面図上に、断熱性能不良領域に対応する部分が枠線で囲まれて、あるいは、断熱性能不良領域に対応する部分が着色されて、表示される。ただし、出力部３３への断熱性能不良領域の位置情報の表示方法は、これに限定されるものではない。例えば、「対象空間Ｒの北東側」等、文字により断熱性能不良領域の位置情報を表示してもよい。
【０２２３】
なお、出力部３３には、断熱性能不良領域の位置情報に加え、後述する改善提案生成部３５ｂにより生成される、断熱性能不良領域に対する改善提案が同時に表示される。断熱性能不良領域に対する改善提案の内容については後述する。
【０２２４】
（４−２）改善提案の生成処理
コンピュータ３０の改善提案生成部３５ｂによる、要改善領域に対する温度分布状況に関する改善提案の生成処理について説明する。なお、要改善領域は、上記のように、領域検出部３５ａにより対象空間Ｒ内の温度分布状況に関して改善が必要な（必要な可能性がある）領域として検出された領域である。
【０２２５】
改善提案生成部３５ｂは、ピーク領域、過剰空調領域、過剰換気注意領域、空調停止可能領域、及び断熱性能不良領域に対し、温度分布状況に関する改善提案を生成する。改善提案生成部３５ｂは、領域検出部３５ａによりピーク領域、過剰空調領域、過剰換気注意領域、空調停止可能領域、及び断熱性能不良領域が検出された場合に、各領域に対する改善提案を生成する。
【０２２６】
改善提案生成部３５ｂは、領域検出部３５ａによりピーク領域が検出された場合には、ピーク領域が検出された場所を特定する。そして、改善提案生成部３５ｂは、ピーク領域が検出された場所に応じた内容を、記憶部３４の改善策記憶領域３４ｅから読み出すことで、ピーク領域に対する改善提案を生成する。ピーク領域に対して生成される改善提案は、例えば、ピーク領域が対象空間Ｒの窓Ｗに隣接する領域である場合には、「窓を閉めて下さい。」、「ブラインドを閉めて下さい。」というような内容である。
【０２２７】
改善提案生成部３５ｂは、領域検出部３５ａにより過剰空調領域が検出された場合には、記憶部３４の改善策記憶領域３４ｅから読み出した情報で、過剰空調領域に対する改善提案を生成する。過剰空調領域に対して生成される改善提案は、例えば、「過剰空調領域に対して調和空気が供給されないよう、空調室内機の風向を調整して下さい。」、あるいは、「設定温度を上げて（下げて）下さい。」というような内容である。
【０２２８】
改善提案生成部３５ｂは、領域検出部３５ａにより過剰換気注意領域が検出された場合には、記憶部３４の改善策記憶領域３４ｅから読み出した情報で、過剰換気注意領域に対する改善提案を生成する。過剰換気注意領域に対して生成される改善提案は、例えば、「換気装置の運転（換気量）が適切か確認して下さい。」というような内容である。
【０２２９】
改善提案生成部３５ｂは、領域検出部３５ａにより空調停止可能領域が検出された場合には、記憶部３４の改善策記憶領域３４ｅから読み出した情報で、空調停止可能領域に対する改善提案を生成する。空調停止可能領域に対して生成される改善提案は、例えば、「窓を開けて下さい。空調装置を停止可能です。」、「窓を開けて下さい。空調停止可能領域に対する調和空気の供給を停止可能です。空調室内機の風向を調整して下さい。」というような内容である。
【０２３０】
さらに、改善提案生成部３５ｂは、外気温記憶領域３４ｃに記憶されている最新の外気温を、所定の設定値（例えば２０℃）と比較して、窓の開度に関する改善提案を生成する。改善提案生成部３５ｂは、外気温が設定値よりも低い場合には、「窓を半開にしてください。」という改善提案を生成する。改善提案生成部３５ｂは、外気温が設定値以上である場合には、「窓を全開にしてください。」という改善提案を生成する。
【０２３１】
改善提案生成部３５ｂは、領域検出部３５ａにより断熱性能不良領域が検出された場合には、断熱性能不良領域の位置を特定する。そして、改善提案生成部３５ｂは、断熱性能不良領域が検出された場所に応じた内容を、記憶部３４の改善策記憶領域３４ｅから読み出すことで、断熱性能不良領域に対する改善提案を生成する。断熱性能不良領域に対して生成される改善提案は、例えば、断熱性能不良領域が対象空間Ｒの窓に隣接する領域である場合には、「ブラインドを閉めて下さい。」というような内容である。また、例えば、断熱性能不良領域に対して生成される改善提案は、断熱性能不良領域が対象空間Ｒの壁に隣接する領域である場合には、例えば、「壁の断熱を見なおして下さい。」というような内容である。
【０２３２】
そして、処理部３５は、改善提案生成部３５ｂが生成した改善提案を、出力部３３を介して、温度分布データ生成システム１００のユーザに対して提示する。
【０２３３】
（５）特徴
（５−１）
本実施形態に係る温度分布データ生成システム１００は、取得部の一例としてのセンサ部２１と、抽出部の一例としてのユニット処理装置２２のユニット処理部２５と、を備える。センサ部２１は、対象空間Ｒの温度分布を測定して複数の画素から構成される熱画像データを複数の時点において取得する。ユニット処理部２５は、熱画像データから、対象空間Ｒに存在する人間の影響を取り除いて、対象空間Ｒの定常温度の分布を示す温度分布データを抽出する。
【０２３４】
ここでは、生成される温度分布データが、人間の影響が除去されたものであるため、対象空間Ｒの定常温度分布を正しく把握することができる。
【０２３５】
また、ここでは、生成される温度分布データからは人間の影響が除去されているため、温度分布データでは、元となる熱画像データに比べ、局所的に温度が急激に変化する部分を少なくすることが可能で、効率的にデータを圧縮することができる。そのため、温度分布データを記憶する記憶装置としてのコンピュータ３０の記憶部３４に必要とされる記憶容量を抑制することができる。また、温度分布データの送受信のためのデータ通信時間や、温度分布データのデータ処理時間を短縮することができる。
【０２３６】
（５−２）
本実施形態に係る温度分布データ生成システム１００では、ユニット処理部２５は、熱画像データに含まれる温度ピークを示す画素を、人間の影響を示す画素と判断し、人間の影響を示す画素の値を排除することで、人間の影響を取り除く。
【０２３７】
ここでは、熱画像データに含まれる温度ピークを示す画素の値を排除することで、熱画像データから人間の影響を取り除いた温度分布データが抽出されるため、対象空間Ｒの定常温度分布を正しく把握することができる。
【０２３８】
（５−３）
本実施形態に係る温度分布データ生成システム１００では、ユニット処理部２５の温度分布データ抽出部２５ａは、所定期間（ここでは１分間）に複数の時点において（ここでは３秒毎に）取得された熱画像データの、各画素の値の時系列的な最小値を、各画素の所定期間における温度を表す値とする時間ピーク排除熱画像データを生成することで、人間の影響を取り除いた温度分布データを抽出する。
【０２３９】
ここでは、人間の移動の影響により熱画像データに現れる、各画素の時間的な温度ピーク（一時的な温度上昇）の値が排除され、所定期間における温度分布データが抽出されるため、対象空間Ｒの定常温度分布を正しく把握することができる。
【０２４０】
また、ここでは、所定期間の複数の時点の熱画像データから時間ピーク排除熱画像データを生成することで、所定期間における温度分布データが抽出されるため、熱画像データをそのまま記憶する場合に比べ、記憶するデータの量を抑制可能である。
【０２４１】
（５−４）
本実施形態に係る温度分布データ生成システム１００では、ユニット処理部２５の温度分布データ抽出部２５ａは、熱画像データの近接する複数の画素からなる区画に含まれる画素の値の最小値を、区画に含まれる画素の温度を表す値とする空間ピーク排除熱画像データを生成することで、人間の影響を取り除いた温度分布データを抽出する。特に、ここでは、温度分布データ抽出部２５ａは、熱画像データから抽出された時間ピーク排除熱画像データの、近接する複数の画素からなる区画に含まれる画素の値の最小値を、区画に含まれる画素の温度を表す値とする空間ピーク排除熱画像データを生成することで、人間の影響を取り除いた温度分布データを抽出する。
【０２４２】
ここでは、人間の存在の影響により熱画像データ（特にここでは時間ピーク排除熱画像データ）に現れる空間的な温度ピーク（局所的な温度上昇）を示す画素の値が排除され、温度分布データが抽出されるため、対象空間Ｒの定常温度分布を正しく把握することができる。更に、ここでは、人間が存在する位置だけではなく、人間に近接する位置においても、人間の影響により熱画像データに現れる空間的な温度ピークを示す画素の値が排除されるため、対象空間Ｒの定常温度分布を正しく把握することが容易である。
【０２４３】
また、ここでは、熱画像データから、局所的な温度ピークを示す画素の値が排除されることで温度分布データが抽出されるため、温度分布データには局所的に温度が高い画素が出現しにくい。また、ここでは、１の区画に含まれる画素の温度の値は、全て同一とみなされる。そのため、温度分布データは、熱画像データよりも効率的に圧縮可能で、熱画像データをそのまま記憶する場合に比べ、記憶されるデータ量を抑制できる。
【０２４４】
（５−５）
本実施形態に係る温度分布データ生成システム１００は、ユニット処理部２５によって抽出された温度分布データを記憶する、コンピュータ３０の記憶部３４を備える。記憶部３４は、センサ部２１が熱画像データを取得する頻度よりも少ない頻度で、温度分布データを記憶する。
【０２４５】
ここでは、記憶部３４による温度分布データの記憶頻度が、センサ部２１による熱画像データの取得頻度よりも少ないため、取得した熱画像データをそのまま記憶する場合に比べ、記憶部３４へのデータの書き込み速度や、通信ネットワーク１０の通信速度が遅くてもよい。そのため、温度分布データ生成システム１００のコストを低減することができる。
【０２４６】
（５−６）
本実施形態に係る温度分布データ生成システム１００では、センサ部２１及びユニット処理部２５は、対象空間Ｒに設置される。コンピュータ３０の記憶部３４は、通信ネットワーク１０を介して、ユニット処理部２５と通信可能に接続されている。
【０２４７】
ここでは、記憶部３４を対象空間Ｒ以外の場所に設置することができる。
【０２４８】
（５−７）
本実施形態に係る温度分布データ生成システム１００では、ユニット処理部２５、より具体的にはユニット処理部２５の人間分布データ抽出部２５ｂは、熱画像データから、対象空間Ｒに存在する人間の分布を示す人間分布データを抽出する。
【０２４９】
ここでは、熱画像データから温度分布データに加えて人間分布データも抽出されるため、熱画像データから温度分布データだけを抽出する場合に比べ、様々な用途に熱画像データを活用できる。
【０２５０】
（５−８）
本実施形態に係る温度分布データ生成システム１００は、対象空間Ｒの温度分布状況に関し改善が必要な要改善領域を検出する領域検出部３５ａを備える。領域検出部３５ａは、温度分布データに基づき、対象空間Ｒにおいて定常温度がピークを示す第１領域の一例としてピーク領域を、要改善領域として検出する。
【０２５１】
ここでは、エネルギーの無駄が可視化され、温度分布データ生成システム１００のユーザ等が、温度分布状況に関し問題がある定常温度がピークを示すピーク領域が存在することを容易に認識可能である。
【０２５２】
（５−９）
本実施形態に係る温度分布データ生成システム１００は、対象空間Ｒの温度分布状況に関し改善が必要な要改善領域を検出する領域検出部３５ａを備える。領域検出部３５ａは、温度分布データ及び人間分布データに基づき、対象空間Ｒにおいて、人間が不在で、かつ、空調が過剰な第２領域の一例としての空調過剰領域を、要改善領域として検出する。
【０２５３】
ここでは、エネルギーの無駄が可視化され、温度分布データ生成システム１００のユーザ等が、人間が不在なのにも関わらず空調が過剰な空調過剰領域が存在することを容易に認識可能である。
【０２５４】
（５−１０）
本実施形態に係る温度分布データ生成システム１００は、要改善領域の温度分布状況に関する改善提案を生成する改善提案生成部３５ｂを備える。
【０２５５】
ここでは、要改善領域に対し、温度分布状況に関する改善提案が生成されるため、温度分布データ生成システム１００のユーザ等は、対象空間Ｒの温度分布状況を容易に改善することができる。
【０２５６】
（６）変形例
第１実施形態に係る温度分布データ生成システム１００には、矛盾のない範囲で、後述する第２、第３、第４実施形態に係る構成や、第２、第３、又は第４実施形態の変形例に係る構成が適用されてもよい。
【０２５７】
以下に第１実施形態の変形例を示す。以下の変形例は、互いに矛盾しない範囲で、他の変形例（第２、第３、又は第４実施形態の構成や、第２、第３、又は第４実施形態の変形例を含む）の一部又は全部と組合せて用いられてもよい。
【０２５８】
（６−１）変形例１Ａ
上記実施形態では、対象空間Ｒに、赤外線センサユニット２０が１台設置されているが、これに限定されるものではない。対象空間Ｒには、対象空間Ｒの広さ等に応じ、複数の赤外線センサユニット２０が設置されてもよい。コンピュータ３０は、複数の赤外線センサユニット２０が生成する温度分布データや人間分布データを記憶し、複数の赤外線センサユニット２０が生成した温度分布データや人間分布データに基づいて、上記のような処理を実行してもよい。
【０２５９】
（６−２）変形例１Ｂ
上記実施形態では、赤外線センサユニット２０のセンサ部２１の変換部２１ｂと、赤外線センサユニット２０のユニット処理装置２２とは、別々の機器により構成されるが、これに限定されるものではない。例えば、１の機器が、上記の変換部２１ｂ及びユニット処理装置２２の機能を両方備えてもよい。
【０２６０】
（６−３）変形例１Ｃ
上記実施形態では、センサ部２１は、サーモパイル型の赤外線センサアレイを有し、この赤外線センサアレイは、１６列×１６列（２５６個）の赤外線の検出素子２１ａ（サーモパイル）を有するが、これに限定されるものではない。例えば、センサ部２１は、サーモパイル型ではなく、焦電型の赤外線アレイを有するものであってもよい。また、赤外線センサアレイの検出素子２１ａの配列は、１６列×１６列（２５６個）以外の配列であってもよい。また、センサ部２１は、赤外線センサアレイにより対象空間Ｒ全体の熱画像データを一度に取得する代わりに、赤外線センサアレイを走査して、対象空間Ｒ全体の熱画像データを数回に分けて取得するように構成されてもよい。
【０２６１】
（６−４）変形例１Ｄ
上記実施形態では、赤外線センサユニット２０が有するユニット処理装置２２のユニット処理部２５が、温度分布データ及び人間分布データを抽出するが、これに限定されるものではない。例えば、コンピュータ３０が、センサ部２１が取得した熱画像データを受け付け、コンピュータ３０の処理部３５が、熱画像データから温度分布データ及び人間分布データを抽出する処理を行ってもよい。
【０２６２】
ただし、赤外線センサユニット２０からコンピュータ３０に熱画像データそのものを送信する場合、温度分布データ及び人間分布データを送信する場合に比べ、通信ネットワーク１０を介して送信されるデータ量が大きくなる。また、熱画像データは人間の影響を含んでいるため、データ圧縮の効率が悪い。そのため、赤外線センサユニット２０からコンピュータ３０に情報を送信するための通信時間が長くなりやすい。そのため、温度分布データ及び人間分布データの抽出は、対象空間Ｒに、センサ部２１と共に配置されているユニット処理装置２２が実行することが好ましい。
【０２６３】
（６−５）変形例１Ｅ
上記実施形態では、温度分布データ抽出部２５ａは、熱画像データから時間ピーク排除熱画像データを生成した後に、時間ピーク排除熱画像データから空間ピーク排除熱画像データを生成し、空間ピーク排除熱画像を温度分布データとして用いるが、これに限定されるものではない。
【０２６４】
例えば、温度分布データ抽出部２５ａは、熱画像データから時間ピーク排除熱画像データを生成し、これを温度分布データとして用いてもよい。この場合にも、熱画像データから、対象空間Ｒを移動する人間の影響を取り除いて、対象空間Ｒの定常温度の分布を示す温度分布データを抽出することができる。
【０２６５】
また例えば、温度分布データ抽出部２５ａは、熱画像データから空間ピーク排除熱画像データを生成し、これを温度分布データとして用いてもよい。言い換えれば、温度分布データ抽出部２５ａは、時間ピーク排除熱画像データではなく、ユニット記憶部２４に記憶されている熱画像データの近接する複数の画素からなる区画に含まれる画素の値の最小値を、区画に含まれる画素の温度を表す値とする空間ピーク排除熱画像データを生成し、人間分布データの影響を取り除いた温度分布データを抽出してもよい。空間ピーク排除熱画像データの生成処理だけを行う場合にも、熱画像データから、対象空間Ｒに存在する人間の影響を取り除いて、対象空間Ｒの定常温度の分布を示す温度分布データを抽出することができる。
【０２６６】
また例えば、温度分布データ抽出部２５ａは、熱画像データから空間ピーク排除熱画像データを生成した後に、空間ピーク排除熱画像データから時間ピーク排除熱画像データを生成し、生成した時間ピーク排除熱画像データを温度分布データとして用いてもよい。
【０２６７】
なお、より正確な対象空間Ｒの定常温度の分布を示す温度分布データを抽出するためには、温度分布データ抽出部２５ａは、熱画像データに対し、時間ピーク排除熱画像データの生成処理と、空間ピーク排除熱画像データの生成処理と、を両方実行することが好ましい。また、時間ピーク排除熱画像データの生成処理と、空間ピーク排除熱画像データの生成処理と、を両方実行することで、温度分布データの容量を削減し、かつ、データ圧縮を効率化することが容易である。
【０２６８】
（６−６）変形例１Ｆ
上記実施形態では、温度分布データ抽出部２５ａは、熱画像データから、対象空間Ｒに存在する人間の影響を取り除いて、対象空間Ｒに対して、各区画が温度の値を情報として持つ、４列×４列の区画から構成される温度分布データを抽出するが、これに限定されるものではない。例えば、温度分布データ抽出部２５ａは、熱画像データから、対象空間Ｒに対し、温度の値を情報として持つ、８列×８列の区画から構成される温度分布データ、あるいは、２列×２列の区画から構成される温度分布データを抽出するものであってもよい。
【０２６９】
ただし、１の区画に対応する対象空間Ｒの領域の面積を小さくし過ぎると熱画像データから人間の影響を取り除くことが難しくなる。また、１の区画に対応する対象空間Ｒの領域の面積を大きくし過ぎると、温度分布データから、対象空間Ｒ内の温度分布状況に関して改善が必要な領域を特定することが難しくなる。そのため、温度分布データを構成する区画の数は、人間の影響を取り除くことが可能で、対象空間Ｒ内の温度分布状況に関して改善が必要な領域を特定することが容易な程度に、適切に決定されることが好ましい。
【０２７０】
（６−７）変形例１Ｇ
上記実施形態では、温度分布データ抽出部２５ａは、所定期間に複数の時点において取得された熱画像データの全ての画素を対象に、各画素の値の時系列的な最小値を、各画素の所定期間における温度を表す値として時間ピーク排除熱画像データを生成することで、人間の影響を取り除いた温度分布データを抽出する。また、温度分布データ抽出部２５ａは、時間ピーク排除熱画像データに含まれる全ての画素を対象として、時間ピーク排除熱画像データの近接する複数の画素からなる区画に含まれる画素の値の最小値を、区画に含まれる画素の温度を表す値とする空間ピーク排除熱画像データを生成することで、人間の影響を取り除いた温度分布データを抽出する。ただし、これに限定されるものではなく、温度分布データ抽出部２５ａは、熱画像データ又は時間ピーク排除熱画像データの一部の画素については、上記のような処理を行わなくてもよい。
【０２７１】
例えば、画素の値が、人間の温度を表す値（予め設定される所定値）よりも大きい場合には、この画素については、時間ピーク排除熱画像データの生成処理、及び／又は、空間ピーク排除熱画像データの生成処理の対象としなくてもよい。また、例えば、予め指定された所定の画素（例えば、熱源機器が配置されている場所に対応する画素として、ユニット記憶部２４に記憶されている画素）については、時間ピーク排除熱画像データの生成処理、及び／又は、空間ピーク排除熱画像データの生成処理の対象としなくてもよい。これにより、コピー機等の熱源機器の影響は排除すること無く、人間の影響を取り除いた温度分布データを抽出することができる。
【０２７２】
（６−８）変形例１Ｈ
上記実施形態では、温度分布データ抽出部２５ａは、所定期間に複数の時点において取得された熱画像データの、各画素の値の時系列的な最小値を、各画素の所定期間における温度を表す値として時間ピーク排除熱画像データを生成することで、人間の影響を取り除いた温度分布データを抽出する。また、温度分布データ抽出部２５ａは、時間ピーク排除熱画像データの近接する複数の画素からなる区画に含まれる画素の値の最小値を、区画に含まれる画素の温度を表す値とする空間ピーク排除熱画像データを生成することで、人間の影響を取り除いた温度分布データを抽出する。
【０２７３】
ただし、これに限定されるものではなく、温度分布データ抽出部２５ａは、他の方法により、熱画像データに含まれる時間的又は空間的な温度ピークを示す画素を、人間の影響を示す画素と判断し、人間の影響を示す画素の値を排除して、人間の影響を取り除いてもよい。
【０２７４】
例えば、温度分布データ抽出部２５ａは、複数の時点の熱画像データに対し、ある位置の画素についての時系列的な温度の値の変化を把握し、直前の時点から温度の値が所定値よりも大きく上昇した時点の画素を、人間の影響を示す画素と判断し、人間の影響を示す画素の値を排除することで、人間の影響を取り除いてもよい。また、例えば、温度分布データ抽出部２５ａは、熱画像データの画素について、各画素の、隣接する画素と温度の値の差を把握する処理を行い、隣接するいずれかの画素に対して温度の値が所定値よりも上昇する画素を、人間の影響を示す画素と判断し、人間の影響を示す画素の値を排除することで、人間の影響を取り除いてもよい。
【０２７５】
なお、人間の影響を取り除いた温度分布データを抽出する処理を、比較的容易な演算処理で実現できるという観点からは、上記実施形態に記載した方法を使用することがより好ましい。
【０２７６】
（６−９）変形例１Ｉ
上記実施形態では、コンピュータ３０の記憶部３４が、情報の記憶領域として、温度分布データ記憶領域３４ａ、人間分布データ記憶領域３４ｂ、外気温記憶領域３４ｃ、空間情報記憶領域３４ｄ、及び改善策記憶領域３４ｅを有するが、これに限定されるものではない。例えば、コンピュータ３０の配置される場所とは別の場所に設置された、コンピュータ３０が通信ネットワーク１０を介して通信可能なデータベースが、温度分布データ記憶領域、人間分布データ記憶領域、外気温記憶領域、空間情報記憶領域、及び改善策記憶領域の一部又は全部を有してもよい。
【０２７７】
（６−１０）変形例１Ｊ
上記実施形態では、出力部３３としてのディスプレイに、要改善領域（対象空間Ｒ内の、温度分布状況に関して改善が必要な（可能性がある）領域）の位置情報や、要改善領域に対する温度分布状況に関する改善提案が表示されるが、これに限定されるものではない。例えば、コンピュータ３０は、温度分布状況に関する改善提案等をスマートフォン等の携帯端末に送信することで、携帯端末を介して改善提案等を提示してもよい。
【０２７８】
（６−１１）変形例１Ｋ
上記実施形態では、処理部３５の領域検出部３５ａは、ピーク領域、過剰空調領域、過剰換気注意領域、空調停止可能領域、及び断熱性能不良領域を検出する。ただし、領域検出部３５ａは、全ての領域を検出する必要はなく、ピーク領域、過剰空調領域、過剰換気注意領域、空調停止可能領域、及び断熱性能不良領域の一部を検出してもよい。
【０２７９】
（６−１２）変形例１Ｌ
上記実施形態では、処理部３５は、検出した要改善領域に対する改善提案を出力部３３に提示するが、これに限定されるものではない。例えば、処理部３５は、対象空間Ｒの空調室内機９０や換気装置と通信可能に接続され、検出した要改善領域に対する改善提案に相当する内容を実現するための指令を、空調室内機９０や換気装置に送信するように構成されてもよい。例えば、改善提案の内容が、空調装置の停止や設定温度の変更である場合には、処理部３５は、空調室内機９０に対し、運転の停止や、設定温度の変更の指令を送信するように構成されてもよい。
【０２８０】
＜第２実施形態＞
本発明の第２実施形態に係る温度分布データ生成システム２００について説明する。
【０２８１】
なお、温度分布データ生成システム２００は、温度分布データ生成システム１００と同様の点も多いため、ここでは、温度分布データ生成システム２００と温度分布データ生成システム１００との相違点を主に説明する。
【０２８２】
（１）全体構成
温度分布データ生成システム２００は、対象空間Ｒの定常温度の分布を示す温度分布データと、対象空間Ｒ内の人間の分布を示す人間分布データを生成する。また、温度分布データ生成システム２００は、生成した温度分布データ及び人間分布データに基づいて、対象空間Ｒ内の、人間の位置の変化及び温度分布の変化を同時に認識可能な動画を生成する。
【０２８３】
対象空間Ｒは、第１実施形態で説明したものと同様であるため、ここでは対象空間Ｒに関する説明は省略する。
【０２８４】
温度分布データ生成システム２００は、図１２のように、赤外線センサユニット２０と、コンピュータ２３０と、を有する。赤外線センサユニット２０と、コンピュータ２３０とは、通信ネットワーク１０により通信可能に接続されている（図１２参照）。
【０２８５】
赤外線センサユニット２０及び通信ネットワーク１０については、第１実施形態における温度分布データ生成システム１００と同様である。
【０２８６】
コンピュータ２３０は、赤外線センサユニット２０が生成した温度分布データ及び人間分布データを受信し、後述する記憶部２３４（図１２参照）に記憶する。コンピュータ２３０の後述する動画生成部２３５ｃは、赤外線センサユニット２０から受け付けた温度分布データ及び人間分布データに基づいて動画を生成する。
【０２８７】
（２）詳細構成
以下に、コンピュータ２３０について詳細を説明する。
【０２８８】
なお、赤外線センサユニット２０は、第１実施形態と同様であるので、詳細構成の説明は省略する。また、赤外線センサユニット２０の動作も第１実施形態と同様であるので、赤外線センサユニット２０の動作の説明は省略する。
【０２８９】
（２−１）コンピュータ
コンピュータ２３０は、赤外線センサユニット２０により生成された温度分布データ及び人間分布データを受信し、後述する記憶部２３４（図１２参照）に記憶する。また、コンピュータ２３０の後述する動画生成部２３５ｃ（図１２参照）は、記憶部２３４に記憶された温度分布データ及び人間分布データを用いて、対象空間Ｒ内の、人間の位置の変化及び温度分布の変化を同時に認識可能な動画を生成する。また、コンピュータ２３０は、生成した動画を、後述する出力部３３（図１２参照）に提示する。
【０２９０】
コンピュータ２３０は、主に、ＣＰＵ、ＲＯＭやＲＡＭ等のメモリ、ＨＤＤ（Hard Disc Drive）等の補助記憶装置、及び入出力デバイスを有する。
【０２９１】
コンピュータ２３０は、機能部として、通信部３１、入力部３２、出力部３３、記憶部２３４、及び処理部２３５を主に有する（図１２参照）。通信部３１は、第１実施形態と同様であるので、ここでは説明を省略する。
【０２９２】
（２−１−１）入力部
入力部３２は、主としてキーボード、マウス等を有する。入力部３２は、温度分布データ生成システム２００のユーザから、各種指令や各種情報を受け付ける。
【０２９３】
入力部３２は、後述する処理部２３５の動画生成部２３５ｃに対する動画生成要求を、動画の作成対象期間（以後、特定期間と呼ぶ）の指定と共に受け付ける。なお、特定期間は、動画生成要求の受付時より過去の期間であって、記憶部２３４の後述する温度分布データ記憶領域３４ａ及び人間分布データ記憶領域３４ｂに、それぞれ温度分布データ及び人間分布データが記憶されている範囲内の期間である。例えば、特定期間は、対象空間Ｒの使用者から、温熱環境に関する苦情の発生した時刻を含む期間である。例えば、特定期間は、温熱環境に関する苦情の発生した時刻の前後３０分を含む期間である。
【０２９４】
（２−１−２）出力部
出力部３３は、主としてディスプレイを有する。出力部３３には、例えば、後述する動画生成部２３５ｃにより生成された、特定期間における、対象空間Ｒ内の、人間の位置の変化及び温度分布の変化を同時に認識可能な動画が提示される。
【０２９５】
（２−１−３）記憶部
記憶部２３４は、第１実施形態に係る記憶部３４と機器構成は同様である。
【０２９６】
記憶部２３４には、処理部２３５が実行するためのプログラムが記憶されている。
【０２９７】
また、記憶部２３４には、各種情報が記憶されている。記憶部２３４は、情報を記憶する領域として、温度分布データ記憶領域３４ａと、人間分布データ記憶領域３４ｂと、空間情報記憶領域３４ｄと、動画生成用画像記憶領域２３４ｆと、を有する。温度分布データ記憶領域３４ａ、人間分布データ記憶領域３４ｂ、及び空間情報記憶領域３４ｄは、第１実施形態と同様であるので、ここでは説明を省略する。
【０２９８】
（２−１−３−１）動画生成用画像記憶領域
動画生成用画像記憶領域２３４ｆには、後述する動画生成部２３５ｃにより生成された、特定期間の動画（特定期間の動画を構成する、時系列の複数の画像）が記憶される。出力部３３は、動画生成用画像記憶領域２３４ｆに記憶されている画像を、時間順に次々と表示することで、特定期間の動画を提示する。
【０２９９】
（２−１−４）処理部
処理部２３５は、記憶部２３４に記憶されているプログラムを実行することで、各種処理を実行する。
【０３００】
処理部２３５は、動画生成に関するサブ機能部として、動画生成部２３５ｃを有する。動画生成部２３５ｃは、入力部３２が、特定期間の指定と共に、動画生成要求の入力を受け付けると、特定期間における、対象空間Ｒ内の、人間の位置の変化及び温度分布の変化を同時に認識可能な動画を生成する。
【０３０１】
具体的には、動画生成部２３５ｃは、温度分布データ記憶領域３４ａ及び人間分布データ記憶領域３４ｂにそれぞれ記憶されている、特定期間における温度分布データ及び人間分布データに基づいて、特定期間における、対象空間Ｒ内の、人間の位置の変化及び温度分布の変化を同時に認識可能な動画を生成する。
【０３０２】
（３）コンピュータによる動画生成処理
コンピュータ２３０の動画生成部２３５ｃによる動画生成処理について、図１３のフローチャートを用いて説明する。動画生成処理は、入力部３２から、動画の作成対象期間である特定期間と共に、動画生成要求が入力された場合に実行される。
【０３０３】
まず、ステップＳ２１では、動画生成部２３５ｃは、記憶部２３４の温度分布データ記憶領域３４ａ及び人間分布データ記憶領域３４ｂから、特定期間の、時系列の温度分布データ及び時系列の人間分布データを読み出す。ここでは、温度分布データは１分毎のデータであり、人間分布データは３秒毎のデータである。
【０３０４】
次にステップＳ２２では、動画生成部２３５ｃは、ステップＳ２１で読み出した温度分布データと人間分布データとを重ねあわせた画像を生成する処理を行う。つまり、動画生成部２３５ｃは、ステップＳ２１で読み出した温度分布データの上に、人間分布データを重ねて表示した画像を生成する処理を行う。具体的には、動画生成部２３５ｃは、取得時刻が同一の、温度分布データと人間分布データとを重ねあわせた画像を生成する処理を繰り返し行う。なお、上記のように、温度分布データが１分毎に１個生成されるのに対し、人間分布データは１分毎に２０個生成される。そのため、ここでは、取得時刻が分単位まで一致する温度分布データと人間分布データとを重ねあわせた画像を生成する処理が、繰り返し行われる。そのため、ここでは、温度分布は同一で、人間の位置だけが異なる画像が、２０個ずつ生成される。
【０３０５】
次に、ステップＳ２３では、動画生成部２３５ｃは、ステップＳ２３で得られた画像に、空間情報記憶領域３４ｄに記憶された、対象空間Ｒの平面図と、対象空間Ｒ内の熱源の位置と、を更に重ねあわせる処理を行う。なお、ここでの熱源とは、対象空間Ｒの温度分布に影響を与える温熱源及び冷熱源である。具体的には、ここでの熱源は、温風や冷風を吹き出す空調室内機９０と、対象空間Ｒと対象空間Ｒの外部の空間との間で熱の出入りが発生しやすい窓Ｗ及び扉Ｄである。
【０３０６】
次に、ステップＳ２４では、ステップＳ２３で生成された画像（温度分布データと、人間分布データと、対象空間Ｒの平面図と、対象空間Ｒ内の熱源位置とが重ね合わされた画像）が、記憶部２３４の動画生成用画像記憶領域２３４ｆに、時系列のデータとして書き込まれる。動画生成用画像記憶領域２３４ｆに記憶される一連の画像が、動画生成部２３５ｃが生成する動画を構成する。
【０３０７】
なお、ここで説明した動画生成処理のフローは、一例であり、動画生成処理のフローはこれに限定されるものではない。
【０３０８】
例えば、動画生成部２３５ｃは、特定期間中の一部期間（例えば１分）のデータだけを読み出して、ステップＳ２２及びステップＳ２３の処理を行い、その一部期間について画像が生成された時点で、動画生成用画像記憶領域２３４ｆに画像を記憶してもよい。そして、動画生成部２３５ｃは、特定期間全体についての動画が生成されるように、データの読み出し、画像の生成、及び画像の書き込みを繰り返し実行してもよい。
【０３０９】
図１４は、動画生成部２３５ｃにより生成される、動画を構成する画像の一例である。動画生成部２３５ｃにより生成される画像では、対象空間Ｒ内の温度分布を容易に把握できるように、温度分布データの各区画が温度別に異なる色で着色されている。図１４では、各区画を着色する代わりに、ハッチングの斜線の密度を変更して、温度分布を示している。また、図１４では、丸印で人間の位置を表示されている。また、熱源（ここでは、空調室内機９０、窓Ｗ及び扉Ｄ）の位置は、例えば、熱源の位置を熱源の種類別に異なる種類の枠線で囲んで表示している。ただし、図１４は画像の一例であって、画像による温度分布、人間の位置、及び、熱源の位置の表示方法はこれに限定されるものではない。動画生成部２３５ｃにより生成される、動画を構成する画像には、温度分布、人間の位置、及び、熱源の位置が、温度分布データ生成システム２００のユーザ等が認識容易に表示されればよい。
【０３１０】
出力部３３は、動画生成用画像記憶領域２３４ｆに記憶される時系列の画像を、時間順に、次々と切り替えて表示することで、特定期間における、対象空間Ｒ内の、人間の位置の変化及び温度分布の変化を同時に認識可能な動画と、対象空間Ｒ内の冷熱源及び温熱源の熱源位置に関する情報とを提示する。
【０３１１】
（４）特徴
温度分布データ生成システム２００は、第１実施形態に記載した、温度分布データ生成システム１００の特徴（５−１）〜（５−７）と同様の特徴を有する。この他、温度分布データ生成システム２００は以下の特徴を有する。
【０３１２】
（４−１）
温度分布データ生成システム２００は、動画生成部２３５ｃを備える。動画生成部２３５ｃは、特定期間における人間分布データ及び温度分布データに基づいて、特定期間における、対象空間Ｒ内の、人間の位置の変化及び温度分布の変化を、同時に認識可能な動画を生成する。
【０３１３】
ここでは、人間分布データ及び温度分布データに基づいて、人間の位置及び温度分布の変化を同時に認識可能な動画が生成される。これにより、対象空間Ｒで温熱環境に関する苦情が発生した場合に、温熱環境に関する苦情の原因解明のための環境計測やヒアリング等が不要で、調査に必要な費用を抑制できる。また、生成された動画を見ることで、温熱環境に関する苦情の原因を認識し、対策を検討することが容易である。また、動画を対象空間Ｒの使用者等への原因説明のための資料として利用すれば、説明資料の作成を簡易化できる。
【０３１４】
特に、ここでは、温度分布データから対象空間Ｒに存在する人間の影響が取り除かれているため、人間の影響により誤って定常温度分布を認識し、温熱環境に関する苦情の原因を誤って認識する可能性が低減される。
【０３１５】
（５）変形例
第２実施形態に係る温度分布データ生成システム２００には、矛盾のない範囲で、前述の第１、第３、又は第４実施形態に係る構成や、第１、第３、又は第４実施形態の変形例に係る構成が適用されてもよい。
【０３１６】
以下に第２実施形態の変形例を示す。以下の変形例は、互いに矛盾しない範囲で、他の変形例（第１、第３、又は第４実施形態の構成や、第１、第３、又は第４実施形態の変形例を含む）の一部又は全部と組合せて用いられてもよい。
【０３１７】
（５−１）変形例２Ａ
上記実施形態では、出力部３３に動画生成部２３５ｃにより生成された動画が提示されるが、これに限定されるものではなく、出力部３３には動画は提示されなくてもよい。例えば、温度分布データ生成システム２００は、通信部３１を介してコンピュータ２３０と通信可能に構成される携帯情報端末等に、動画が提示されるように構成されてもよい。
【０３１８】
また、上記実施形態では、入力部３２が、対象空間Ｒ用の省エネ関連情報の生成要求を受け付けるが、これに限定されるものではない。温度分布データ生成システム２００は、通信部３１を介してコンピュータ２３０と通信可能に構成される携帯情報端末等から、動画生成要求を受け付けるように構成されてもよい。
【０３１９】
（５−２）変形例２Ｂ
上記実施形態では、動画生成部２３５ｃにより生成される、動画を構成する画像には、温度分布、人間の位置、及び、熱源の位置の情報が含まれるが、これに限定されるものではない。動画生成部２３５ｃにより生成される動画を構成する画像には、熱源の位置の情報は含まれていなくてもよい。
【０３２０】
そして、例えば、出力部３３には、空間情報記憶領域３４ｄに記憶された、対象空間Ｒの平面図と、対象空間Ｒ内の熱源の位置と、が背景画像として表示され、これに、人間の位置の変化及び温度分布の変化を同時に認識可能な動画を重ねあわせて表示されてもよい。
【０３２１】
また、出力部３３には、人間の位置の変化及び温度分布の変化を同時に認識可能な動画だけが表示され、対象空間Ｒの平面図や、対象空間Ｒ内の熱源の位置は、表示されなくてもよい。ただし、温熱環境に関する苦情の原因究明等を目的とする場合には、出力部３３に、人間の位置の変化及び温度分布の変化を同時に認識可能な動画と共に、対象空間Ｒ内の熱源の位置が表示されることが好ましい。
【０３２２】
（５−３）変形例２Ｃ
上記実施形態に係る温度分布データ生成システム２００では、熱源の例として、空調室内機９０、窓Ｗ、及び扉Ｄを挙げたが、熱源の種類はこれらに限定されるものではない。例えば、熱源には、対象空間Ｒ内に設置されるコピー機や、サーバ等の機器を含んでもよい。例えば、空間情報記憶領域３４ｄに、これらの機器の位置も予め情報として記憶しておけば、動画生成部２３５ｃは、空間情報記憶領域３４ｄからこれらの機器の位置の情報を読み出すことで、人間の位置の変化及び温度分布の変化を同時に認識可能な動画と共に、これらの機器の位置を出力部３３に提示できる。
【０３２３】
（５−４）変形例２Ｄ
上記実施形態に係る温度分布データ生成システム２００の処理部２３５は、図１５のように、対策不要エリア決定部２３５ｄを更に備えていてもよい。対策不要エリア決定部２３５ｄは、人間分布データに基づいて、対象空間Ｒ内の、温熱環境改善の対策が不要な対策不要エリアを決定する。対策不要エリアの決定処理について、以下に説明する。
【０３２４】
対策不要エリア決定部２３５ｄは、入力部３２から、特定期間と共に動画生成要求が入力された場合に、人間分布データ記憶領域３４ｂに記憶されている特定期間の人間分布データに基づいて、特定期間における人数分布図を生成する。人数分布図の生成処理は、人数分布図の生成の対象期間が異なることを除いて、第１実施形態に係る領域検出部３５ａによる人数分布図の生成処理と同様であるので、説明は省略する。
【０３２５】
対策不要エリア決定部２３５ｄは、人数分布図に基づいて、特定期間に人間がいない、あるいは、特定期間に人間がいる頻度が所定頻度より低い、と判断される人間分布データの区画に対応する対象空間Ｒ内の領域を、対策不要エリアと決定する。
【０３２６】
ここでは、対策不要エリア決定部２３５ｄが、人間がいる頻度が低い（人間がいない場合も含む）ため、温熱環境の改善のための対策が不要であると判断される対策不要エリアを決定するため、温度分布データ生成システム２００のユーザ等が、不必要な対策に費用を費やすことを防止できる。
【０３２７】
動画生成部２３５ｃは、上記実施形態のようにして生成される動画を構成する画像上に、対策不要エリア決定部２３５ｄにより決定された対策不要エリアを表す表示を更に重ねあわせて、動画（動画を構成する画像）を生成してもよい。例えば、動画生成部２３５ｃは、上記実施形態のようにして生成される画像に対し、対策不要エリアに該当する部分を黒く塗りつぶす処理を行う。このように構成されることで、動画生成部２３５ｃで生成される動画から、温熱環境の苦情の原因になる可能性が低いエリアを予め排除できる。この場合、出力部３３に表示される動画を見る温度分布データ生成システム２００のユーザ等は、温熱環境の苦情の原因になる可能性のあるエリアの動画だけを見ればよいことになるので、温熱環境に関する苦情の原因を把握することが容易になる。
【０３２８】
なお、対策不要エリア決定部２３５ｄは、特定期間以外の期間について、人数分布図を生成してもよい。例えば、対策不要エリア決定部２３５ｄは、特定期間より長期間、例えば１日間の人数分布図を生成してもよい。対策不要エリア決定部２３５ｄは、その人数分布図に基づいて、人間がいなかった、あるいは、人間がいる頻度が所定頻度より低い、と判断される人間分布データの区画に対応する対象空間Ｒ内の領域を、対策不要エリアと決定してもよい。このように構成されることで、例えば、特定期間には人間がいなかったものの、普段は人間が存在する領域が、対策不要エリアとして初めから排除されることを防止できる。
【０３２９】
（５−５）変形例２Ｅ
上記実施形態に係る温度分布データ生成システム２００の処理部２３５は、図１６のように、要注意エリア決定部２３５ｅを更に備えていてもよい。要注意エリア決定部２３５ｅは、特定期間における、人間分布データ及び温度分布データに基づいて、特定期間について、対象空間Ｒ内の温熱環境に対する苦情が発生する可能性のある要注意エリアを決定する。要注意エリアの決定処理について具体的に説明する。
【０３３０】
要注意エリア決定部２３５ｅは、入力部３２から、特定期間と共に動画生成要求が入力された場合に、温度分布データ記憶領域３４ａに記憶されている、特定期間における、各温度分布データについて、温度が、許容温度範囲（設定値）を外れる区画（許容温度範囲外区画）を検出する。
【０３３１】
次に、要注意エリア決定部２３５ｅは、温度分布データにおける許容温度範囲外区画と、その温度分布データとデータの取得時刻が同一の人間分布データと、を重ねあわせ、許容温度範囲外区画内に人間が存在するかを、人間分布データ毎に判断する。なお、ここでは、取得時刻が分単位まで一致する温度分布データ及び人間分布データを、取得時刻が同一の温度分布データ及び人間分布データと呼ぶ。
【０３３２】
そして、要注意エリア決定部２３５ｅは、許容温度範囲外区画内に人間を表す画素が存在する場合、許容温度範囲外区画内に存在する、人間分布データの人間を表す画素を囲む所定の大きさの正方形内に対応する対象空間Ｒ内の領域を、温熱環境に対する苦情が発生する可能性のある要注意エリアと決定する。図１７を用いて具体的に説明する。
【０３３３】
例えば、図１７のように、ある時刻の人間分布データには丸印を付した画素に人間を表す画素Ｈ１，Ｈ２，Ｈ３，Ｈ４が存在したとする。また、その人間分布データとデータ取得時刻が同一の温度分布データでは、４列×４列の区画のうち、左下角の区画が、許容温度範囲外区画Ｐであるとする。この場合、許容温度範囲外区画Ｐ内に存在する、人間分布データの人間を表す画素Ｈ３を囲む所定の大きさの正方形Ｑ内（ハッチング部参照）に対応する対象空間Ｒ内の領域が、温熱環境に対する苦情が発生する可能性のある要注意エリアと、要注意エリア決定部２３５ｅにより決定される。なお、図１７に示された正方形Ｑの大きさは例示であり、正方形Ｑの大きさはこれに限定されるものではない。
【０３３４】
動画生成部２３５ｃは、上記実施形態のようにして生成される動画を構成する画像上に、要注意エリア決定部２３５ｅにより決定された要注意エリアを表す表示を、更に重ねあわせて、動画を構成する画像を生成してもよい。例えば、動画生成部２３５ｃは、上記実施形態のようにして生成される画像に対し、要注意エリア決定部２３５ｅに該当する部分を枠線で囲むことで、動画を構成する画像を生成する。このように構成されることで、動画生成部２３５ｃが生成する動画には、温熱環境の苦情の原因になる可能性が高いエリアが強調して表示される。ここでは、出力部３３に表示される動画を見る温度分布データ生成システム２００のユーザ等は、温熱環境の苦情が発生しそうな場所を容易に認識できるため、温熱環境に関する苦情の発生した原因を究明することが容易である。
【０３３５】
（５−６）変形例２Ｆ
また、変形例２Ｅに係る温度分布データ生成システム２００の処理部２３５は、図１８のように、要注意エリア決定部２３５ｅに加え、苦情リスクエリア判断部２３５ｆを更に備えていてもよい。また、記憶部２３４は、図１８のように、要注意エリア情報記憶領域２３４ｇを備えてもよい。
【０３３６】
ここでは、要注意エリア決定部２３５ｅは、定期的に、人間分布データ及び温度分布データに基づいて、対象空間Ｒ内の温熱環境に対する苦情が発生する可能性のある要注意エリアを決定する。例えば、要注意エリア決定部２３５ｅは、１分おきに、直近１分間の人間分布データと、最新の温度分布データと、に基づいて、対象空間Ｒ内の温熱環境に対する苦情が発生する可能性のある要注意エリアを決定する。要注意エリア決定部２３５ｅにより要注意エリアが決定されると、都度、その要注意エリアの位置情報が要注意エリア情報記憶領域２３４ｇに書き込まれ、蓄積される。
【０３３７】
苦情リスクエリア判断部２３５ｆは、所定期間（例えば１時間）に要注意エリア情報記憶領域２３４ｇに書き込まれた要注意エリアの位置情報を用いて、対象空間Ｒ内で、所定回数以上（例えば１００回以上）要注意エリアと決定された領域において、温熱環境に関する苦情が発生する可能性が高いと判断する。つまり、苦情リスクエリア判断部２３５ｆは、対象空間Ｒ内の、ある領域が、要注意エリアと決定される割合が所定割合以上の場合に、その領域において、温熱環境に関する苦情が発生する可能性が高いと判断する。
【０３３８】
このように構成されることで、温度分布データ生成システム２００を用いて、将来の温熱環境に関する苦情の発生を予想し、苦情の発生を予め防止することができる。
【０３３９】
＜第３実施形態＞
本発明の第３実施形態に係る温度分布データ生成システム３００について説明する。なお、温度分布データ生成システム３００は、温度分布データ生成システム１００と同様の点も多いため、ここでは、温度分布データ生成システム３００と温度分布データ生成システム１００との相違点を主に説明する。
【０３４０】
（１）全体構成
温度分布データ生成システム３００は、１つの対象空間ではなく、多数の（Ｎ台の）対象空間Ｒ１，Ｒ２，・・・ＲＮの定常温度の分布を示す温度分布データ及び人間分布データを生成する。例えば、対象空間Ｒ１，Ｒ２，・・・ＲＮの数は、１００個以上である。温度分布データ生成システム３００は、多数の対象空間Ｒ１，Ｒ２，・・・ＲＮに含まれる１の対象空間Ｒｍ（ｍ＝１〜Ｎの整数）について、対象空間Ｒｍ用の省エネ関連情報の生成要求を受け付けると、その対象空間Ｒｍ用の省エネ関連情報を生成する。なお、対象空間Ｒｍ用の省エネ関連情報には、対象空間Ｒｍの類似空間の温度分布データに基づいた、類似空間の温度分布に関する情報を含む。対象空間Ｒｍの類似空間とは、対象空間Ｒ１，Ｒ２，・・・ＲＮの中で、対象空間Ｒｍと類似する利用状況のパターンを有する空間である。なお、対象空間Ｒ１，Ｒ２，・・・ＲＮの中で、どの対象空間が対象空間Ｒｍの類似空間であるかは、対象空間Ｒｍの所定期間の人間分布データに基づいて判断される。
【０３４１】
ここでの対象空間Ｒ１，Ｒ２，・・・ＲＮは、例えば全てオフィスとして用いられる空間である。ただし、これに限定されるものではなく、対象空間Ｒ１，Ｒ２，・・・ＲＮには、商業施設、学校、ホテル、住居等として用いられる空間が含まれてもよい。また、対象空間Ｒ１，Ｒ２，・・・ＲＮには、オフィスとして用いられる空間が含まれなくてもよい。
【０３４２】
なお、対象空間Ｒ１，Ｒ２，・・・ＲＮの広さや形状、対象空間Ｒ１，Ｒ２，・・・ＲＮに設置される機器の種類、台数や配置等は、全て同一である必要はなく、通常は対象空間Ｒ１，Ｒ２，・・・ＲＮ毎に異なっている。なお、各対象空間Ｒ１，Ｒ２，・・・ＲＮについては、第１実施形態で説明したものと同様であるため、ここでは説明は省略する。
【０３４３】
温度分布データ生成システム３００は、図１９のように、多数の対象空間Ｒ１，Ｒ２，・・・ＲＮにそれぞれ配置された、多数の赤外線センサユニット２０と、メインコンピュータ３３０と、多数の対象空間Ｒ１，Ｒ２，・・・ＲＮにそれぞれ配置されたコンピュータ５０と、を有する。取得部としての、多数の赤外線センサユニット２０のセンサ部２１は、多数の対象空間Ｒ１，Ｒ２，・・・ＲＮについて、熱画像データを取得する。なお、ここでは、各対象空間Ｒ１，Ｒ２，・・・ＲＮに１台の赤外線センサユニット２０が配置されているが、これに限定されるものではなく、各空間Ｒ１，Ｒ２，・・・ＲＮには異なる台数の赤外線センサユニット２０が配置されていてもよい。また、ここでは、各対象空間Ｒ１，Ｒ２，・・・ＲＮには１台のコンピュータ５０が配置されているが、これに限定されるものではなく、各空間Ｒ１，Ｒ２，・・・ＲＮには複数のコンピュータ５０が配置されていてもよい。多数の赤外線センサユニット２０と、メインコンピュータ３３０とは、通信ネットワーク１０により通信可能に接続されている。また、多数のコンピュータ５０と、メインコンピュータ３３０とは、通信ネットワーク１０により通信可能に接続されている。各赤外線センサユニット２０及び通信ネットワーク１０については、第１実施形態における温度分布データ生成システム１００と同様である。
【０３４４】
メインコンピュータ３３０は、複数の赤外線センサユニット２０が生成した温度分布データ及び人間分布データを受け付け、後述する記憶部３３４（図２０参照）に記憶する。なお、メインコンピュータ３３０は、受け付けた温度分布データ及び人間分布データが、どの赤外線センサユニット２０から（どの対象空間Ｒ１，Ｒ２，・・・ＲＮの、どの位置に配置された赤外線センサユニット２０から）送信されてきた情報かを認識可能に構成されている。
【０３４５】
メインコンピュータ３３０の後述する入力部３２（図２０参照）は、対象空間Ｒｍ用の省エネ関連情報の生成要求を受け付ける。また、メインコンピュータ３３０では、後述する通信部３１（図２０参照）が、対象空間Ｒ１，Ｒ２，・・・ＲＮに配置されたコンピュータ５０から送信される、対象空間Ｒｍ用の省エネ関連情報の生成要求を受け付ける。メインコンピュータ３３０は、対象空間Ｒｍ用の省エネ関連情報の生成要求を受け付ける。入力部３２又は通信部３１が、対象空間Ｒｍ用の省エネ関連情報の生成要求を受け付けると、メインコンピュータ３３０の処理部３３５（図２０参照）は、記憶部３３４に記憶された温度分布データ及び人間分布データに基づいて、対象空間Ｒｍ用の省エネ関連情報を生成する。メインコンピュータ３３０により生成される対象空間Ｒｍ用の省エネ関連情報には、対象空間Ｒｍの類似空間の温度分布に関する情報を含む。メインコンピュータ３３０は、対象空間Ｒｍ用の省エネ関連情報が生成されると、通信部３１を介して、その省エネ関連情報の生成要求を送信したコンピュータ５０に、対象空間Ｒｍ用の省エネ関連情報を送信する。また、メインコンピュータ３３０は、対象空間Ｒｍ用の省エネ関連情報が生成されると、後述する出力部３３（図２０参照）に、対象空間Ｒｍ用の省エネ関連情報を出力する。
【０３４６】
各コンピュータ５０は、メインコンピュータ３３０と、通信ネットワーク１０を介して接続され、メインコンピュータ３３０と通信可能に構成されている。コンピュータ５０は、例えばデスクトップ型のコンピュータであり、ＣＰＵ、ＲＯＭやＲＡＭ等のメモリ、ＨＤＤ等の補助記憶装置、及び入出力デバイスを主に有する。
【０３４７】
コンピュータ５０の図示しない入力部には、対象空間Ｒｍの使用者等により、対象空間Ｒｍ用の省エネ関連情報の生成要求が入力される。コンピュータ５０は、受け付けた対象空間Ｒｍ用の省エネ関連情報の生成要求を、通信ネットワーク１０を介して、メインコンピュータ３３０に対して送信する。また、コンピュータ５０は、メインコンピュータ３３０が送信してくる、対象空間Ｒｍ用の省エネ関連情報を受信する。コンピュータ５０は、図示しないディスプレイ等からなる出力部に、受信した対象空間Ｒｍ用の省エネ関連情報を提示する。
【０３４８】
なお、ここでは、コンピュータ５０は、デスクトップ型のコンピュータであるが、これに限定されるものではなく、例えばラップトップ型やタブレット型のコンピュータであってもよい。また、コンピュータ５０に代えて、スマートフォン等が代わりに用いられてもよい。また、コンピュータ５０は、対象空間Ｒ１，Ｒ２，・・・ＲＮに設置されている必要はない。コンピュータ５０は、メインコンピュータ３３０に対し、対象空間Ｒｍ用の省エネ関連情報の生成要求をメインコンピュータ３３０に送送信可能に構成され、生成された対象空間Ｒｍ用の省エネ関連情報を受信できるように構成されていればよい。
【０３４９】
（２）詳細構成
以下に、メインコンピュータ３３０について詳細を説明する。
【０３５０】
なお、赤外線センサユニット２０は、第１実施形態と同様であるので、詳細構成の説明は省略する。また、赤外線センサユニット２０の動作も第１実施形態と同様であるので、赤外線センサユニット２０の動作の説明は省略する。
【０３５１】
（２−１）メインコンピュータ
メインコンピュータ３３０は、多数の赤外線センサユニット２０により生成された温度分布データ及び人間分布データを、他の赤外線センサユニット２０により生成された温度分布データ及び人間分布データと区別して受信し、記憶部３３４（図２０参照）に記憶する。また、メインコンピュータ３３０は、ある対象空間Ｒｍ用の省エネ関連情報の生成要求を受け付けると、記憶部３３４に記憶された、多数の対象空間Ｒ１，Ｒ２，・・・ＲＮの、温度分布データ及び人間分布データを用いて、対象空間Ｒｍ用の省エネ関連情報を生成する。メインコンピュータ３３０では、後述する通信部（図２０参照）が、コンピュータ５０から対象空間Ｒｍ用の省エネ関連情報の生成要求を受け付ける。また、メインコンピュータ３３０では、後述する入力部３２（図２０参照）が、対象空間Ｒｍ用の省エネ関連情報の生成要求を受け付ける。メインコンピュータ３３０は、対象空間Ｒｍ用の省エネ関連情報の生成要求を通信部３１に送信したコンピュータ５０に対し、生成した対象空間Ｒｍ用の省エネ関連情報を送信する。コンピュータ５０の図示しない出力部には、対象空間Ｒｍ用の省エネ関連情報が提示される。また、メインコンピュータ３３０は、生成した対象空間Ｒｍ用の省エネ関連情報を、後述する出力部３３（図２０参照）に提示する。
【０３５２】
メインコンピュータ３３０は、主に、ＣＰＵ、ＲＯＭやＲＡＭ等のメモリ、ＨＤＤ等の補助記憶装置、及び入出力デバイスを有する。
【０３５３】
メインコンピュータ３３０は、機能部として、通信部３１、入力部３２、出力部３３、記憶部３３４、及び処理部３３５を主に有する（図２０参照）。
【０３５４】
（２−１−１）通信部
通信部３１は、メインコンピュータ３３０と通信ネットワーク１０との接続を可能にする。メインコンピュータ３３０は、通信部３１を介して、多数の赤外線センサユニット２０及び多数のコンピュータ５０と、通信を行う。
【０３５５】
通信部３１は、受付部の一例である。通信部３１は、通信ネットワーク１０を介して、コンピュータ５０が送信する対象空間Ｒｍ用の省エネ関連情報の生成要求を受け付ける。
【０３５６】
（２−１−２）入力部
入力部３２は、主としてキーボード、マウス等を有する。入力部３２は、温度分布データ生成システム３００のユーザから、各種指令や各種情報を受け付ける。
【０３５７】
入力部３２は、受付部の一例である。入力部３２は、省エネ関連情報の生成要求を受け付ける。入力部３２は、省エネ関連情報の生成要求を、省エネ関連情報の生成の対象となる対象空間Ｒｍの指定と共に受け付ける。
【０３５８】
（２−１−３）出力部
出力部３３は、主としてディスプレイを有する。出力部３３には、例えば、メインコンピュータ３３０が生成した対象空間Ｒｍの省エネ関連情報が提示される。
【０３５９】
（２−１−４）記憶部
記憶部３３４は、第１実施形態に係る記憶部３４と機器構成は同様である。
【０３６０】
記憶部３３４には、処理部３３５が実行するためのプログラムが記憶されている。
【０３６１】
また、記憶部３３４には、各種情報が記憶されている。記憶部３３４は、情報を記憶する領域として、温度分布データ記憶領域３４ａと、人間分布データ記憶領域３４ｂと、空間情報記憶領域３４ｄと、省エネ関連情報記憶領域３３４ｈと、を有する。温度分布データ記憶領域３４ａ、人間分布データ記憶領域３４ｂ、及び空間情報記憶領域３４ｄは、多数の対象空間Ｒ１，Ｒ２，・・・ＲＮについての温度分布データ、人間分布データ、及び対象空間に関する各種情報がそれぞれ記憶されている以外は、第１実施形態と同様であるので、ここでは説明を省略する。
【０３６２】
（２−１−４−１）省エネ関連情報記憶領域
省エネ関連情報記憶領域３３４ｈは、後述する省エネ関連情報生成部３３５ｈにより生成された省エネ関連情報が記憶される。
【０３６３】
（２−１−５）処理部
処理部３３５は、記憶部３３４に記憶されているプログラムを実行することで、各種情報の処理を行う。
【０３６４】
特に、処理部３３５は、通信部３１がコンピュータ５０から送信されてくる対象空間Ｒｍ用の省エネ関連情報の生成要求を受け付けると、あるいは、入力部３２が対象空間Ｒｍ用の省エネ関連情報の生成要求を受け付けると、対象空間Ｒｍ用の省エネ関連情報を生成する。
【０３６５】
処理部３３５は、省エネ関連情報の生成に関するサブ機能部として、類似空間抽出部３３５ｇ、及び、省エネ関連情報生成部３３５ｈを有する。
【０３６６】
（２−１−５−１）類似空間抽出部
類似空間抽出部３３５ｇは、通信部３１又は入力部３２が、対象空間Ｒｍ用の省エネ関連情報の生成要求を受け付けると、対象空間Ｒｍの類似空間を抽出する処理を行う。類似空間抽出部３３５ｇは、対象空間Ｒｍの人間分布データに基づき、多数の対象空間Ｒ１，Ｒ２，・・・ＲＮから、対象空間Ｒｍと類似する利用状況のパターンを有する空間を、対象空間Ｒｍの類似空間として抽出する。
【０３６７】
具体的には、類似空間抽出部３３５ｇは、対象空間Ｒｍの所定期間（ここでは１日間）の人間分布データに基づき、多数の対象空間Ｒ１，Ｒ２，・・・ＲＮから、対象空間Ｒｍと類似する利用状況のパターンを有する空間を、対象空間Ｒｍの類似空間として抽出する。
【０３６８】
なお、利用状況のパターンとは、例えば、人間分布データから得られる、在籍状態の変動パターンである。在籍状態の変動パターンとは、例えば、１日の在籍率変動パターンである。在籍率とは、その対象空間Ｒｍに実際に在籍する人間の数の、空間情報記憶領域３４ｄに記憶されている対象空間Ｒｍの定員（設定値）に対する割合を表す。在籍率変動パターンは、この在籍率が、１日でどのように変動するかのパターンである。
【０３６９】
在籍率変動パターンは、例えば、一山型、二山型、２４時間型に分類される。一山型、二山型、及び２４時間型の、それぞれの特徴について概要を説明する。
【０３７０】
一山型では、早朝及び深夜は人間が不在（在籍率が０）である。一山型では、朝に在籍率が上昇し始め、ある時間に在籍率が最大となり、夕方まではその在籍率が維持される。そして、夕方から在籍率が下降し始め、深夜には在籍率が０となる。
【０３７１】
二山型でも、早朝及び深夜は人間が不在（在籍率が０）である。二山型では、朝に在籍率が上昇して最大となった後、昼間に在籍率が一旦大きく減少する。その後、夕方に再び在籍率が上昇した後、夜にかけて在籍率が減少し始め、深夜には在籍率が０となる。
【０３７２】
２４時間型では、２４時間、在籍率がほとんど変動しない。
【０３７３】
なお、在籍率変動パターンの種類は、これらに限定されるものではない。在籍率変動パターンは、その特徴に応じて、より多くの種類に分類されてもよい。
【０３７４】
類似空間抽出部３３５ｇによる、対象空間Ｒｍの類似空間の抽出処理については後述する。
【０３７５】
（２−１−５−２）省エネ関連情報生成部
省エネ関連情報生成部３３５ｈは、通信部３１又は入力部３２が、対象空間Ｒｍ用の省エネ関連情報の生成要求を受け付けると、温度分布データ及び人間分布データを、温度分布データ記憶領域３４ａ及び人間分布データ記憶領域３４ｂから読み出し、読み出した温度分布データ及び人間分布データに基づいて、対象空間Ｒｍ用の省エネ関連情報を生成する。
【０３７６】
特に、省エネ関連情報生成部３３５ｈは、類似空間抽出部３３５ｇが抽出した対象空間Ｒｍ及び対象空間Ｒｍの類似空間の、温度分布データ及び人間分布データに関する情報を用いて、対象空間Ｒｍ用の省エネ関連情報を生成する。
【０３７７】
省エネ関連情報生成部３３５ｈにより生成される対象空間Ｒｍ用の省エネ関連情報には、対象空間Ｒｍの類似空間の温度分布に関する情報を含む。省エネ関連情報生成部３３５ｈは、対象空間Ｒｍの類似空間の温度分布に関する情報を、対象空間Ｒｍの類似空間の温度時系列データに基づいて生成する。
【０３７８】
また、省エネ関連情報生成部３３５ｈにより生成される対象空間Ｒｍ用の省エネ関連情報には、対象空間Ｒｍの類似空間の温度分布に関する情報と、この情報に対応する、対象空間Ｒｍについての温度分布に関する情報との比較情報を含む。
【０３７９】
省エネ関連情報生成部３３５ｈによる、対象空間Ｒｍ用の省エネ関連情報の生成処理については後述する。
【０３８０】
（３）省エネ関連情報の生成処理
メインコンピュータ３３０の処理部３３５による、対象空間Ｒｍ用の省エネ関連情報の生成処理（対象空間Ｒｍの類似空間の抽出処理を含む）について、図２１のフローチャートを用いて説明する。
【０３８１】
省エネ関連情報の生成処理は、通信部３１又は入力部３２が、対象空間Ｒｍ用の省エネ関連情報の生成要求を受け付けると実行される。
【０３８２】
まず、ステップＳ３１では、類似空間抽出部３３５ｇが、直近の１日分の、対象空間Ｒｍの人間分布データを、人間分布データ記憶領域３４ｂから読み出す。
【０３８３】
次に、ステップＳ３２では、類似空間抽出部３３５ｇが、ステップＳ３１で読み出された人間分布データに基づいて、時間別に対象空間Ｒｍに在籍している人数を算出する。そして、類似空間抽出部３３５ｇは、算出された時間別の対象空間Ｒｍに在籍している人間の数を、空間情報記憶領域３４ｄに記憶されている対象空間Ｒｍの定員で除することで、時間別に対象空間Ｒｍの在籍率を算出する。そして、類似空間抽出部３３５ｇは、時間別の対象空間Ｒｍの在籍率が、予め準備された在籍率の変動パターンの種類（例えば、一山型、二山型、２４時間型）のいずれの種類のものに近いかを判断する。
【０３８４】
例えば、類似空間抽出部３３５ｇは、２４時間の中で、在籍率が０になる時間が所定時間より短い場合には、対象空間Ｒｍの在籍率の変動パターンを２４時間型と判断する。また、例えば、類似空間抽出部３３５ｇは、算出した時間別の対象空間Ｒｍの在籍率を近似する多項式を例えば最小二乗法等により導出し、その多項式で表される曲線が、２４時間の中でいくつ極大値を有するかで、対象空間Ｒｍの在籍率の変動パターンが、一山型か、二山型か、を判断する。ただし、類似空間抽出部３３５ｇの、対象空間Ｒｍの在籍率の変動パターンの判断方法は例示であり、これに限定されるものではない。
【０３８５】
次に、ステップＳ３３では、類似空間抽出部３３５ｇが、その他の対象空間（対象空間Ｒｍ以外の対象空間Ｒ１，Ｒ２，・・・ＲＮ）の、直近の１日分の人間分布データを人間分布データ記憶領域３４ｂから読み出す。
【０３８６】
次に、ステップＳ３４では、類似空間抽出部３３５ｇが、対象空間Ｒｍ以外の対象空間Ｒ１，Ｒ２，・・・ＲＮについて、在籍率の変動パターンの種類を判断する。類似空間抽出部３３５ｇによる、対象空間Ｒｍ以外の対象空間Ｒ１，Ｒ２，・・・ＲＮの在籍率の変動パターンの種類の判断方法は、ステップＳ３２で説明した対象空間Ｒｍの在籍率の変動パターンの種類の判断方法と同様であるので、ここでは説明を省略する。
【０３８７】
次に、ステップＳ３５では、類似空間抽出部３３５ｇは、対象空間Ｒ１，Ｒ２，・・・ＲＮの中で、在籍率の変動パターンが、対象空間Ｒｍの在籍率の変動パターンの種類と同一である空間を、対象空間Ｒｍの類似空間として抽出する。
【０３８８】
次に、ステップＳ３６では、省エネ関連情報生成部３３５ｈが、対象空間Ｒｍについて、直近の１日分の温度分布データを温度分布データ記憶領域３４ａから読み出す。また、省エネ関連情報生成部３３５ｈは、対象空間Ｒｍについて、直近の１日分の人間分布データを人間分布データ記憶領域３４ｂから読み出す。
【０３８９】
次に、省エネ関連情報生成部３３５ｈは、ステップＳ１００、ステップＳ１２０、及びステップＳ１４０に進み、ステップＳ３６で読み出した情報を用いて、それぞれ以下の（ａ）〜（ｃ）のように、対象空間Ｒｍに関して３つの値を算出する。
【０３９０】
（ａ）快適温度エリアに占める在籍エリアの割合
ステップＳ１００では、省エネ関連情報生成部３３５ｈは、対象空間Ｒｍについて、快適温度エリアに占める在籍エリアの割合を算出する。省エネ関連情報生成部３３５ｈは、具体的には、対象空間Ｒｍに人間が在籍している時間帯について、快適温度エリアに占める在籍エリアの割合を算出する。なお、快適温度エリアとは、温度分布データから、人間が快適と感じる温度範囲（設定値）にあると判断される区画を意味する。また、在籍エリアとは、温度分布データの各区画の中で、人間がいる区画を意味する。快適温度エリアに占める在籍エリアの割合とは、快適温度エリアかつ在籍エリアである区画の数の、快適温度エリアの総区画数に占める割合を意味する。対象空間Ｒｍの、快適温度エリアに占める在籍エリアの割合は、対象空間Ｒｍの温度分布に関する情報の一例である。
【０３９１】
省エネ関連情報生成部３３５ｈは、具体的には、例えば図２２のフローチャートの様に、快適温度エリアに占める在籍エリアの割合を算出する。
【０３９２】
まず、ステップＳ１０１では、省エネ関連情報生成部３３５ｈは、ステップＳ３６で読み出した人間分布データに基づいて、対象空間Ｒｍに人間が在籍している時間を決定する。
【０３９３】
次に、ステップＳ１０２では、省エネ関連情報生成部３３５ｈは、次回、ステップＳ１０４で算出処理に用いる、１の温度分布データを決定する。
【０３９４】
具体的には、省エネ関連情報生成部３３５ｈは、ステップＳ１０１で対象空間Ｒｍに人間が在籍していると決定された時間の温度分布データであって、後述するステップＳ１０４の処理でまだ用いられていない温度分布データの中で、最先の時間の温度分布データを、算出処理に用いる温度分布データと決定する。なお、ステップＳ１０１実施後、初めてステップＳ１０２の処理が行われる際には、ステップＳ１０１で対象空間Ｒｍに人間が在籍していると決定された時間の温度分布データの中で、最先の時刻の温度分布データが、算出処理に用いられる温度分布データと決定される。
【０３９５】
次に、ステップＳ１０３では、省エネ関連情報生成部３３５ｈは、次回、ステップＳ１０４で算出処理に用いる人間分布データを決定する。
【０３９６】
具体的には、ステップＳ１０３では、省エネ関連情報生成部３３５ｈは、ステップＳ３６で読み出した人間分布データの中から、ステップＳ１０２で決定した１の温度分布データと取得時刻が同じ人間分布データを決定する。なお、ここでは、上記のように、赤外線センサユニット２０により、温度分布データが１分間あたり１個生成されるのに対し、人間分布データは１分間あたり２０個生成される。そのため、ここでは、人間分布データの取得時刻の秒単位の値は無視して、ステップＳ１０２で決定された温度分布データと、取得時刻が分単位まで一致する２０個の人間分布データが、ステップＳ１０４で算出処理に用いる人間分布データと決定される。
【０３９７】
次に、ステップＳ１０４では、省エネ関連情報生成部３３５ｈは、ステップＳ１０２で決定した温度分布データと、ステップＳ１０３で決定した人間分布データと、を用いて、快適温度エリアかつ在籍エリアの温度時系列データの区画の数の、快適温度エリアの総区画数に占める割合を算出する。
【０３９８】
具体的には、省エネ関連情報生成部３３５ｈは、まず、ステップＳ１０３で決定した２０個の人時系列データのそれぞれ（例えば図１０のような人時系列データ）を、ステップＳ１０２で決定した温度分布データ（例えば図９のような温度時系列データ）と重ねあわせ、人間分布データ毎に、快適温度エリアかつ在籍エリアである温度時系列データの区画の数を取得する。ここでは、快適温度エリアかつ在籍エリアである温度分布データの区画の数は、ステップＳ１０３で決定された人間分布データの個数だけ（すなわち２０個）得られる。
【０３９９】
また、省エネ関連情報生成部３３５ｈは、ステップＳ１０２で決定した温度時系列データを用いて、快適温度エリアの総区画数を取得する。
【０４００】
そして、省エネ関連情報生成部３３５ｈは、快適温度エリアかつ在籍エリアの温度分布列データの区画の数の、快適温度エリアの総区画数に占める割合を算出する。具体的には、省エネ関連情報生成部３３５ｈは、取得した、２０個の快適温度エリアかつ在籍エリアの温度分布データの区画の数を用いて、快適温度エリアかつ在籍エリアの温度分布データの区画の数の、快適温度エリアの総区画数に占める割合の平均値を算出する。
【０４０１】
次に、ステップＳ１０５では、省エネ関連情報生成部３３５ｈは、ステップＳ１０１で対象空間Ｒｍに人が在籍している時間と決定された時間の温度分布データが、全て、ステップＳ１０４の処理で用いられたか否かが判定される。
【０４０２】
ステップＳ１０１で対象空間Ｒｍに人が在籍していると決定された時間の温度分布データの一部が、ステップＳ１０４の処理に用いられていないと判断されれば、ステップＳ１０２に戻る。ステップＳ１０２〜ステップＳ１０４の処理は、ステップＳ１０５で、ステップＳ１０１で対象空間Ｒｍに人間が在籍していると決定された時間の温度分布データが、全てステップＳ１０４の処理に用いられたと判断されるまで繰り返される。
【０４０３】
ステップＳ１０５において、ステップＳ１０１で対象空間Ｒｍに人間が在籍していると決定された時間の温度分布データが、全てステップＳ１０４の処理に用いられたと判定されると、ステップＳ１０６に進む。
【０４０４】
ステップＳ１０６では、省エネ関連情報生成部３３５ｈは、ステップＳ１０４で繰り返し算出された、快適温度エリアかつ在籍エリアの区画の数の、快適温度エリアの総区画数に占める割合について、平均を算出する処理を行う。このようにしてステップＳ１０６で算出される値が、対象空間Ｒｍの、快適温度エリアに占める在籍エリアの割合である。
【０４０５】
（ｂ）無人時の空間平均温度
ステップＳ１２０では、省エネ関連情報生成部３３５ｈは、対象空間Ｒｍについて、無人時の空間平均温度を算出する。なお、無人時とは、人間分布データから判断して、対象空間Ｒｍに人間が存在しないと判断される時間である。空間平均温度は、対象空間Ｒｍ全体の平均温度である。
【０４０６】
ステップＳ１２０では、具体的には、省エネ関連情報生成部３３５ｈは、ステップＳ３６で読み出した人間分布データに基づいて、対象空間Ｒｍに人が在籍していない時間を決定する。次に、省エネ関連情報生成部３３５ｈは、ステップＳ３６で読み出した温度分布データの中で、対象空間Ｒｍに人が在籍していないと決定した時間（無人時）の温度分布データを決定する。そして、省エネ関連情報生成部３３５ｈは、決定した各温度分布データについて、各区画の温度情報を用いて、各温度分布データの取得時刻における、対象空間Ｒｍの平均温度を算出する。さらに、省エネ関連情報生成部３３５ｈは、各温度分布データの取得された時間における対象空間Ｒｍの平均温度を用いて、無人時全体における、対象空間Ｒｍの平均温度を算出する。
【０４０７】
（ｃ）低在籍率時間
ステップＳ１４０では、省エネ関連情報生成部３３５ｈは、対象空間Ｒｍについて、在籍率が、所定の低在籍率範囲（例えば、０％より大きく１０％より小さい）内の値となる時間を、低在籍率時間として算出する。在籍率については、類似空間抽出部３３５ｇに関する説明の中で示したとおりである。
【０４０８】
ステップＳ１４０では、省エネ関連情報生成部３３５ｈは、ステップＳ３６で読み出された人間分布データに基づいて、対象空間Ｒｍに在籍する人間の数を人間分布データ別に把握する。そして、省エネ関連情報生成部３３５ｈは、人間分布データ別に把握した人間の数を、空間情報記憶領域３４ｄに記憶された対象空間Ｒｍの定員の数で割ることで、人間分布データ別の在籍率を算出する。省エネ関連情報生成部３３５ｈは、算出した在籍率が低在籍率範囲に該当する人間分布データの数を把握し、これに人間分布データの取得間隔（ここでは３秒）を乗じることで、対象空間Ｒｍの低在籍率時間を算出する。
【０４０９】
ステップＳ１００、ステップＳ１２０、及びステップＳ１４０の算出結果は、記憶部３３４の省エネ関連情報記憶領域３３４ｈに記憶される。
【０４１０】
ステップＳ１００、ステップＳ１２０、及びステップＳ１４０が終了すると、ステップＳ３７へ進む。
【０４１１】
ステップＳ３７では、省エネ関連情報生成部３３５ｈが、対象空間Ｒｍの類似空間について、直近の１日分の温度分布データを温度分布データ記憶領域３４ａから読み出す。また、省エネ関連情報生成部３３５ｈは、対象空間Ｒｍの類似空間について、直近の１日分の人間分布データを人間分布データ記憶領域３４ｂから読み出す。
【０４１２】
次に、ステップＳ２００、ステップＳ２２０、及びステップＳ２４０に進み、省エネ関連情報生成部３３５ｈは、ステップＳ３７で読み出した情報を用いて、空間別に、それぞれ快適温度エリアに占める在籍エリアの割合、無人時の空間平均温度、及び低在籍率時間を算出する。
【０４１３】
ステップＳ２００、ステップＳ２２０、及びステップＳ２４０の処理は、
１）算出の対象となる空間が対象空間Ｒｍではなく、対象空間Ｒｍの類似空間である点
２）通常、１つの空間ではなく、複数の類似空間について、それぞれ快適温度エリアに占める在籍エリアの割合、無人時の空間平均温度、及び低在籍率時間が算出される点
で、ステップＳ１００、ステップＳ１２０、及びステップＳ１４０の処理と相違するが、その他の点については、ステップＳ１００、ステップＳ１２０、及びステップＳ１４０の処理と同様であるため、説明は省略する。
【０４１４】
ステップＳ２００、ステップＳ２２０、及びステップＳ２４０の算出結果は、記憶部３３４の省エネ関連情報記憶領域３３４ｈに記憶される。
【０４１５】
なお、ステップＳ１００，ステップＳ１２０，ステップＳ１４０、ステップＳ２００、ステップＳ２２０、及びステップＳ２４０で算出された、対象空間Ｒｍ及び対象空間Ｒｍの類似空間の、快適温度エリアに占める在籍エリアの割合、無人時の空間平均温度、及び低在籍率時間は、対象空間Ｒｍの省エネ関連情報の一例である。
【０４１６】
特に、対象空間Ｒｍ及び対象空間Ｒｍの類似空間の、快適温度エリアに占める在籍エリアの割合は、対象空間Ｒｍの類似空間の温度分布に関する情報の一例である。また、対象空間Ｒｍの快適温度エリアに占める在籍エリアの割合は、対象空間Ｒｍの類似空間の快適温度エリアに占める在籍エリアの割合に対応する情報である。
【０４１７】
ステップＳ２００、ステップＳ２２０、及びステップＳ２４０が終了すると、ステップＳ３８へ進む。
【０４１８】
ステップＳ３８では、省エネ関連情報生成部３３５ｈが、ステップＳ１００，Ｓ１２０，Ｓ１４０で得られた対象空間Ｒｍについての情報（算出値）と、ステップＳ２００，Ｓ２２０，Ｓ２４０で得られた対象空間Ｒｍの類似空間についての情報（算出値）と、の比較情報を生成する。
【０４１９】
具体的には、省エネ関連情報生成部３３５ｈは、快適温度エリアに占める在籍エリアの割合、無人時の空間平均温度、及び低在籍率時間のそれぞれについて、対象空間Ｒｍ及び対象空間Ｒｍの類似空間のランキングを生成する。
【０４２０】
例えば、快適温度エリアに占める在籍エリアの割合であれば、値が小さいほど、人間のいない空間で、過剰な空調がされていることを意味している。そこで、省エネ関連情報生成部３３５ｈは、快適温度エリアに占める在籍エリアの割合が大きいほどランキングが上位になるように、対象空間Ｒｍ及び対象空間Ｒｍの類似空間について、ランキングを生成する。
【０４２１】
また、例えば、無人時の空間平均温度であれば、暖房時であれば温度が低いほど、冷房時であれば温度が高いほど、無駄なエネルギーの投入が少ないことを意味している。そこで、省エネ関連情報生成部３３５ｈは、無駄なエネルギーの投入が少ないほどランキングが上位になるように、対象空間Ｒｍ及び対象空間Ｒｍの類似空間について、ランキングを生成する。
【０４２２】
また、例えば、低在籍率時間であれば、その時間が短いほど、１人あたりのエネルギーの使用量が少ないことを意味する。そこで、省エネ関連情報生成部３３５ｈは、低在籍率時間が短いほどランキングが上位になるように、対象空間Ｒｍ及び対象空間Ｒｍの類似空間について、ランキングを生成する。
【０４２３】
（４）省エネ関連情報の提示処理
省エネ関連情報生成部３３５ｈにより生成され、省エネ関連情報記憶領域３３４ｈに記憶された対象空間Ｒｍ用の省エネ関連情報は、対象空間Ｒｍ用の省エネ関連情報の生成要求を送信したコンピュータ５０の図示しない出力部と、メインコンピュータ３３０の出力部３３と、に提示される。一方、入力部３２に対象空間Ｒｍ用の省エネ関連情報の生成要求が入力された場合には、省エネ関連情報生成部３３５ｈにより生成され、省エネ関連情報記憶領域３３４ｈに記憶された対象空間Ｒｍ用の省エネ関連情報は、出力部３３に提示される。
【０４２４】
コンピュータ５０の図示しない出力部や、メインコンピュータ３３０の出力部３３には、具体的には、以下の様な形式で省エネ関連情報が提示される。
【０４２５】
例えば、快適温度エリアに占める在籍エリアの割合、無人時の空間平均温度、及び低在籍率時間は、度数分布を表すヒストグラムとして提示される。この時、コンピュータ５０の図示しない出力部や、出力部３３には、対象空間Ｒｍがヒストグラムのどの階級に位置するかが判別可能に提示される。例えば、コンピュータ５０の図示しない出力部や、出力部３３には、対象空間Ｒｍが含まれるヒストグラムだけが異なる色で提示されることで、対象空間Ｒｍがその階級に属することが判別可能に提示される。また、コンピュータ５０の図示しない出力部や、出力部３３には、対象空間Ｒｍ及び対象空間Ｒｍの類似空間の、省エネ関連情報の快適温度エリアに占める在籍エリアの割合、無人時の空間平均温度、及び低在籍率時間に関するランキング（比較情報）が表示される。
【０４２６】
また、コンピュータ５０の図示しない出力部や、出力部３３には、コンピュータ５０の図示しない入力部や入力部３２から更に指示が与えられることで、空間情報記憶領域３４ｄに記憶されている、対象空間Ｒｍ及び対象空間Ｒｍの類似空間の、空間の仕様に関する情報、例えば、対象空間Ｒｍや対象空間Ｒｍの類似空間が存在する建物の建設年や、対象空間Ｒｍや対象空間Ｒｍの類似空間の用途等が表示される。また、例えば、コンピュータ５０の図示しない出力部や、出力部３３には、対象空間Ｒｍ及び対象空間Ｒｍに設置されている機器の仕様に関する情報、例えば、空調装置の能力（容量）や、型式等が表示される。
【０４２７】
（５）特徴
温度分布データ生成システム３００は、第１実施形態に記載した、温度分布データ生成システム１００の特徴（５−１）〜（５−７）と同様の特徴を有する。その他の、第３実施形態に係る温度分布データ生成システム３００の特徴について以下に説明する。
【０４２８】
（５−１）
温度分布データ生成システム３００では、取得部としての多数のセンサ部２１は、多数の対象空間Ｒ１，Ｒ２，・・・ＲＮについて熱画像データを取得する。温度分布データ生成システム３００は、受付部の例としての通信部３１及び入力部３２と、類似空間抽出部３３５ｇと、省エネ関連情報生成部３３５ｈと、を備える。通信部３１及び入力部３２は、多数の対象空間Ｒ１，Ｒ２，・・・ＲＮに含まれる第１空間の一例としての対象空間Ｒｍ用の省エネ関連情報の生成要求を受け付ける。類似空間抽出部３３５ｇは、対象空間Ｒｍの所定期間の人間分布データに基づき、多数の対象空間Ｒ１，Ｒ２，・・・ＲＮから、対象空間Ｒｍと類似する利用状況のパターンを有する類似空間を抽出する。省エネ関連情報生成部３３５ｈは、省エネ関連情報として、対象空間Ｒｍの類似空間の温度分布データに基づいた、対象空間Ｒｍの類似空間の温度分布に関する情報(快適温度エリアに占める在籍エリアの割合）を生成する。
【０４２９】
ここでは、人間分布データに基づいて、評価対象の対象空間Ｒｍと利用状況のパターンが類似する類似空間が抽出され、対象空間Ｒｍ用の省エネ関連情報として、類似空間の温度分布に関する情報が生成される。そのため、生成された省エネ関連情報に基づいて対象空間Ｒｍの相対評価を適切に行うことが可能である。
【０４３０】
特に、ここでは、省エネ関連情報としての温度分布に関する情報を生成する際に用いられる温度分布データが、人間の影響が取り除かれた温度分布データであるため、対象空間Ｒｍの相対評価を適切に行うことが容易である。
【０４３１】
（６）変形例
第３実施形態に係る温度分布データ生成システム３００には、矛盾のない範囲で、前述の第１、第２、又は第４実施形態に係る構成や、第１、第２、又は第４実施形態の変形例に係る構成が適用されてもよい。
【０４３２】
以下に第３実施形態の変形例を示す。以下の変形例は、互いに矛盾しない範囲で、他の変形例（第１、第２又は第４実施形態の構成や、第１、第２、又は第４実施形態の変形例を含む）の一部又は全部と組合せて用いられてもよい。
【０４３３】
（６−１）変形例３Ａ
上記実施形態では、類似空間抽出部３３５ｇは、１日の在籍率変動パターンの種類が対象空間Ｒｍと同一の対象空間Ｒ１，Ｒ２，・・・ＲＮを、対象空間Ｒｍの類似空間として抽出するが、これに限定されるものではない。
【０４３４】
例えば、類似空間抽出部３３５ｇは、１週間の在籍率変動パターンの種類が対象空間Ｒｍと同一の対象空間Ｒ１，Ｒ２，・・・ＲＮを、対象空間Ｒｍの類似空間として抽出してもよい。例えば、１週間の在籍率変動パターンの種類は、週休１日型、週休２日型、土日営業型等である。
【０４３５】
また、類似空間抽出部３３５ｇは、１日の在籍率変動パターンの種類が対象空間Ｒｍと同一で、かつ、１週間の在籍率変動パターンの種類も対象空間Ｒｍと同一の対象空間Ｒ１，Ｒ２，・・・ＲＮを、対象空間Ｒｍの類似空間として抽出してもよい。
【０４３６】
また、類似空間抽出部３３５ｇは、在籍率の変動パターン以外の情報、例えば、空間情報記憶領域３４ｄに記憶された対象空間Ｒ１，Ｒ２，・・・ＲＮの面積や、対象空間Ｒ１，Ｒ２，・・・ＲＮの用途の情報等も併せて用いることで、対象空間Ｒｍの類似空間を抽出してもよい。
【０４３７】
（６−２）変形例３Ｂ
上記実施形態では、省エネ関連情報生成部３３５ｈは、省エネ関連情報として、快適温度エリアに占める在籍エリアの割合、無人時の空間平均温度、及び低在籍率時間を生成するが、省エネ関連情報生成部３３５ｈが生成する省エネ関連情報はこれに限定されるものではない。例えば、省エネ関連情報生成部３３５ｈは、人間が対象空間Ｒｍに在籍している時間について、在籍エリアに占める快適温度エリアの割合を算出してもよい。在籍エリアに占める快適温度エリアの割合とは、在籍エリアかつ快適温度エリアである温度分布データの区画の数の、在籍エリアの総区画数に占める割合を意味する。ここでは、在籍エリアに占める快適温度エリアの割合を算出することで、温熱環境に関する不満者の割合を予測することができる。そして、予測される不満者の割合に基づいて、対象空間Ｒｍと、対象空間Ｒｍの類似空間と、を相対比較することができる。
【０４３８】
（６−３）変形例３Ｃ
上記実施形態では、メインコンピュータ３３０の記憶部３３４だけが記憶部として機能するが、これに限定されるものではない。例えば、温度分布データ生成システム３００は、記憶部として、メインコンピュータ３３０の記憶部３３４に加え、外部データベース３３４’を有していてもよい（図２３参照）。外部データベース３３４’は、通信ネットワーク１０によりメインコンピュータ３３０と通信可能に構成されている。
【０４３９】
そして、外部データベース３３４’には、例えば、対象空間Ｒ１，Ｒ２，・・・ＲＮの空調のために使用される空調装置の電力消費量に関する情報が記憶されていてもよい。そして、省エネ関連情報生成部３３５ｈは、類似空間抽出部３３５ｇが対象空間Ｒｍの類似空間を抽出すると、外部データベース３３４’から、対象空間Ｒｍと対象空間Ｒｍの類似空間との空調装置の電力消費量に関する情報を取得してもよい。そして、省エネ関連情報生成部３３５ｈは、対象空間Ｒｍの空調のために使用される空調装置の電力消費量に関する情報と、対象空間Ｒｍの類似空間で使用される空調装置の電力消費量に関する情報と、の比較情報を、省エネ関連情報として生成してもよい。
【０４４０】
例えば、外部データベース３３４’には、対象空間Ｒ１，Ｒ２，・・・ＲＮの空調装置の電力消費量を、対象空間Ｒ１，Ｒ２，・・・ＲＮの面積でそれぞれ除した、空調装置の単位床面積あたりのエネルギー消費原単位が、対象空間Ｒ１，Ｒ２，・・・ＲＮ別に記憶されてもよい。省エネ関連情報生成部３３５ｈは、この情報に基づいて、対象空間Ｒｍ及び対象空間Ｒｍの類似空間のランキングを生成してもよい。省エネ関連情報生成部３３５ｈは、例えば、空調装置の単位床面積あたりのエネルギー消費原単位について、エネルギー消費原単位の値が小さいほどランキングが上位になるように、対象空間Ｒｍ及び対象空間Ｒｍの類似空間のランキングを生成してもよい。
【０４４１】
以上のように構成されることで、省エネ関連情報を用いて対象空間Ｒｍのエネルギー使用状況を相対的に評価することが容易である。
【０４４２】
（６−４）変形例３Ｄ
変形例３Ｃの外部データベース３３４’には、例えば、対象空間Ｒ１，Ｒ２，・・・，ＲＮの空調装置の電力使用量に関する情報に加えて、あるいは、対象空間Ｒ１，Ｒ２，・・・，ＲＮの空調装置の電力使用量に関する情報に代えて、対象空間Ｒ１，Ｒ２，・・・，ＲＮの契約電力に関する情報が記憶されていてもよい。そして、コンピュータ５０の図示しない入力部や入力部３２から指示を与えることで、コンピュータ５０の図示しない出力部や、出力部３３には、外部データベース３３４’に記憶されている、対象空間Ｒｍ及び対象空間Ｒｍの類似空間の契約電力が表示されるように構成されてもよい。
【０４４３】
＜第４実施形態＞
本発明の第４実施形態に係る温度分布データ生成システム４００について説明する。なお、温度分布データ生成システム４００は、温度分布データ生成システム１００、２００、又は３００と重複する点も多いため、ここでは、温度分布データ生成システム４００と温度分布データ生成システム１００、２００、又は３００との相違点を主に説明する。
【０４４４】
（１）全体構成
図２４は、本発明の第４実施形態に係る温度分布データ生成システム４００の概要図である。温度分布データ生成システム４００は、複数の赤外線センサユニット２０を有しており、１つの対象空間Ｒのみではなく、多数の対象空間Ｒの定常温度の分布を示す温度分布データ及び人間分布データを生成する。本実施形態では、温度分布データ生成システム４００が、活動空間ＳＰ１に含まれる複数（ここでは３つ）の対象空間Ｒに関し温度分布データ及び人間分布データを生成する場合を例に挙げて説明する。
【０４４５】
図２５は、温度分布データ生成システム４００の赤外線センサユニット２０が配置される活動空間ＳＰ１を、上方から見た場合を模式的に示した図である。図２５では、第１空間内の人間の位置が丸印によって表わされ、第１空間の天井に取り付けられる赤外線センサユニット２０が二点鎖線によって表わされている。また、第１空間内における各対象空間Ｒが、一点鎖線若しくは破線で表わされている。
【０４４６】
活動空間ＳＰ１は、例えばオフィスとして用いられる空間である。ただし、これに限定されるものではなく、活動空間ＳＰ１は、商業施設、学校、ホテル、住居等として用いられる空間であってもよい。活動空間ＳＰ１では、通常時において、複数の人間が滞在している。図２５においては、活動空間ＳＰ１に９人の人間（Ｐ１、Ｐ２、・・・Ｐ９）が滞在している。
【０４４７】
活動空間ＳＰ１には、複数（ここでは３つ）の赤外線センサユニット２０（２０ａ、２０ｂ、２０ｃ）が配設されている。各赤外線センサユニット２０は、太陽電池等の電源ユニットを有しており、照明器具等が生成した光エネルギーを受光し、電力に変換して電源を得ている。なお、活動空間ＳＰ１に配設される赤外線センサユニット２０の数は、必ずしも３つに限定されず、３つ未満であってもよいし、４つ以上であってもよい。
【０４４８】
活動空間ＳＰ１には、赤外線センサユニット２０の数と同数の対象空間Ｒが含まれている。本実施形態における各対象空間Ｒは、赤外線センサユニット２０が熱画像データを取得する所定領域に相当する。具体的に、活動空間ＳＰ１には、３つの赤外線センサユニット２０が配設されていることに応じて、３つの対象空間Ｒ１０、Ｒ２０、及びＲ３０が含まれている。なお、活動空間ＳＰ１に含まれる対象空間Ｒの数は、必ずしも３つに限定されず、活動空間ＳＰ１に配設される赤外線センサユニット２０の数に応じて、３つ未満であってもよいし、４つ以上であってもよい。
【０４４９】
具体的に、対象空間Ｒ１０（図２５において左側の一点鎖線で囲われた中央より左側の領域）は、赤外線センサユニット２０ａが熱画像データを取得する所定領域に相当する。対象空間Ｒ２０（図２５において破線で囲われた中央の領域）は、赤外線センサユニット２０ｂが熱画像データを取得する所定領域に相当する。対象空間Ｒ３０（図２５において右側の一点鎖線で囲われた中央より右側の領域）は、赤外線センサユニット２０ｃが熱画像データを取得する所定領域に相当する。
【０４５０】
図２５では、対象空間Ｒ１０には、４人の人間（Ｐ１、Ｐ２、Ｐ３、Ｐ４）が滞在している。また、対象空間Ｒ２０には、６人の人間（Ｐ３、Ｐ４、Ｐ５、Ｐ６、Ｐ７、Ｐ８）が滞在している。また、対象空間Ｒ３０には、３人の人間（Ｐ７、Ｐ８、Ｐ９）が滞在している。
【０４５１】
各対象空間Ｒ１０，Ｒ２０，Ｒ３０には、各赤外線センサユニット２０の配設位置に関連して、他のいずれかの対象空間Ｒと重複する領域が含まれる。以下、各対象空間Ｒのうち他の対象空間Ｒと重複している領域を、「重複エリア８０」と称する。
【０４５２】
具体的には、図２６に示すように、対象空間Ｒ１０と対象空間Ｒ２０とは、それぞれの一部が互いに重複しており、共通の重複エリア８０ａを含んでいる（図２６のハッチング部分参照）。重複エリア８０ａには２人の人間（Ｐ３、Ｐ４）が滞在している。
【０４５３】
また、対象空間Ｒ２０と対象空間Ｒ３０とは、図２７に示すように、それぞれの一部が互いに重複しており、共通の重複エリア８０ｂを含んでいる（図２７のハッチング部分参照）。重複エリア８０ｂには２人の人間（Ｐ６、Ｐ７）が滞在している。
【０４５４】
温度分布データ生成システム４００では、各対象空間Ｒ（Ｒ１０、Ｒ２０、Ｒ３０）の定常温度の分布を示す温度分布データと、各対象空間Ｒ内の人間の分布を示す人間分布データと、が個別に生成され、生成された各温度分布データ及び／又は人間分布データを用いて各種処理が実行される。
【０４５５】
例えば、温度分布データ生成システム４００は、生成した温度分布データに基づき、第１実施形態において説明したのと同様の態様で、各対象空間Ｒの温度分布状況に関し改善が必要な要改善領域を検出し、これに基づいて活動空間ＳＰ１に関する改善提案を生成する。また、例えば、温度分布データ生成システム４００は、生成した温度分布データ及び人間分布データに基づき、第２実施形態において説明したのと同様の態様で、活動空間ＳＰ１内の温度分布状況及び人間分布状況に関して、人間の位置の変化及び温度分布の変化を同時に認識可能な動画を生成する。また、例えば、温度分布データ生成システム４００は、生成した温度分布データ及び人間分布データに基づき、第３実施形態において説明したのと同様の態様で、活動空間ＳＰ１に関して省エネ関連情報を生成する。
【０４５６】
温度分布データ生成システム４００は、複数の赤外線センサユニット２０に加えて、コンセントレータ６０と、メインコンピュータ４３０と、を有している。
【０４５７】
赤外線センサユニット２０は、所定時間ｔ１毎に対象空間Ｒの温度分布を測定して、複数の画素から構成される熱画像データを取得する。また、赤外線センサユニット２０は、対応する対象空間Ｒに係る熱画像データを取得すると、他の実施形態において説明したのと同様の態様により、取得した熱画像データから当該対象空間Ｒに存在する人間の影響を取り除いて、当該対象空間Ｒの定常温度の分布を示す温度分布データを抽出する。また、赤外線センサユニット２０は、熱画像データを取得すると、他の実施形態において説明したのと同様の態様により、取得した熱画像データから、当該対象空間Ｒに存在する人間の分布を示す人間分布データを抽出する。赤外線センサユニット２０は、抽出した温度分布データ及び人間分布データを、コンセントレータ６０に送信する。すなわち、赤外線センサユニット２０は、定期的に温度分布データ及び人間分布データを、コンセントレータ６０に送信する。なお、本実施形態において、所定時間ｔ１は３０ｓｅｃに設定されている。
【０４５８】
コンセントレータ６０は、各赤外線センサユニット２０と、所定のプロトコルに基づいて無線通信又は有線通信を行えるように構成されている。コンセントレータ６０は、所定のタイミングで各赤外線センサユニット２０から温度分布データ及び／又は人間分布データを受信する。本実施形態では、コンセントレータ６０は、各赤外線センサユニット２０から送信された温度分布データ及び人間分布データを、所定時間ｔ１毎に受信する。コンセントレータ６０は、受信した各データを集めて、所定のタイミングでメインコンピュータ４３０へ送信する。すなわち、コンセントレータ６０は、所定時間ｔ１に１回、各温度分布データ及び人間分布データを受信し、まとめてメインコンピュータ４３０へ送信する。本実施形態では、係る一連の処理を、通信ネットワーク１０において定期的に行われるデータ送受信の１サイクルとする。
【０４５９】
メインコンピュータ４３０は、活動空間ＳＰ１とは別の場所、例えば、活動空間ＳＰ１が存在する建物内の中央管理室に設置されている。コンセントレータ６０とメインコンピュータ４３０とは、ＬＡＮ（Local Area Network）等の通信ネットワーク１０により無線通信又は有線通信を行えるように接続されている。メインコンピュータ４３０は、通信ネットワーク１０を介して、コンセントレータ６０が送信し（各赤外線センサユニット２０が生成し）た温度分布データ及び／又は人間分布データを受信する。
【０４６０】
なお、メインコンピュータ４３０は、活動空間ＳＰ１の存在する建物以外の場所、例えば遠隔地にある管理センターに配置されてもよい。また、メインコンピュータ４３０は、活動空間ＳＰ１内に配置されてもよい。また、通信ネットワーク１０は、ＬＡＮである必要はなく、例えばインターネット等のＷＡＮ（Wide Area Network）でもよい。
【０４６１】
メインコンピュータ４３０は、赤外線センサユニット２０が生成しコンセントレータ６０によって送信された温度分布データ及び人間分布データを受信し、後述する記憶部４３４に記憶する。また、メインコンピュータ４３０は、外気温センサ４０が検出する外気温を受け付け、記憶部４３４に記憶する。
【０４６２】
（２）メインコンピュータの詳細
以下、メインコンピュータ４３０の詳細について説明する。
【０４６３】
図２８は、本発明の第４実施形態に係る温度分布データ生成システム４００のブロック図である。
【０４６４】
メインコンピュータ４３０は、多数の赤外線センサユニット２０により生成された温度分布データ及び人間分布データを、他の赤外線センサユニット２０により生成された温度分布データ及び人間分布データと区別して受信し、記憶部４３４に記憶する。メインコンピュータ４３０は、記憶部４３４に記憶されたデータに基づき所定の情報を生成する。例えばメインコンピュータ４３０は、温度分布データ及び／又は人間分布データに基づき、第１実施形態で説明した改善提案や、第２実施形態で説明した動画、又は第３実施形態で説明した省エネ関連情報を生成する。
【０４６５】
メインコンピュータ４３０は、主に、ＣＰＵ、ＲＯＭやＲＡＭ等のメモリ、ＨＤＤ等の補助記憶装置、及び入出力デバイスを有する。
【０４６６】
メインコンピュータ４３０は、機能部として、通信部４３１、入力部４３２、出力部４３３、記憶部４３４、処理部４３５、マスク処理部４３６、及びデータ補間部４３７を主に有している。
【０４６７】
（２−１）通信部
メインコンピュータ４３０は、通信部４３１を介して、コンセントレータ６０や他のコンピュータ（図示省略）等と、所定のプロトコルに基づいて通信を行う。通信部４３１は、通信ネットワーク１０を介して受信した温度分布データを及び人間分布データを記憶部４３４の所定の記憶領域に格納する。より詳細には、通信部４３１は、除外データ記憶領域４３４ｇ（後述）において格納されている除外データ情報（後述）を参照し、受信した温度分布データ及び人間分布データに除外データ（後述）が含まれていれば、温度分布データ及び人間分布データのうち除外データを除いたデータを記憶部４３４に格納する。
【０４６８】
（２−２）入力部
入力部４３２は、主としてキーボード、マウス等を有する。入力部４３２は、温度分布データ生成システム４００のユーザから、各種指令や各種情報を受け付ける。
【０４６９】
（２−３）出力部
出力部４３３は、主としてディスプレイを有する。出力部４３３には、例えば、メインコンピュータ４３０が生成した、改善提案、動画、省エネ関連情報等が表示される。
【０４７０】
（２−４）記憶部
記憶部４３４は、他の実施形態に係る記憶部３４と機器構成は同様である。記憶部４３４には、メインコンピュータ４３０に含まれる各部が処理を実行するためのプログラム、が記憶されている。また、記憶部４３４には、各種情報が記憶されている。記憶部４３４は、情報を記憶する領域として、温度分布データ記憶領域４３４ａと、人間分布データ記憶領域４３４ｂと、外気温記憶領域４３４ｃと、空間情報記憶領域４３４ｄと、所定情報記憶領域４３４ｅと、センサ情報記憶領域４３４ｆと、除外データ記憶領域４３４ｇと、通信異常判別情報記憶領域４３４ｈと、を有する。
【０４７１】
温度分布データ記憶領域４３４ａには、コンセントレータ６０から定期的に（ここでは所定時間ｔ１毎に）送信されてくる各温度分布データが、時系列の情報として記憶される。より詳細には、温度分布データ記憶領域４３４ａにおいては、温度分布データは、当該温度分布データを生成した赤外線センサユニット２０の情報と関連づけて格納されている。温度分布データ記憶領域４３４ａは、作成したユニット（赤外線センサユニット２０）毎に、所定個数の温度分布データを格納可能な記憶容量を有している。具体的に、温度分布データ記憶領域４３４ａは、作成したユニット（赤外線センサユニット２０）毎に、３０個の温度分布データを格納可能である。温度分布データ記憶領域４３４ａにおいて、いずれかの赤外線センサユニット２０が作成した温度分布データが３０個を超えて格納される場合には、最も古い温度分布データが削除される。
【０４７２】
人間分布データ記憶領域４３４ｂには、コンセントレータ６０から定期的に（ここでは１分毎に）送信されてくる人間分布データが、時系列の情報として記憶される。人間分布データ記憶領域４３４ｂにおいては、人間分布データは、当該人間分布データを生成した赤外線センサユニット２０の情報と関連づけて格納されている。人間分布データ記憶領域４３４ｂは、作成したユニット（赤外線センサユニット２０）毎に、所定個数の人間分布データを格納可能な記憶容量を有している。具体的に、人間分布データ記憶領域４３４ｂは、作成したユニット（赤外線センサユニット２０）毎に、３０個の人間分布データを格納可能である。人間分布データ記憶領域４３４ｂにおいて、いずれかの赤外線センサユニット２０が作成した人間分布データが３０個を超えて格納される場合には、最も古い人間分布データが削除される。
【０４７３】
外気温記憶領域４３４ｃには、外気温センサ４０から定期的に（ここでは１分毎に）送信されてくる外気温が、時系列の情報として記憶される。
【０４７４】
空間情報記憶領域４３４ｄには、活動空間ＳＰ１及び各対象空間Ｒに関する各種情報が記憶されている。空間情報記憶領域４３４ｄには、例えば温度分布データ生成システム４００の導入時に、入力部４３２を介して入力された各種情報が記憶される。空間情報記憶領域４３４ｄに記憶される各種情報（以下、単に「空間情報」と称する）には、例えば、活動空間ＳＰ１が存在する建物の所在地、建設年、建物構造等に関する情報や、活動空間ＳＰ１の面積や用途、及び活動空間ＳＰ１の平面図に関する情報が含まれる。また、空間情報には、例えば、活動空間ＳＰ１で使用される機器（空調装置や換気装置）の仕様、能力、及び形式に関する情報が含まれる。また、空間情報には、例えば、活動空間ＳＰ１の定員（活動空間ＳＰ１にいることが想定される人数）に関する情報が含まれる。なお、空間情報には、上記以外の情報が含まれていてもよく、上記情報の一部が含まれていなくてもよい。
【０４７５】
所定情報記憶領域４３４ｅには、処理部４３５が所定の情報（改善提案、動画、省エネ関連情報等を生成するための各種情報）が記憶されている。
【０４７６】
センサ情報記憶領域４３４ｆには、活動空間ＳＰ１内に配設された各赤外線センサユニット２０（２０ａ、２０ｂ、２０ｃ）の情報が記憶されている。具体的には、センサ情報記憶領域４３４ｆには、各赤外線センサユニット２０を識別するセンサ識別情報と、活動空間ＳＰ１内における各赤外線センサユニット２０の配設位置を示すセンサ位置情報と、各赤外線センサユニット２０が熱画像を得る範囲（すなわち、温度分布データおよび人間分布データを生成する範囲）を示すセンシング範囲情報と、が記憶されている。センサ識別情報、センサ位置情報及びセンシング範囲情報は、初期設定時にユーザによって入力される。以下の説明においては、センサ識別情報と、センサ位置情報と、センシング範囲情報と、を併せて「センサ情報」と称する。
【０４７７】
除外データ記憶領域４３４ｇには、マスク処理部４３６のマスク処理（後述）によって指定された除外データに関する情報（除外データ情報）が格納されている。除外データ情報は、通信部４３１によって参照される。除外データ情報は、通信部４３１が受信した温度分布データのうち温度分布データ記憶領域４３４ａに格納する必要がない部分（画素）を特定する情報である。また、除外データ情報は、通信部４３１が受信した人間分布データのうち人間分布データ記憶領域４３４ｂに格納する必要がない部分（画素）を特定する情報である。
【０４７８】
通信異常判別情報記憶領域４３４ｈは、所定のビット数を有する複数の通信異常判別フラグＦＲが含まれている。具体的に、通信異常判別情報記憶領域４３４ｈには、コンセントレータ６０から１サイクルで送信されるデータ数に対応する通信異常判別フラグＦＲが含まれている。本実施形態では、１サイクルでコンセントレータ６０から送信されるデータは、対象空間Ｒ１０、Ｒ２０、又はＲ３０に関するそれぞれの温度分布データ及び人間分布データであるので、６つの通信異常判別フラグＦＲ（Ｆ１ａ、Ｆ１ｂ、Ｆ２ａ、Ｆ２ｂ、Ｆ３ａ、Ｆ３ｂ）が含まれている。
【０４７９】
通信異常判別フラグＦ１ａは、対象空間Ｒ１０に関する温度分布データに対応している。通信異常判別フラグＦ１ｂは、対象空間Ｒ１０に関する人間分布データに対応している。通信異常判別フラグＦ２ａは、対象空間Ｒ２０に関する温度分布データに対応している。通信異常判別フラグＦ２ｂは、対象空間Ｒ２０に関する人間分布データに対応している。通信異常判別フラグＦ３ａは、対象空間Ｒ３０に関する温度分布データに対応している。通信異常判別フラグＦ３ｂは、対象空間Ｒ３０に関する人間分布データに対応している。
【０４８０】
各通信異常判別フラグＦＲは、データ補間部４３７によって、対応するデータの通信異常が生じたと判定される際に立てられる。各通信異常判別フラグＦＲが立てられることで、メインコンピュータ４３０の各部は、通信異常が生じたデータを認識できるようになっている。
【０４８１】
（２−５）処理部
処理部４３５は、記憶部４３４に記憶されているプログラムを実行することで、各種処理を実行する。
【０４８２】
例えば、処理部４３５は、第１実施形態の処理部３５（図３）に相当する。係る場合、処理部４３５は、記憶部４３４に記憶されているプログラムを実行することで、対象空間Ｒの温度分布状況に関し改善が必要な要改善領域（改善が必要な可能性のある領域を含む）を検出し、これに基づき活動空間ＳＰ１に対して温度分布状況に関する改善提案を生成する。
【０４８３】
また、例えば、処理部４３５は、第２実施形態の処理部２３５（図１２等）に相当する。係る場合、処理部４３５は、所定のタイミングで、特定期間における活動空間ＳＰ１内の人間の位置の変化及び温度分布の変化を同時に認識可能な動画を生成する。
【０４８４】
また、例えば、処理部４３５は、第３実施形態の処理部３３５（図２０等）に相当する。係る場合、処理部４３５は、他のユニットからの要求に応じて、活動空間ＳＰ１用の省エネ関連情報を生成する。
【０４８５】
（２−６）マスク処理部
マスク処理部４３６は、空間情報記憶領域４３４ｄに記憶されている空間情報と、センサ情報記憶領域４３４ｆに格納されているセンサ情報（センサ識別情報、センサ位置情報及びセンシング範囲情報）と、を用いてマスク処理を実行する。マスク処理部４３６は、受信した温度分布データ又は人間分布データのうち、蓄積が不要な部分を抽出して蓄積対象から除外する処理である。
【０４８６】
本実施形態においては、上述のように、活動空間ＳＰ１に複数の赤外線センサユニット２０が配設され、いずれかの対象空間Ｒは他の対象空間Ｒと共通の重複エリア８０を含んでいる。このため、メインコンピュータ４３０が受信する温度分布データ及び人間分布データのうち、いずれかの赤外線センサユニット２０によって生成された温度分布データ（以下、「第１温度分布データ」と称する）及び人間分布データ（以下、「第１人間分布データ」と称する）は、他の赤外線センサユニット２０によって生成された温度分布データ（以下、「第２温度分布データ」と称する）及び人間分布データ（以下、「第２人間分布データ」と称する）と、重複部分（以下、当該重複部分を「重複データ」と称する）を有する。マスク処理は、第１温度分布データ又は第１人間分布データに含まれる重複データを、記憶部４３４への蓄積対象から除外するデータ（以下、「除外データ」と称する）として指定する処理である。
【０４８７】
ここで、マスク処理が実行されることなく、記憶部４３４に、第１温度分布データ及び第２温度分布データ、又は、第１人間分布データ又は第２人間分布データをそのまま記憶したのでは、処理部４３５において実行される各処理の実行結果において、活動空間ＳＰ１の温度状況及び人間分布状況が正確に反映されないケースが生じうる。
【０４８８】
例えば、上述のように、対象空間Ｒ１０には４人の人間が滞在しており、対象空間Ｒ２０には６人の人間が滞在しており、対象空間Ｒ３０には３人の人間が滞在している。このため、赤外線センサユニット２０ａによって対象空間Ｒ１０に関して生成された人間分布データには、図２９のように４人の人間が示されることとなる。また、赤外線センサユニット２０ｂによって対象空間Ｒ２０に関して生成された人間分布データには、図３０のように６人の人間が示されることとなる。また、赤外線センサユニット２０ｃによって対象空間Ｒ３０に関して生成された人間分布データには、図３１のように３人の人間が示されることとなる。
【０４８９】
よって、各人間分布データに示される人間の合計人数は、１３人となり、実際に活動空間ＳＰ１に滞在している人間の数（９人）とは相違する。
【０４９０】
したがって、マスク処理が実行されずに、記憶部４３４に、第１温度分布データ及び第２温度分布データ、又は、第１人間分布データ又は第２人間分布データをそのまま記憶したのでは、処理部４３５において実行される各処理の実行結果において、活動空間ＳＰ１の温度状況及び人間分布状況が正確に反映されないケースが生じうる。
【０４９１】
また、マスク処理が実行されずに、記憶部４３４に、第１温度分布データ及び第２温度分布データ、又は、第１人間分布データ又は第２人間分布データをそのまま記憶したのでは、記憶部４３４において、内容が同一の２つの重複データを記憶することとなり、記憶容量を無駄に使用することになる。
【０４９２】
このような課題を解決すべく、内容が同一の２つの重複データが記憶部４３４に記憶されることを抑制すべく、マスク処理部４３６が、マスク処理を行っている。
【０４９３】
マスク処理部４３６は、空間情報記憶領域４３４ｄに記憶されている空間情報と、センサ情報記憶領域４３４ｆに格納されているセンサ情報と、を用いてマスク処理を実行する。具体的には、マスク処理部４３６は、空間情報と、センサ情報と、に基づいて、活動空間ＳＰ１に含まれる各対象空間Ｒを抽出する。ここで、赤外線センサユニット２０が熱画像データを取得する範囲（すなわち対象空間Ｒ）はセンシング情報を得ることで認識可能であり、空間情報、センサ識別情報、及びセンサ位置情報によって各赤外線センサユニット２０の活動空間ＳＰ１内における座標情報を得ることで、マスク処理部４３６は、各対象空間Ｒが抽出可能となる。
【０４９４】
マスク処理部４３６は、例えば、図３２に示すような流れでマスク処理を実行する。なお、図３２に示すマスク処理の流れは、一例であり、適宜変更が可能である。以下、図３２に沿って、説明する。
【０４９５】
ステップＳ２０１において、マスク処理部４３６は、空間情報記憶領域４３４ｄを参照し、空間情報が格納されているか否かを判定する。当該判定がＮＯの場合（すなわち、空間情報記憶領域４３４ｄに空間情報が格納されていない場合）には、当該判定を繰り返す。一方、当該判定がＹＥＳの場合（すなわち、空間情報記憶領域４３４ｄに空間情報が格納されている場合）には、ステップＳ２０２へ進む。
【０４９６】
ステップＳ２０２において、マスク処理部４３６は、空間情報記憶領域４３４ｄに格納されている空間情報を取得する。その後、ステップＳ２０３へ進む。
【０４９７】
ステップＳ２０３において、マスク処理部４３６は、センサ情報記憶領域４３４ｆを参照し、センサ情報（センサ識別情報、センサ位置情報及びセンシング範囲情報）が格納されているか否かを判定する。当該判定がＮＯの場合（すなわち、センサ情報記憶領域４３４ｆにセンサ情報が格納されていない場合）には、ステップＳ２０１に戻る。一方、当該判定がＹＥＳの場合（すなわち、センサ情報記憶領域４３４ｆにセンサ情報が格納されている場合）には、ステップＳ２０４へ進む。
【０４９８】
ステップＳ２０４において、マスク処理部４３６は、センサ情報記憶領域４３４ｆに格納されているセンサ情報を取得する。その後、ステップＳ２０５へ進む。
【０４９９】
ステップＳ２０５において、マスク処理部４３６は、取得した空間情報とセンサ情報とに基づき演算を行い、各赤外線センサユニット２０に対応する対象空間Ｒを個別に抽出する。例えば、図２５のような態様で各赤外線センサユニット２０が配設される場合、マスク処理部４３６は、赤外線センサユニット２０ａに関するセンサ情報及び空間情報に基づいて対象空間Ｒ１０を抽出し、赤外線センサユニット２０ｂに関するセンサ情報及び空間情報に基づいて対象空間Ｒ２０を抽出し、赤外線センサユニット２０ｃに関するセンサ情報及び空間情報に基づいて対象空間Ｒ３０を抽出する。その後、ステップＳ２０６へ進む。
【０５００】
ステップＳ２０６において、マスク処理部４３６は、各対象空間Ｒの座標情報を比較し、いずれかの対象空間Ｒと他の対象空間Ｒとの間に重複エリア８０が存在するか否か（すなわち、互いの座標が一部において重複する対象空間Ｒがあるか否か）を判定する。当該判定がＮＯの場合（すなわち、重複エリア８０が存在しない場合）には、ステップＳ２０１に戻る。一方、当該判定がＹＥＳの場合（すなわち、重複エリア８０が存在する場合）には、ステップＳ２０７へ進む。例えば、図２５のような態様で各赤外線センサユニット２０が配設される場合、マスク処理部４３６は、対象空間Ｒ１０と対象空間Ｒ２０とが一部において重複しているため、重複エリア８０ａ（図２６参照）が存在すると判定する。また、対象空間Ｒ２０と対象空間Ｒ３０とが一部において重複しているため、重複エリア８０ｂ（図２７参照）が存在すると判定する。
【０５０１】
ステップＳ２０７において、マスク処理部４３６は、重複エリア８０を含む対象空間Ｒに対応する温度分布データ及び人間分布データに関して、除外データを指定する。具体的には、重複エリア８０を共有する複数の対象空間Ｒのうち、１つの対象空間Ｒを除いた各対象空間Ｒに対応する各温度分布データ及び各人間分布データの、重複エリア８０に対応する部分（画素）のデータを、除外データとして指定する。
【０５０２】
例えば、赤外線センサユニット２０ａによって図２９に示すような人間分布データが生成される場合において、係るデータのうち重複エリア８０ａに対応する部分を除外データとして指定する時には、図３３に示すように、重複エリア８０ａに対応する画素（１６×７）を指定することで除外データを指定する（図３３のハッチング部分を参照）。また、例えば、赤外線センサユニット２０ａによって図３４に示すような温度分布データが生成される場合において、係るデータのうち重複エリア８０ａに対応する部分を除外データとして指定する時には、重複エリア８０ａに対応する画素（４×２）を指定することで除外データを指定する（図３４のハッチング部分を参照）。
【０５０３】
また、例えば、赤外線センサユニット２０ｂによって図３０に示すような人間分布データが生成される場合において、係るデータのうち重複エリア８０ｂに対応する部分を除外データとして指定する時には、図３５に示すように、重複エリア８０ｂに対応する画素（１６×７）を指定することで除外データを指定する（図３５のハッチング部分を参照）。また、例えば、赤外線センサユニット２０ｂによって図３６に示すような温度分布データが生成される場合において、係るデータのうち重複エリア８０ｂに対応する部分を除外データとして指定する時には、重複エリア８０ｂに対応する画素（４×２）を指定することで除外データを指定する（図３６のハッチング部分を参照）。
【０５０４】
なお、マスク処理部４３６は、マスク処理を定義したプログラムに展開されている所定のアルゴリズムに沿って、除外データを指定する。
【０５０５】
例えば、マスク処理部４３６は、予めユーザによって指定された優先順位に応じて、除外データを指定する。一例を挙げると、重複エリア８０ａを共有する対象空間Ｒ１０及び対象空間Ｒ２０のうち、対象空間Ｒ２０の優先順位のほうが対象空間Ｒ１０よりも高く設定されている場合には、優先順位が低い対象空間Ｒ１０に対応するデータに含まれる重複データを除外データとして指定する。
【０５０６】
また、例えば、マスク処理部４３６は、人間分布データ記憶領域４３４ｂに格納されている過去の人間分布データに基づき、人口密度の高さに基づいて優先順位を設定し、当該優先順位に応じて除外データを指定する。一例を挙げると、マスク処理部４３６は、重複エリア８０ａを共有する対象空間Ｒ１０及び対象空間Ｒ２０のうち、各人口分布データから対象空間Ｒ１０及びＲ２０の人口密度の平均値を算出し、係る平均値に基づき人口密度が高いと判断される対象空間Ｒ２０の優先順位を、対象空間Ｒ１０よりも高く設定する。
【０５０７】
また、例えば、マスク処理部４３６は、各重複データのなかからランダムに除外データを指定する。
【０５０８】
マスク処理部４３６は、除外データを指定した後、ステップＳ２０８へ進む。
【０５０９】
ステップＳ２０８において、マスク処理部４３６は、指定した除外データを示す除外データ情報を除外データ記憶領域４３４ｇに格納する（除外データ記憶領域４３４ｇにおいてすでに同一の除外データ情報が格納されている場合には、何もしない）。その後、ステップＳ２０９へ進む。
【０５１０】
ステップＳ２０９において、マスク処理部４３６は、各通信異常判別フラグＦＲの状態を参照し、除外データして指定されていない重複データを含む各データ（人間分布データ又は温度分布データ）に通信異常が生じたか否かを判定する。当該判定がＮＯの場合（すなわち、通信異常が生じていない場合）には、ステップ２０１に戻る。一方、当該判定がＹＥＳの場合（すなわち、通信異常が生じた場合）には、ステップＳ２１０へ進む。
【０５１１】
ステップＳ２１０において、マスク処理部４３６は、通信異常の影響を受けた重複データを除外データとして新たに指定し、当該除外データ（画素）を特定する除外データ情報を除外データ記憶領域４３４ｇに格納する。また、これとともに、マスク処理部４３６は、新たに除外データとして指定した重複データと同一の重複データであって、除外データとして指定されていたもののなかから、１つの重複データに関し、除外データとしての指定を解除して、除外データ記憶領域４３４ｇから対応する除外データ情報を削除する。
【０５１２】
例えば、対象空間Ｒ１０に関するデータ（温度分布データ又は人間分布データ）と、対象空間Ｒ２０に関するデータと、の重複データに関し、対象空間Ｒ１０に関するデータに含まれる重複データ（以下、「第１データ」と称する）が除外データとして指定されている場合において、対象空間Ｒ２０に関するデータに含まれる重複データ（以下、「第２データ」と称する）に通信異常が生じた時（すなわち、通信異常判別フラグＦ２ａ又はＦ２ｂが立てられた時）には、マスク処理部４３６は、除外データ記憶領域４３４ｇに記憶される除外データ情報において、第２データを新たに除外データとして指定し、第１データについては除外データとしての指定を解除する。
【０５１３】
このような除外データの更新処理が実行されることにより、通信異常が生じたデータに含まれる重複データについては、次回のサイクルから、人間分布データ記憶領域４３４ｂに記憶されず、通信異常が生じていない重複データが記憶されるようになる。
【０５１４】
マスク処理部４３６は、このような除外データの更新処理の実行後、ステップ２０１に戻る。
【０５１５】
マスク処理部４３６は、以上のような流れのマスク処理を繰り返し実行する。このようなマスク処理が実行されることで、記憶部４３４に格納される温度分布データ及び人間分布データは、除外データを除いた状態で記憶されるようになっている。
【０５１６】
例えば、上述の例において、対象空間Ｒ１０に関して図２９に示すように生成された人間分布データは、図３７に示すように除外データ（図３７の破線部分）を除いたデータ（図３７の実線部分）が人間分布データ記憶領域４３４ｂに記憶される。また、対象空間Ｒ１０に関して図３４に示すように生成された温度分布データは、図３８に示すように除外データ（図３８の破線部分）を除いたデータ（図３８の実線部分）が温度分布データ記憶領域４３４ａに記憶される。
【０５１７】
また、対象空間Ｒ２０に関して図３０に示すように生成された人間分布データは、図３９に示すように除外データ（図３９の破線部分）を除いたデータ（図３９の実線部分）が人間分布データ記憶領域４３４ｂに記憶される。また、赤外線センサユニット２０ａによって図３６に示すように生成された温度分布データは、図４０に示すように除外データ（図４０の破線部分）を除いたデータ（図４０の実線部分）が温度分布データ記憶領域４３４ａに記憶される。
【０５１８】
上述のような態様でマスク処理部４３６がマスク処理を実行することにより、温度分布データ生成システム４００では、各赤外線センサユニット２０の配置態様に関わりなく、温度分布データ又は人間分布データを用いる処理部４３５の処理結果において、活動空間ＳＰ１における状況が適正に反映され、実際の状況との間に齟齬が生じることが抑制されている。
【０５１９】
（２−７）データ補間部
データ補間部４３７は、通信異常が生じた際に、通信異常の影響を受けたデータの異常部分（画素）を補間するデータ補間処理を実行する。「通信異常」には、伝送経路上でデータ（温度分布データ又は人間分布データ）が衝突する等して受信されるはずのデータが受信されないいわゆるデータ欠落や、伝送経路上でデータにノイズが混入して受信したデータと実際に生成されたデータとの間に誤差が生じるいわゆる異常変動等が含まれる。データ補間部４３７が実行するデータ補間処理には、データ欠落が生じたデータに関して欠落部分を補間する欠落補間処理と、異常変動が生じたデータに関して異常変動部分を補間する異常変動補間処理と、が含まれる。
【０５２０】
データ補間部４３７は、１サイクル毎に温度分布データ記憶領域４３４ａ又は人間分布データ記憶領域４３４ｂから最新のデータ（温度分布データ又は人間分布データ）を取得し、各データに通信異常が生じたか否かを判定する。
【０５２１】
データ補間部４３７は、通信ネットワーク１０を介して受信する温度分布データ及び人間分布データのいずれかに通信異常が生じたと判断した時には、対応する通信異常判別フラグＦＲを立てる。データ補間部４３７は、通信異常判別フラグＦＲを立てたデータ（すなわち通信異常が生じたデータ）に関し、次回以降のサイクルにおいて正常なデータを受信した時には、通信異常判別フラグＦＲを解除する。
【０５２２】
具体的に、データ補間部４３７は、温度分布データの通信異常が生じた時には、温度分布データ記憶領域４３４ａに記憶されている過去の温度分布データを用いて、補間温度分布データを生成する。データ補間部４３７は、人間分布データの通信異常が生じた時には、人間分布データ記憶領域４３４ｂに記憶されている過去の人間分布データを用いて、補間人間分布データを生成する。
【０５２３】
データ補間部４３７は、図４１に示すような流れでデータ補間処理を実行する。以下、図４１を参照しながら、データ補間処理の流れについて説明する。なお、図４１に示す流れは、一例であって、適宜変更が可能である。
【０５２４】
ステップＳ３０１において、データ補間部４３７は、前回のサイクルから所定時間ｔ１が経過したか（１サイクルが経過したか）否かを判定する。データ補間部４３７は、時間カウンタ（図示省略）を有しており、時間を計測可能である。当該判定がＮＯの場合（すなわち所定時間ｔ１が経過していない場合）、当該判定を繰り返す。一方、当該判定がＹＥＳの場合（すなわち所定時間ｔ１が経過したと判定した場合）、ステップＳ３０２へ進む。
【０５２５】
ステップＳ３０２において、データ補間部４３７は、記憶部４３４（温度分布データ記憶領域４３４ａ及び人間分布データ記憶領域４３４ｂ）から１サイクル分の各データ（温度分布データ及び人間分布データ）を取得する。その後、ステップＳ３０３へ進む。
【０５２６】
ステップＳ３０３において、データ補間部４３７は、取得した各データを解読し、欠落データがあるか否かを判定する。当該判定は、センサ情報記憶領域４３４ｆに含まれているセンサ情報に基づき、所定の記憶領域（４３４ａ又は４３４ｂ）に最新の各データが記憶されているか否かを判定することにより、行われる。
【０５２７】
例えば、図４２に示すように、サイクル（所定時間ｔ１）毎に受信するはずのデータ（いずれかの対象空間Ｒに関する温度分布データ又は人間分布データ）が記憶部４３４（４３４ａ又は４３４ｂ）に格納されていない場合には、データ補間部４３７は、当該データに関してデータ欠落が生じたと判定する。図４２では、サイクルＣ１からＣ４において定期的に受信されたデータが、Ｃ５においては受信されず、サイクルＣ６からサイクルＣ９において定期的に受信される様子が示されている。係る場合、サイクルＣ５において、記憶部４３４に所定のデータが記憶されない。これを受けて、データ補間部４３７は、サイクルＣ５においてデータ欠落が生じたと判定する。
【０５２８】
ステップＳ３０３の判定がＮＯの場合（すなわち欠落部分がないと判定した場合）、データ補間部４３７は、ステップＳ３０４へ進む。一方、当該判定がＹＥＳの場合（すなわち欠落部分があると判定した場合）、ステップＳ３０６へ進む。
【０５２９】
ステップＳ３０４において、データ補間部４３７は、取得した各データを解読し、異常変動があるか否かを判定する。より詳細には、データ補間部４３７は、取得したデータと、これに対応する前回のサイクルのデータと、を画素毎に比較し、所定の閾値ΔＴｈを超えて変動している部分（画素）があるか否かを判定する。
【０５３０】
データ補間部４３７は、温度分布データの異常変動を判定する際には、取得したデータにおいて、前回のサイクルのデータから第１閾値ΔＴｈ１を超えて変動する部分（画素）、又はＮＵＬＬ値（情報が存在しない）の画素が存在するか否かを判定する。本実施形態において、第１閾値ΔＴｈ１は、５（℃）に設定されている。
【０５３１】
例えば、前回の温度分布データが図４３に示すような状態である場合において、受信した最新の温度分布データが図４４に示すような状態であれば、二点鎖線で示される画素が示す値（温度）が、前回の値よりも第１閾値ΔＴｈ１（５℃）を超える割合で大きく変化している。具体的には、前回のサイクルにおいては２５．３（℃）であった画素（図４３のＨ１０を参照）が、次のサイクルでは４５．５（℃）に変化している（図４４の二点鎖線参照）。また、最新の温度分布データにはＮＵＬＬ値の画素（Ｈ２０）が含まれている（図４４の一点鎖線参照）。このような場合、データ補間部４３７は、係る温度分布データの異常変動が生じたと判定する。
【０５３２】
また、データ補間部４３７は、人間分布データの異常変動を判定する際には、取得したデータに示される人数（すなわち対象空間Ｒ内の人数）が、前回のサイクルのデータから第２閾値ΔＴｈ２を超えて変動しているか否かを判定する。本実施形態において、第２閾値ΔＴｈ２は、１０（人）に設定されている。
【０５３３】
例えば、図４５及び図４６に示すように、サイクル（所定時間ｔ１）毎に受信する各人間分布データが示す人数が第２閾値ΔＴｈ２を超えて上下する場合（図４５のサイクルＣ１５、及び図４６のサイクルＣ２５を参照）、データ補間部４３７は、人間分布データに異常変動が生じたと判定する。
【０５３４】
ステップＳ３０４の判定がＮＯの場合（すなわち、取得したデータが所定の閾値ΔＴｈを超えて変動していない場合、ＮＵＬＬ値の画素が存在しない場合）、ステップＳ３０５へ進む。一方、判定がＹＥＳの場合（すなわち、取得したデータが所定の閾値ΔＴｈを超えて変動した場合、ＮＵＬＬ値の画素が存在した場合）、データ補間部４３７は、当該データに異常変動が生じたと判定し、ステップＳ３０９へ進む。
【０５３５】
ステップＳ３０５において、データ補間部４３７は、通信異常判別情報記憶領域４３４ｈにおいて、立てられている通信異常判別フラグＦＲを全て解除（off）する（全ての通信異常判別フラグＦＲが解除された状態にある場合には何もしない）。その後、ステップＳ３０１に戻る。
【０５３６】
ステップＳ３０６において、データ補間部４３７は、通信異常判別情報記憶領域４３４ｈにおいて、欠落が生じたデータに対応する通信異常判別フラグＦＲを立てる（onする）。その後、ステップＳ３０７へ進む。
【０５３７】
ステップＳ３０７において、データ補間部４３７は、欠落が生じたデータに関し、データ補間処理（欠落補間処理）を実行する。
【０５３８】
具体的には、データ補間部４３７は、温度分布データの欠落補間処理において、記憶部４３４から、欠落が生じたデータに対応する過去の温度分布データ（以下、「過去データ」と称する）を、新しいものから所定個数ｎ個分取得する。本実施形態では、所定個数ｎは、３個に設定されている。すなわち、データ補間部４３７は、直近の３サイクル分の過去データを取得する。その後、過去データの平均値を画素毎に算出し、算出した値に基づき補間温度分布データを生成する。
【０５３９】
例えば、補間温度分布データは、過去データ（３サイクル分）が図４３に示すような状態であれば、３サイクル分の過去データの各画素の平均値を算出し、当該平均値を用いて図４７に示すような補間温度分布データを生成する。図４７には、過去データの各画素の平均値を集めて生成された補間温度分布データが模式的に示されている。
【０５４０】
データ補間部４３７は、補間温度分布データの生成後、生成した補間温度分布データを温度分布データ記憶領域４３４ａに格納する。
【０５４１】
データ補間部４３７は、人間分布データの欠落補間処理において、記憶部４３４から、欠落が生じたデータに対応する前回の人間分布データ（以下、「直近データ」と称する）を取得する。その後、直近データに基づき補間人間分布データを生成する。本実施形態では、直近データのコピーデータが補間人間分布データして生成される。
【０５４２】
データ補間部４３７は、人間温度分布データの生成後、生成した補間人間分布データを人間分布データ記憶領域４３４ｂに格納する。
【０５４３】
データ補間部４３７は、上述のようなデータ補間処理を実行した後、ステップＳ３０８へ進む。
【０５４４】
ステップＳ３０８において、データ補間部４３７は、ステップＳ３０４と同様の判定を行う。当該判定がＮＯの場合（すなわち、最新のデータが前回のデータから所定の閾値ΔＴｈを超えて変動していない場合）、ステップＳ３０１に戻る。一方、判定がＹＥＳの場合（すなわち、最新のデータが前回のデータから所定の閾値ΔＴｈを超えて変動した場合）、データ補間部４３７は、当該データに異常変動が生じたと判定し、ステップＳ３０９へ進む。
【０５４５】
ステップＳ３０９において、データ補間部４３７は、通信異常判別情報記憶領域４３４ｈにおいて、異常変動が生じたデータに対応する通信異常判別フラグＦＲを立てる。その後、ステップＳ３１０へ進む。
【０５４６】
ステップＳ３１０において、データ補間部４３７は、異常変動が生じたデータに関し、データ補間処理（異常変動補間処理）を実行する。
【０５４７】
具体的には、データ補間部４３７は、温度分布データに関する異常変動補間処理において、記憶部４３４から、直近の３サイクル分の過去データを取得する。その後、異常変動が生じた画素に関して、過去データの平均値を算出し、算出した平均値に基づいて補間温度分布データを生成する。
【０５４８】
例えば、過去データが図４３に示すような状態である場合において、最新の温度分布データに関して図４４の一点鎖線（Ｈ１０）および二点鎖線（Ｈ２０）に示すような異常変動が生じた場合には、図４８のような補間温度分布データが生成される。図４８では、図４４において異常変動が生じていた画素（Ｈ１０、Ｈ２０）において、当該画素に関する過去データの平均値（２５．３℃）が示されている（図４８の一点鎖線及び二点鎖線を参照）。
【０５４９】
データ補間部４３７は、補間温度分布データの生成後、温度分布データ記憶領域４３４ａから通信異常（異常変動）が生じた温度分布データを削除するとともに、異常変動補間処理によって生成した補間温度分布データを温度分布データ記憶領域４３４ａに格納する。
【０５５０】
また、データ補間部４３７は、データ補間部４３７は、人間分布データに関する異常変動補間処理において、記憶部４３４から直近データを取得し、直近データに基づき補間人間分布データを生成する。本実施形態では、直近データのコピーデータが補間人間分布データして生成される。
【０５５１】
例えば、図４５及び図４６に示すような異常変動が生じた場合には、補間人間分布データ生成されて、人間分布データ記憶領域４３４ｂに格納されている人間分布データは、図４９のような状態となる。図４９では、サイクルＣ１５（又はＣ２５）において、補間人間分布データが人間分布データ記憶領域４３４ｂに格納されている様子が示されている（図４９のハッチング部分を参照）。
【０５５２】
データ補間部４３７は、補間人間分布データの生成後、人間分布データ記憶領域４３４ｂから通信異常（異常変動）が生じた人間分布データを削除するとともに、異常変動補間処理によって生成した補間人間分布データを人間分布データ記憶領域４３４ｂに格納する。
【０５５３】
データ補間部４３７は、ステップＳ３１０において、異常変動補間処理の実行後、ステップＳ３０１に戻る。
【０５５４】
すなわち、データ補間部４３７が上述のようなデータ補間処理を実行することにより、通信異常によって受信すべき温度分布データ又は人間分布データが受信されない場合や、受信した温度分布データ又は人間分布データが実際に生成されたデータとは相違する場合でも、通信異常に係るデータが適正に補間されるようになっている。
【０５５５】
（２−７−１）データ補間処理のアルゴリズム
データ補間部４３７は、データ補間処理として、欠落補間処理と異常変動補間処理を実行する。データ補間部４３７が実行するデータ補間処理においては、温度分布データの補間アルゴリズム（すなわち、補間温度分布データの生成方法）と、人間分布データの補間アルゴリズム（すなわち、補間人間分布データの生成方法）とが、欠落補間処理と異常変動補間処理のいずれにおいても、相違していた。
【０５５６】
具体的には、データ補間部４３７は、補間温度分布データについては、過去データの平均値を算出し、算出した平均値に基づいて生成していた。一方で、データ補間部４３７は、補間人間分布データについては、直近データのコピーを用いて生成していた。
【０５５７】
すなわち、データ補間処理では、補間温度分布データと補間人間分布データとは互いに異なるアルゴリズムに基づいて生成される。これにより、データ補間処理が、データの特性に応じて適正に行われるようになっている。
【０５５８】
（３）特徴
（３−１）
本実施形態に係る温度分布データ生成システム４００では、データ補間部４３７が、温度分布データ又は人間分布データの通信異常が生じた時に、過去の温度分布データ又は人間分布データを用いて、補間温度分布データを生成している。すなわち、通信異常により、受信すべき温度分布データ又は人間分布データが受信されない場合や、受信した温度分布データ又は人間分布データが実際に生成されたデータとは相違する場合でも、データ補間部４３７が、過去の受信データ（過去データ又は直近データ）に基づいて補間温度分布データ又は補間人間分布データを生成するようになっている。そのため、温度分布データ又は人間分布データに関して通信異常が生じても、通信異常に係るデータが適正に補間されるようになっている。その結果、温度分布データ又は人間分布データに関する通信異常の影響が抑制されている。
【０５５９】
また、本実施形態では、補間温度分布データと補間人間分布データとは互いに異なるアルゴリズムに基づいて生成されている。そのため、データの特性に応じたデータの補間が行われるようになっている。
【０５６０】
（３−２）
本実施形態に係る温度分布データ生成システム４００では、マスク処理部４３６が、いずれかの赤外線センサユニット２０により抽出される温度分布データ（第１温度分布データ）の対象範囲の一部が、他の赤外線センサユニット２０によって抽出される温度分布データ（第２温度分布データ）の対象範囲と重複している場合には、第１温度分布データのうち第２温度分布データと対象範囲が重複している部分を、除外データとして指定して蓄積対象から除外している。また、温度分布データ生成システム４００では、マスク処理部４３６が、いずれかの赤外線センサユニット２０により抽出される人間分布データ（第１人間分布データ）の対象範囲の一部が、他の抽出部によって抽出される人間分布データ（第２人間分布データ）の対象範囲と重複している場合には、第１人間分布データのうち第２人間分布データと対象範囲が重複している部分を、除外データとして指定して蓄積対象から除外している。
【０５６１】
そのため、赤外線センサユニット２０の設置環境等に応じて、異なる赤外線センサユニット２０によって生成される温度分布データ又は人間分布データの対象範囲が重複している場合であっても、活動空間ＳＰ１における温度分布状況又は人間分布状況を正確に把握することが可能となっている。
【０５６２】
（３−３）
本実施形態に係る温度分布データ生成システム４００では、マスク処理部４３６が、第２温度分布データ又は第２人間分布データの通信異常が生じた時には、第１温度分布データ又は第１人間分布データのうち第２温度分布データ又は第２人間分布データと対象範囲が重複している重複データに関し、除外データとしての指定を解除し、第２温度分布データ又は第２人間分布データのうち第１温度分布データ又は第１人間分布データと対象範囲が重複している重複データを、新たに除外データに指定して蓄積対象から除外している。
【０５６３】
すなわち、通信ネットワーク１０において除外データに指定されていない第２温度分布データ又は第２人間分布データの通信異常が生じた場合、除外データとして指定されていた第１温度分布データ又は第１人間分布データの重複データは、除外データとしての指定を解除され、記憶部４３４に蓄積されるようになっている。一方で、通信異常が生じた第２温度分布データ又は第２人間分布データに含まれる重複データに関しては、新たに除外データとして指定され、蓄積対象から除外されるようになっている。
【０５６４】
つまり、温度分布データ生成システム４００では、通信環境等の状況に応じて、除外データが適宜更新されるようになっている。その結果、温度分布データ生成システム４００では、通信異常の影響を受けにくく、対象空間Ｒにおける温度分布状況又は人間分布状況を高精度に把握することが可能となっている。
【０５６５】
（４）変形例
第４実施形態に係る温度分布データ生成システム４００には、矛盾のない範囲で、他の実施形態に係る構成や、他の実施形態の変形例に係る構成が適用されてもよい。
【０５６６】
以下に第４実施形態の変形例を示す。以下の変形例は、互いに矛盾しない範囲で、他の変形例（第１、第２、又は第３実施形態の構成や、第１、第２、又は第３実施形態の変形例を含む）の一部又は全部と組合せて用いられてもよい。
【０５６７】
（４−１）変形例４Ａ
上記実施形態では、活動空間ＳＰ１において、重複エリア８０が２つの対象空間Ｒに重複して形成されていた。しかし、重複エリア８０は、３以上の対象空間Ｒにまたがって形成されてもよい。係る場合であっても、マスク処理が実行されることにより、活動空間ＳＰ１における温度分布状況又は人間分布状況を正確に把握することが可能である。
【０５６８】
（４−２）変形例４Ｂ
上記実施形態では、メインコンピュータ４３０は、通信ネットワーク１０を介してコンセントレータ６０と接続され、コンセントレータ６０が各赤外線センサユニット２０からデータを受信していた。しかし、温度分布データ生成システム４００において、コンセントレータ６０については必ずしも必要ではなく、メインコンピュータ４３０が各赤外線センサユニット２０から各データを送信されるように構成されてもよい。
【０５６９】
（４−３）変形例４Ｃ
上記実施形態では、データの異常変動の有無を判定する際に用いられる閾値ΔＴｈに関し、第１閾値ΔＴｈ１が５℃に設定され、第２閾値ΔＴｈ２が１０人に設定されていた。しかし、これらの閾値は、必ずしもこれらの値に限定されず、適宜変更が可能である。すなわち、第１閾値ΔＴｈ１は、６℃以上又は５℃未満に設定されてもよく、例えば１０℃に設定されてもよいし、３℃に設定されてもよい。また、第２閾値ΔＴｈ２は、１１人以上又は１０人未満に設定されてもよく、例えば２０人に設定されてもよいし、５人に設定されてもよい。
【０５７０】
（４−４）変形例４Ｄ
上記実施形態では、温度分布データのデータ補間処理においては、過去データ（３サイクル分）の平均値に基づいて補間温度分布データが生成されていた。しかし、補間温度分布データを生成するアルゴリズムについてはこれに限定されず、適宜変更が可能である。例えば、平均値を算出する過去データの個数（サイクル数）については、４個以上であってもよいし、３個未満であってもよい。また、例えば、温度分布データ記憶領域４３４ａに記憶されている温度分布データの統計値を算出し、算出した統計値を用いて補間温度分布データを生成してもよい。また、例えば、前回のサイクルの温度分布データのコピーデータを補間温度分布データとして生成してもよい。
【０５７１】
（４−５）変形例４Ｅ
上記実施形態では、人間分布データのデータ補間処理においては、過去データ（前回のサイクルの人間分布データ）のコピーデータが補間人間分布データとして生成されていた。しかし、人間分布データを生成するアルゴリズムについてはこれに限定されず、適宜変更が可能である。例えば、人間分布データ記憶領域４３４ｂに記憶されている人間分布データの平均値や統計値を用いて補間人間分布データを生成してもよい。
【０５７２】
（４−６）変形例４Ｆ
上記実施形態では、データ補間処理においては、通信異常が生じた過去のデータを用いて補間温度分布データ又は補間人間分布データが生成されていた。しかし、データ補間処理においては、通信異常が生じたサイクルにおいて正常に受信された他のデータを用いて、補間温度分布データ又は補間人間分布データが生成されてもよい。
【０５７３】
例えば、通信異常の影響を受けたデータの重複データに関し、正常に受信された同一の重複データが記憶部４３４において記憶されている場合には、当該重複データを用いて補間温度分布データ又は補間人間分布データが生成されてもよい。
【０５７４】
また、例えば、いずれかの対象空間Ｒに関するデータが通信異常の影響を受けた場合には、隣接する対象空間Ｒのデータを用いて補間温度分布データ又は人間分布データが生成されてもよい。
【０５７５】
なお、これらの場合、各補間データは、他のデータのコピーデータとして生成される。或いは、当該他のデータを用いて所定の平均値や統計値に基づいて生成される。
【０５７６】
上述のような方法によっても、通信異常に係るデータが適正に補間されうる。その結果、温度分布データ又は人間分布データに関する通信異常の影響が抑制される。
【０５７７】
（４−７）変形例４Ｇ
上記実施形態では、温度分布データ又は人間分布データの通信異常が生じた際、データ補間処理を実行して補間温度分布データ又は補間人間分布データを生成していた。しかし、補間人間分布データについては、必ずしも生成される必要はなく、システム上不要である場合には適宜省略してもよい。
【０５７８】
（４−８）変形例４Ｈ
上記実施形態では、マスク処理部４３６は、温度分布データ又は人間分布データに重複データが生じる場合には、マスク処理を実行して除外データを指定していた。しかし、マスク処理部４３６は、必ずしも温度分布データ又は人間分布データの双方についてマスク処理を実行する必要はなく、温度分布データ及び人間分布データのうちマスク処理が必要なもののみについてマスク処理を実行すればよい。すなわち、システムを適用するうえで、マスク処理が不要なデータに関してはマスク処理を省略してもよい。
【０５７９】
（４−９）変形例４Ｉ
上記実施形態では、マスク処理部４３６がマスク処理を実行し、データ補間部４３７がデータ補間処理を実行していた。しかし、温度分布データ生成システム４００においては、マスク処理部４３６およびデータ補間部４３７のいずれかを省略して構成してもよい。
【０５８０】
すなわち、赤外線センサユニット２０の配設態様に関連して、各対象空間Ｒに重複エリア８０が存在しない場合には、重複データが生じないためマスク処理を行う必要がない。よって、マスク処理部４３６については省略可能となる。
【０５８１】
また、データ補間部４３７を省略した場合、通信異常が生じた際にデータ補間処理が実行されないことから、通信異常の影響が大きくなるが、マスク処理については実行されるため、重複データに関しては適正に対応することが可能である。
【０５８２】
（４−１０）変形例４Ｊ
上記実施形態では、マスク処理部４３６が除外データ情報を除外データ記憶領域４３４ｇに格納し、通信部４３１が、係る除外データ情報に基づいて、受信したデータから除外データを除外して蓄積していた。しかし、これに限定されず、通信部４３１が、受信したデータの全てを所定の記憶領域に一旦格納し、マスク処理部４３６（又は他のユニット）が、指定された除外データを、記憶領域から削除するような構成としてもよい。
【０５８３】
（４−１１）変形例４Ｋ
上記実施形態では、メインコンピュータ４３０は、活動空間ＳＰ１とは別の場所、例えば、活動空間ＳＰ１が存在する建物内の中央管理室に設置されていた。しかし、メインコンピュータ４３０の配置態様については、必ずしもこれに限定されず、適宜変更が可能である。
【０５８４】
例えば、メインコンピュータ４３０は、活動空間ＳＰ１の存在する建物以外の場所、例えば遠隔地にある管理センターに配置されてもよい。なお、係る場合、通信ネットワーク１０は、例えばインターネット等のＷＡＮ（Wide Area Network）を含む。
【０５８５】
また、メインコンピュータ４３０は、各構成部（４３１〜４３７）が必ずしも同一の場所に配置される必要はなく、その一部が異なる場所に分散配置されてもよい。係る場合、各構成部（４３１〜４３７）が、ＬＡＮやＷＡＮ等のネットワークで通信可能に構成されればよい。
【０５８６】
また、メインコンピュータ４３０は、その一部又は全部が活動空間ＳＰ１内に配置されてもよい。
【産業上の利用可能性】
【０５８７】
本発明に係る温度分布データ生成システムは、データサイズが小さく、空間の定常温度分布を正しく把握することが可能な温度分布データを生成できるシステムとして有用である。
【符号の説明】
【０５８８】
２１  センサ部（取得部）
２５  ユニット処理部（抽出部）
３１,４３１  通信部（受付部）
３２,４３２  入力部（受付部）
３４，２３４，３３４,４３４  記憶部
３５ａ  領域検出部
３５ｂ  改善提案生成部
２３５ｃ  動画生成部
３３５ｇ  類似空間抽出部
３３５ｈ  省エネ関連情報生成部
４３６    ：マスク処理部
４３７    ：データ補間部
１００，２００，３００,４００  温度分布データ生成システム
Ｒ，Ｒ１，Ｒ２，・・・ＲＮ  対象空間
Ｒｍ  第１空間
ＳＰ１  活動空間
【先行技術文献】
【特許文献】
【０５８９】
【特許文献１】特開平６−１６０５０７号公報
【図１】
2015200639.tif 000003
【図２】
2015200639.tif 000004
【図３】
2015200639.tif 000005
【図４】
2015200639.tif 000006
【図５】
2015200639.tif 000007
【図６】
2015200639.tif 000008
【図７】
2015200639.tif 000009
【図８】
2015200639.tif 000010
【図９】
2015200639.tif 000011
【図１０】
2015200639.tif 000012
【図１１】
2015200639.tif 000013
【図１２】
2015200639.tif 000014
【図１３】
2015200639.tif 000015
【図１４】
2015200639.tif 000016
【図１５】
2015200639.tif 000017
【図１６】
2015200639.tif 000018
【図１７】
2015200639.tif 000019
【図１８】
2015200639.tif 000020
【図１９】
2015200639.tif 000021
【図２０】
2015200639.tif 000022
【図２１】
2015200639.tif 000023
【図２２】
2015200639.tif 000024
【図２３】
2015200639.tif 000025
【図２４】
2015200639.tif 000026
【図２５】
2015200639.tif 000027
【図２６】
2015200639.tif 000028
【図２７】
2015200639.tif 000029
【図２８】
2015200639.tif 000030
【図２９】
2015200639.tif 000031
【図３０】
2015200639.tif 000032
【図３１】
2015200639.tif 000033
【図３２】
2015200639.tif 000034
【図３３】
2015200639.tif 000035
【図３４】
2015200639.tif 000036
【図３５】
2015200639.tif 000037
【図３６】
2015200639.tif 000038
【図３７】
2015200639.tif 000039
【図３８】
2015200639.tif 000040
【図３９】
2015200639.tif 000041
【図４０】
2015200639.tif 000042
【図４１】
2015200639.tif 000043
【図４２】
2015200639.tif 000044
【図４３】
2015200639.tif 000045
【図４４】
2015200639.tif 000046
【図４５】
2015200639.tif 000047
【図４６】
2015200639.tif 000048
【図４７】
2015200639.tif 000049
【図４８】
2015200639.tif 000050
【図４９】
2015200639.tif 000051